(57)【要約】下降時抵抗付与部への伝達及び上昇時の解除が十分可能な遮蔽装置を提供する。コードの移動を捕捉し且つ前記コードの移動に起因する回転を抵抗付与部に伝達する挟着装置を備える遮蔽装置であって、前記抵抗付与部は、前記挟着装置を介して前記コードの移動に対して抵抗力を発生させることが可能であり、前記挟着装置は、前記コードの一方向への移動により一方向のみに回転を伝達して所定の制動力を発生させるワンウェイ機能を備える、遮蔽装置が提供される。
2016194640.tif 000002
【特許請求の範囲】
【請求項１】
コードの移動を捕捉し且つ前記コードの移動に起因する回転を抵抗付与部に伝達する挟着装置を備える遮蔽装置であって、
前記抵抗付与部は、前記挟着装置を介して前記コードの移動に対して抵抗力を発生させることが可能であり、
前記挟着装置は、前記コードの一方向への移動により一方向のみに回転を伝達して所定の制動力を発生させるワンウェイ機能を備える、遮蔽装置。
【請求項２】
前記コードの移動により昇降可能に吊持される日射遮蔽部材を備え、
前記日射遮蔽部材の自重下降に伴う自動動作時に前記挟着装置が前記コードの変位に同期して前記コードの移動に起因する回転を前記抵抗付与部に伝達するように構成される、請求項１に記載の遮蔽装置。
【請求項３】
前記自動動作時に、前記挟着装置が前記コードに同期して前記コードの移動に起因する回転を前記抵抗付与部に伝達し、前記コードの引き操作時には、（１）前記抵抗付与部の回転速度が一定速度以下で同期するが一定速度以上で同期しない、（２）前記抵抗付与部が一定トルク以下で同期するが一定トルク以上で同期しない、又は（３）前記コードの移動速度が一定速度以下で同期するが一定速度以上で同期しない、ように構成される、
請求項２に記載の遮蔽装置。
【請求項４】
前記挟着装置は、前記日射遮蔽部材の引き操作時に前記挟着体が前記コードの変位に同期して前記コードの移動に起因する回転を前記抵抗付与部に伝達しないように構成される、請求項２又は請求項３に記載の遮蔽装置。
【請求項５】
前記挟着装置の変位によって前記挟着装置と前記コードの間に作用する摩擦力を変化させることにより、前記ワンウェイ機能を実現するように構成される、
請求項１〜請求項４のいずれか１項に記載の遮蔽装置。
【請求項６】
前記挟着装置の変位により、前記コードの移動に起因する回転を前記抵抗付与部に伝達するか否かが切り替わるように構成される、
請求項１〜請求項５のいずれか１項に記載の遮蔽装置。
【請求項７】
前記挟着装置は、前記コードを挟着する挟着体を備え、
前記挟着体は、前記コードの移動方向に沿って移動し且つ前記コードに対して近接するように構成される、
請求項１〜請求項６のいずれか１項に記載の遮蔽装置。
【請求項８】
前記挟着体と相対移動して、前記コードの移動方向に沿って移動し且つ前記コードに対して近接する斜面が設けられる、
請求項１〜請求項７のいずれか１項に記載の遮蔽装置。
【請求項９】
前記挟着装置は、出力用挟着体及び捕捉用挟着体から構成され、
前記コードの一方向移動時に、前記出力用挟着体を介して前記抵抗付与部に前記出力用挟着体の回転が伝達される伝達モードとなり、
前記コードの他方向移動時に、前記捕捉用挟着体と前記出力用挟着体が相対移動して前記出力用挟着体の回転を抵抗付与部へ伝達しない非伝達モードとなるように構成される、
請求項１〜請求項８のいずれか１項に記載の遮蔽装置。
【請求項１０】
前記コードの移動に伴い、前記出力用挟着体と、前記出力用挟着体の回転を前記抵抗付与部に伝達する伝達部材と、の噛合を解除することなく前記コードへの挟着力を弱めるように構成される、
請求項９に記載の遮蔽装置。
【請求項１１】
前記捕捉用挟着体は、前記出力用挟着体に対し離近方向に相対移動可能な相対移動挟着体である、
請求項９又は請求項１０に記載の遮蔽装置。
【請求項１２】
前記出力用挟着体と前記捕捉用挟着体とが前記コードを挟着して、前記抵抗付与部の抵抗力により前記出力用挟着体の回転抵抗により前記コードの変位を制動するように構成される、
請求項９〜請求項１１のいずれか１項に記載の遮蔽装置。
【請求項１３】
前記非伝達モードは、前記出力用挟着体と前記捕捉用挟着体とが前記伝達モード時よりも離間した状態又は前記出力用挟着体の回転を前記抵抗付与部が所定の制動力を発生させることができない程度の接触状態であり、
前記伝達モードは、前記出力用挟着体と前記捕捉用挟着体が前記非伝達モードよりも近接し、前記出力用挟着体に前記捕捉用挟着体の回転を伝達して前記抵抗付与部が所定の制動力を発生させ前記コードの変位を制動可能な状態である、
請求項９〜請求項１２のいずれか１項に記載の遮蔽装置。
【請求項１４】
前記出力用挟着体が前記コードの移動に伴って移動する移動滑車であり、前記捕捉用挟着体が斜面であり、前記伝達モードでは、前記移動滑車と前記斜面が前記非伝達モードよりも近接するように構成される、請求項１３に記載の遮蔽装置。
【請求項１５】
前記出力用挟着体と前記捕捉用挟着体が前記コードの移動に伴って移動する移動滑車と、前記移動滑車に対向するように設けられたベルトを備え、前記ベルトは、前記移動滑車が移動しても前記移動滑車と前記ベルトの間の距離が変化しないように配置される、請求項１３に記載の遮蔽装置。
【請求項１６】
前記コードの移動に伴って移動し且つ前記出力用挟着体の回転に伴って回転する移動ギアと、前記移動ギアの回転を前記抵抗付与部に伝達する伝達ギアを備え、前記伝達モードでは、前記移動ギアと前記伝達ギアが前記非伝達モードよりも近接するように構成される、請求項１３〜請求項１５のいずれか１項に記載の遮蔽装置。
【請求項１７】
前記出力用挟着体と前記捕捉用挟着体が前記コードの移動に伴って移動する一対の移動滑車で構成され、前記伝達モードでは、前記一対の移動滑車が前記非伝達モードよりも近接するように構成される、請求項１３に記載の遮蔽装置。
【請求項１８】
前記一対の移動滑車が前記コードの移動に伴って、前記コードの移動方向に対して斜め方向に移動するように構成される、請求項１７に記載の遮蔽装置。
【請求項１９】
前記出力用挟着体と前記捕捉用挟着体の少なくとも一方が回転カム機構によって前記コードの移動に伴って回動して前記出力用挟着体と前記捕捉用挟着体の間の距離が変化するように構成され、前記伝達モードでは、前記出力用挟着体と前記捕捉用挟着体が前記非伝達モードよりも近接するように構成される、請求項１３に記載の遮蔽装置。
【請求項２０】
前記出力用挟着体と前記捕捉用挟着体の少なくとも一方が、内筒と、前記内筒を収容するように設けられ且つ前記内筒に対して摩擦係合する外筒を備え、前記内筒は、回転カム機構によって前記コードの移動に伴って回動して前記出力用挟着体と前記捕捉用挟着体の間の距離が変化するように構成され、前記外筒は、内筒の回動が係止された状態で前記外筒に前記摩擦係合による摩擦力を超えるトルクが加わったときに前記内筒に対して相対回転するように構成される、請求項１９に記載の遮蔽装置。
【請求項２１】
前記外筒の回転に伴って回転するピニオンギアと、前記ピニオンギアの回転を前記抵抗付与部に伝達する伝達ギアを備え、前記ピニオンギアと前記伝達ギアは、常時噛み合うように配置される、請求項２０に記載の遮蔽装置。
【請求項２２】
前記出力用挟着体と前記捕捉用挟着体の一方の回転に伴って他方が移動して前記出力用挟着体と前記捕捉用挟着体の間の距離が変化するように構成される、請求項１３に記載の遮蔽装置。
【請求項２３】
前記出力用挟着体と前記捕捉用挟着体の少なくとも一方は、一対の挟着部材の間に前記コードを保持するように構成され、前記一対の挟着部材は、保持プレート又は紐状部材によって互いに連結されている、請求項１３に記載の遮蔽装置。
【請求項２４】
前記出力用挟着体と前記捕捉用挟着体の少なくとも一方は、前記非伝達モードから前記伝達モードに移行する際に傾斜面に沿って重量の作用によって移動するように構成される、請求項１３に記載の遮蔽装置。
【請求項２５】
前記出力用挟着体と前記捕捉用挟着体の少なくとも一方は、移動滑車で構成され、前記移動滑車は、傾斜面に沿って案内される、請求項１３に記載の遮蔽装置。
【請求項２６】
前記挟着体の内部にワンウェイクラッチを備えることにより、前記ワンウェイ機能が実現される、
請求項１〜請求項２５のいずれか１項に記載の遮蔽装置。
【請求項２７】
コードの移動を捕捉し且つ前記コードの移動に起因する回転を抵抗付与部に伝達する挟着体と、
前記挟着体を内包するケースと、
を有する遮蔽装置。
【請求項２８】
前記ケースには、他の部材を外部に露出可能に構成された機能性開口部が設けられる、請求項２７に記載の遮蔽装置。
【請求項２９】
前記挟着体の回転軸が前記機能性開口部から前記ケースの外部に露出するように構成される、請求項２８に記載の遮蔽装置。
【請求項３０】
前記ケースの少なくとも上面が覆われている、請求項２７〜請求項２９のいずれか１項に記載の遮蔽装置。
【請求項３１】
前記ケースの少なくとも側面が覆われている、請求項２７〜請求項３０のいずれか１項に記載の遮蔽装置。
【請求項３２】
前記ケースは、前記抵抗付与部を覆うように構成される、請求項２７〜請求項３１のいずれか１項に記載の遮蔽装置。
【請求項３３】
前記コードの移動に伴い移動して前記コードを挟着可能な挟着体を前記ケース内に設け、前記挟着体を前記ケース外部から前記コードへの接触を解くよう移動操作可能な操作手段を備える、請求項２７〜請求項３２のいずれか１項に記載の遮蔽装置。
【請求項３４】
前記遮蔽装置はヘッドボクスを備え、
前記機能性開口部は、前記ヘッドボックスの底面で覆われるように構成される、請求項２７〜請求項３３のいずれか１項に記載の遮蔽装置。
【請求項３５】
前記遮蔽装置はヘッドボクスを備え、
前記機能性開口部は、前記ヘッドボックスの上部カバーで覆われるように構成される、請求項２７〜請求項３４のいずれか１項に記載の遮蔽装置。
【請求項３６】
前記ケースは、前記ヘッドボックス、前記ヘッドボックスのボックスキャップ又は前記ヘッドボックスのボックスカバーの少なくとも１つにより覆われる、請求項３４又は請求項３５に記載の遮蔽装置。
【請求項３７】
異なる太さのコードに対応したコード挟着範囲を備える挟着体を有する遮蔽装置。
【請求項３８】
前記挟着体は一対の挟着部材を備え、
前記一対の挟着部材がそれぞれ移動することにより、異なる太さのコードに対応したコード挟着範囲が実現される、請求項３７に記載の遮蔽装置。
【請求項３９】
前記一対の挟着部材が、第１の太さのコードを挟着するときにおける第１挟着位置と、前記第１の太さより太い第２の太さのコードを挟着するときにおける第２挟着位置であって前記２つのローラが前記第１挟着位置よりも互いに離間した第２位置と、の間を移動可能に構成される、請求項３８に記載の遮蔽装置。
【請求項４０】
一対の挟着体を備え、少なくとも一方の挟着体が異なる太さのコードをコードの長手方向に挟着又は解除状態になるよう移動可能に設けられ、太いコードに対応した解除位置でもコードとの接触を維持する維持手段を設けた、請求項３７に記載の遮蔽装置。
【請求項４１】
複数のコードの移動を捕捉する挟着体と、
前記挟着体に前記コードが捕捉される前に、前記複数のコードの向きを整える整列部材と、
前記コードの移動を制動する制動装置と、
を備え、
前記整列部材は、前記制動装置に設けられる、遮蔽装置。
【請求項４２】
前記整列部材は、前記挟着体に対して前記コードの上昇移動方向手前、下降移動方向手前、又は両方に設けられる、
請求項４１に記載の遮蔽装置。
【請求項４３】
前記制動装置の筐体面に前記コードの向きを整えるための開口部にコードを分ける部分が設けられる、
請求項４１〜請求項４２のいずれか１項に記載の遮蔽装置。
【請求項４４】
前記挟着体を内包するケースを備える、請求項４１〜請求項４３のいずれか１項に記載の遮蔽装置。
【請求項４５】
前記整列部材は、前記ケースに設けられ且つ前記ケースとは別部材して形成される、請求項４４に記載の遮蔽装置。
【請求項４６】
前記整列部材は、前記ケースと嵌合可能に構成される、請求項４５に記載の遮蔽装置。
【発明の詳細な説明】
【技術分野】
【０００１】
本発明は、遮蔽装置に関し、特に、コードの移動を適切に減速し得る場合に好適なものである。
【背景技術】
【０００２】
横型ブラインド、プリーツスクリーン、ハニカムシェード、ローマンシェード、ロールアップスクリーンのように昇降コードによる昇降機構について下降時に半自動化された遮蔽装置が実用されている。それは、ヘッドボックス内に昇降コード巻き取り機構を備え、その巻き取り軸の回転を遠心ガバナ等で制動するものである。閉状態とする場合には、操作用コード等により巻き取り軸の巻き戻し方向のストッパーによる停止を解除することで上昇位置にある遮蔽部材であるスラット及びボトムレールを半自動的に重力によりこれらのスラット及びボトムレールを下ろす。このとき、スラット及びボトムレールの下降に伴い移動する巻き取り軸に制動力を加えて、スラット及びボトムレールの下降する勢いを低減させる機構が実用されている。尚、横型ブラインド、プリーツスクリーン、ハニカムシェード、ローマンシェード、ロールアップスクリーンにおいては昇降コードを直接手等により引くことにより昇降する形式があるが、この形式において半自動的に制動させながら下降させる機構は実用されていない。【０００３】
下記特許文献１には、ヘッドボックス（１２）に支持された遮蔽材（１８）の昇降を行うために遮蔽材（１８）の下端に一端が連結され、他端がヘッドボックス（１２）内に導入された後、ヘッドボックス（１２）内を配設されて、ヘッドボックス（１２）から導出される昇降コード（１４）と、ヘッドボックス（１２）内に配置されて昇降コード（１４）の移動を拘束可能なストッパー装置（２０）と、ヘッドボックス（１２）内に配置されたブレーキ装置（２２）と、を備えるブラインドの昇降装置において、前記ブレーキ装置（２２）は、制動力を発生するブレーキ部（５４）と、ブレーキ部（５４）に連結される軸（５２）とによって構成され、前記昇降コード（１４）は軸（５２）の外周面に接触し、昇降コード（１４）の移動によって軸（５２）が回転してブレーキ部（５４）が作動し、前記ブレーキ部（５４）と軸（５２）との間には、遮蔽材（１８）の下降方向に対応する昇降コード（１４）の移動によってのみブレーキ部（５４）を作動させる一方向クラッチ装置（５８）が設けられたブラインドの昇降装置が開示されている（請求項２６参照）。
【先行技術文献】
【特許文献】
【０００４】
【特許文献１】特開２００５−３００８４号公報
【発明の概要】
【発明が解決しようとする課題】
【０００５】
上記特許文献１に記載の構成によれば、ブレーキ部に一方向クラッチバネが設けられているが上昇時の解除が十分なものではなかった。【０００６】
そこで、本発明は、下降時抵抗付与部への伝達及び上昇時の解除が十分可能な遮蔽装置を提供することを目的とする。
【課題を解決するための手段】
【０００７】
本発明によれば、コードの移動を捕捉し且つ前記コードの移動に起因する回転を抵抗付与部に伝達する挟着装置を備える遮蔽装置であって、前記抵抗付与部は、前記挟着装置を介して前記コードの移動に対して抵抗力を発生させることが可能であり、前記挟着装置は、前記コードの一方向への移動により一方向のみに回転を伝達して所定の制動力を発生させるワンウェイ機能を備える、遮蔽装置が提供される。【０００８】
以下、本発明の種々の実施形態を例示する。以下に示す実施形態は、互いに組み合わせ可能である。
好ましくは、前記コードの移動により昇降可能に吊持される日射遮蔽部材を備え、前記日射遮蔽部材の自重下降に伴う自動動作時に前記挟着装置が前記コードの変位に同期して前記コードの移動に起因する回転を前記抵抗付与部に伝達するように構成される。
好ましくは、前記自動動作時に、前記挟着装置が前記コードに同期して前記コードの移動に起因する回転を前記抵抗付与部に伝達し、前記コードの引き操作時には、（１）前記抵抗付与部の回転速度が一定速度以下で同期するが一定速度以上で同期しない、（２）前記抵抗付与部が一定トルク以下で同期するが一定トルク以上で同期しない、又は（３）前記コードの移動速度が一定速度以下で同期するが一定速度以上で同期しない、ように構成される。
好ましくは、前記挟着装置は、前記日射遮蔽部材の引き操作時に前記挟着体が前記コードの変位に同期して前記コードの移動に起因する回転を前記抵抗付与部に伝達しないように構成される。
好ましくは、前記挟着装置の変位によって前記挟着装置と前記コードの間に作用する摩擦力を変化させることにより、前記ワンウェイ機能を実現するように構成される。
好ましくは、前記挟着装置の変位により、前記コードの移動に起因する回転を前記抵抗付与部に伝達するか否かが切り替わるように構成される。
好ましくは、前記挟着装置は、前記コードを挟着する挟着体を備え、前記挟着体は、前記コードの移動方向に沿って移動し且つ前記コードに対して近接するように構成される。
好ましくは、前記挟着体と相対移動して、前記コードの移動方向に沿って移動し且つ前記コードに対して近接する斜面が設けられる。
好ましくは、前記挟着装置は、出力用挟着体及び捕捉用挟着体から構成され、前記コードの一方向移動時に、前記出力用挟着体を介して前記抵抗付与部に前記出力用挟着体の回転が伝達される伝達モードとなり、前記コードの他方向移動時に、前記捕捉用挟着体と前記出力用挟着体が相対移動して前記出力用挟着体の回転を抵抗付与部へ伝達しない非伝達モードとなるように構成される。
好ましくは、前記コードの移動に伴い、前記出力用挟着体と、前記出力用挟着体の回転を前記抵抗付与部に伝達する伝達部材と、の噛合を解除することなく前記コードへの挟着力を弱めるように構成される。
好ましくは、前記捕捉用挟着体は、前記出力用挟着体に対し離近方向に相対移動可能な相対移動挟着体である。
好ましくは、前記出力用挟着体と前記捕捉用挟着体とが前記コードを挟着して、前記抵抗付与部の抵抗力により前記出力用挟着体の回転抵抗により前記コードの変位を制動するように構成される。
好ましくは、前記非伝達モードは、前記出力用挟着体と前記捕捉用挟着体とが前記伝達モード時よりも離間した状態又は前記出力用挟着体の回転を前記抵抗付与部が所定の制動力を発生させることができない程度の接触状態であり、前記伝達モードは、前記出力用挟着体と前記捕捉用挟着体が前記非伝達モードよりも近接し、前記出力用挟着体に前記捕捉用挟着体の回転を伝達して前記抵抗付与部が所定の制動力を発生させ前記コードの変位を制動可能な状態である。
好ましくは、前記出力用挟着体が前記コードの移動に伴って移動する移動滑車であり、前記捕捉用挟着体が斜面であり、前記伝達モードでは、前記移動滑車と前記斜面が前記非伝達モードよりも近接するように構成される。
好ましくは、前記出力用挟着体と前記捕捉用挟着体が前記コードの移動に伴って移動する移動滑車と、前記移動滑車に対向するように設けられたベルトを備え、前記ベルトは、前記移動滑車が移動しても前記移動滑車と前記ベルトの間の距離が変化しないように配置される。
好ましくは、前記コードの移動に伴って移動し且つ前記出力用挟着体の回転に伴って回転する移動ギアと、前記移動ギアの回転を前記抵抗付与部に伝達する伝達ギアを備え、前記伝達モードでは、前記移動ギアと前記伝達ギアが前記非伝達モードよりも近接するように構成される。
好ましくは、前記出力用挟着体と前記捕捉用挟着体が前記コードの移動に伴って移動する一対の移動滑車で構成され、前記伝達モードでは、前記一対の移動滑車が前記非伝達モードよりも近接するように構成される。
好ましくは、前記一対の移動滑車が前記コードの移動に伴って、前記コードの移動方向に対して斜め方向に移動するように構成される。
好ましくは、前記出力用挟着体と前記捕捉用挟着体の少なくとも一方が回転カム機構によって前記コードの移動に伴って回動して前記出力用挟着体と前記捕捉用挟着体の間の距離が変化するように構成され、前記伝達モードでは、前記出力用挟着体と前記捕捉用挟着体が前記非伝達モードよりも近接するように構成される。
好ましくは、前記出力用挟着体と前記捕捉用挟着体の少なくとも一方が、内筒と、前記内筒を収容するように設けられ且つ前記内筒に対して摩擦係合する外筒を備え、前記内筒は、回転カム機構によって前記コードの移動に伴って回動して前記出力用挟着体と前記捕捉用挟着体の間の距離が変化するように構成され、前記外筒は、内筒の回動が係止された状態で前記外筒に前記摩擦係合による摩擦力を超えるトルクが加わったときに前記内筒に対して相対回転するように構成される。
好ましくは、前記外筒の回転に伴って回転するピニオンギアと、前記ピニオンギアの回転を前記抵抗付与部に伝達する伝達ギアを備え、前記ピニオンギアと前記伝達ギアは、常時噛み合うように配置される。
好ましくは、前記出力用挟着体と前記捕捉用挟着体の一方の回転に伴って他方が移動して前記出力用挟着体と前記捕捉用挟着体の間の距離が変化するように構成される。
好ましくは、前記出力用挟着体と前記捕捉用挟着体の少なくとも一方は、一対の挟着部材の間に前記コードを保持するように構成され、前記一対の挟着部材は、保持プレート又は紐状部材によって互いに連結されている。
好ましくは、前記出力用挟着体と前記捕捉用挟着体の少なくとも一方は、前記非伝達モードから前記伝達モードに移行する際に傾斜面に沿って重量の作用によって移動するように構成される。
好ましくは、前記出力用挟着体と前記捕捉用挟着体の少なくとも一方は、移動滑車で構成され、前記移動滑車は、傾斜面に沿って案内される。
好ましくは、前記挟着体の内部にワンウェイクラッチを備えることにより、前記ワンウェイ機能が実現される。
好ましくは、コードの移動を捕捉し且つ前記コードの移動に起因する回転を抵抗付与部に伝達する挟着体と、前記挟着体を内包するケースと、を有する遮蔽装置が提供される。
好ましくは、前記ケースには、他の部材を外部に露出可能に構成された機能性開口部が設けられる。
好ましくは、前記挟着体の回転軸が前記機能性開口部から前記ケースの外部に露出するように構成される。
好ましくは、前記ケーの少なくとも上面が覆われている。
好ましくは、前記ケースの少なくとも側面が覆われている。
好ましくは、前記ケースは、前記抵抗付与部を覆うように構成される。
好ましくは、前記コードの移動に伴い移動して前記コードを挟着可能な挟着体を前記ケース内に設け、前記挟着体を前記ケース外部から前記コードへの接触を解くよう移動操作可能な操作手段を備える。
好ましくは、前記遮蔽装置はヘッドボクスを備え、前記機能性開口部は、前記ヘッドボックスの底面で覆われるように構成される。
好ましくは、前記遮蔽装置はヘッドボクスを備え、前記機能性開口部は、前記ヘッドボックスの上部カバーで覆われるように構成される。
好ましくは、前記ケースは、前記ヘッドボックス、前記ヘッドボックスのボックスキャップ又は前記ヘッドボックスのボックスカバーの少なくとも１つにより覆われる。
好ましくは、異なる太さのコードに対応したコード挟着範囲を備える挟着体を有する遮蔽装置が提供される。
好ましくは、前記挟着体は一対の挟着部材を備え、前記一対の挟着部材がそれぞれ移動することにより、異なる太さのコードに対応したコード挟着範囲が実現される。
好ましくは、前記一対の挟着部材が、第１の太さのコードを挟着するときにおける第１挟着位置と、前記第１の太さより太い第２の太さのコードを挟着するときにおける第２挟着位置であって前記２つのローラが前記第１挟着位置よりも互いに離間した第２位置と、の間を移動可能に構成される。
好ましくは、一対の挟着体を備え、少なくとも一方の挟着体が異なる太さのコードをコードの長手方向に挟着又は解除状態になるよう移動可能に設けられ、細いコードに対応した解除位置でもコードとの接触を維持する維持手段を設けた。
好ましくは、複数のコードの移動を捕捉する挟着体と、前記挟着体に前記コードが捕捉される前に、前記複数のコードの向きを整える整列部材と、前記コードの移動を制動する制動装置と、備え、前記整列部材は、前記制動装置に設けられる。
好ましくは、前記整列部材は、前記挟着体に対して前記コードの上昇移動方向手前、下降移動方向手前、又は両方に設けられる。
好ましくは、前記制動装置の筐体面に前記コードの向きを整えるための開口部にコードを分ける部分が設けられる。
好ましくは、前記挟着体を内包するケースを備える。
好ましくは、前記整列部材は、前記ケースに設けられ且つ前記ケースとは別部材して形成される。
好ましくは、前記整列部材は、前記ケースと嵌合可能に構成される。
【発明の効果】
【０００９】
このような遮蔽装置によれば、挟着体がワンウェイ機能を備えることにより、従来のようにワンウェイクラッチ（一方向クラッチ）を別途設ける構成と比べて、部品数を低減し、装置の体積を小さくすることができる。なお、コードの引き操作時にコードが他方向に移動する際には、（１）挟着体（例：挟着ローラ）が全く回転しない、（２）挟着体がわずかに回転するが、制動力を発生させる程度ではない、（３）コードの移動に同期して挟着体が回転するが、挟着体と抵抗付与部の間で回転の伝達が遮断されて制動力を発生させない、の何れであってもよい。
また、コードの引き操作時には、（１）前記抵抗付与部の回転速度が一定速度以下で同期するが一定速度以上で同期しない、（２）前記抵抗付与部が一定トルク以下で同期するが一定トルク以上で同期しない、又は（３）前記コードの移動速度が一定速度以下で同期するが一定速度以上で同期しない形態であってもよい。挟着体にコードが挟着されている状態でコードの引き操作を開始すると、コードの引き操作を開始した瞬間には、抵抗付与部に回転が伝達される場合があるが、そのような場合でも、ある程度の速さ及び／又は強さでコードの引き操作を行うと、コードの移動による回転が抵抗付与部に同期しなくなるので、制動力が発生しない。従って、このような場合も本発明の範囲内に含まれる。
【図面の簡単な説明】
【００１０】
【図１】本発明の第１実施形態に係る制動装置を示す斜視図である。
【図２】図１の制動装置を別の角度から見る図である。
【図３】図１に示すカバーを外した様子を示す図である。
【図４】図３を図２と同じ視点から見た図である。
【図５】図３のブラケットを示す斜視図である。
【図６】図３のブラケットを外した様子を示す図である。
【図７】図６の平面図である。
【図８】図７の張力伝達ローラ、アイドルローラを外した様子を示す平面図である。
【図９】制動装置の動作を示す図である。
【図１０】第１実施形態に係る日射遮蔽装置を示す図である。
【図１１】本発明の第２実施形態に係る制動装置１０００の分解斜視図であり、（ａ）は前方上側から見た図、（ｂ）は後方上側から見た図である。
【図１２】本発明の第２実施形態に係る制動装置１０００の分解斜視図であり、（ａ）は前方下側から見た図、（ｂ）は後方下側から見た図である。
【図１３】ウェイト３４０に突起３４１を設ける代わりに、ベースに溝７０９を設けた例を表す図であり、（ａ）は平面図、（ｂ）はＳ−Ｓ線切断部断面図である。
【図１４】本発明の第２実施形態に係る制動装置１０００の組立図であり、（ａ）は前方斜視図、（ｂ）は後方斜視図、（ｃ）は左側面図である。
【図１５】本発明の第２実施形態に係る制動装置１０００の組立図であり、（ａ）は平面図、（ｂ）は底面図である。
【図１６】本発明の第２実施形態に係る制動装置１０００からケース１０Ａを除いた組立図であり、（ａ）は前方斜視図、（ｂ）は後方斜視図である。
【図１７】図１６からさらにスライダー２２０を除いた組立図であり、（ａ）は前方斜視図、（ｂ）は後方斜視図である。
【図１８】図１７からさらに内歯付キャリア２６０を除いた組立図であり、（ａ）は前方斜視図、（ｂ）は後方斜視図である。
【図１９】本発明の第２実施形態に係るローレット２４０、スライダー２２０及びピニオンギア５０の位置関係を示す断面図であり、制動装置１０００の左側面から見て軸芯３１の略中心を通る断面図の一部である。
【図２０】本発明の第２実施形態に係る整列部材２００を表す図であり、（ａ）は斜視図、（ｂ）は正面図である。
【図２１】本発明の第２実施形態に係るケース１０Ａを表す図であり、（ａ）は前方斜視図、（ｂ）は後方斜視図である。
【図２２】本発明の第２実施形態に係るケース１０Ａを表す図であり、（ａ）は平面図、（ｂ）は下側から見た斜視図である。
【図２３】本発明の第２実施形態に係るスライダー２２０を表す図であり、（ａ）は前方斜視図、（ｂ）は下側から見た後方斜視図、（ｃ）は平面図である。
【図２４】本発明の第２実施形態に係るケース１０Ａ及びスライダー２２０を表す図であり、（ａ）は下側から見た斜視図、（ｂ）は上側から見た斜視図である。
【図２５】本発明の第２実施形態に係るケース１０Ａ及びスライダー２２０以外の部材を表す分解斜視図である。
【図２６】図１４（ｃ）のＡ−Ａ線切断部断面図である。
【図２７】図１５（ａ）のＢ−Ｂ線切断部断面図である。
【図２８】図２６を用いて本発明の制動装置１０００がコードＣＤを制動する様子を示す図であり、（ａ）はコードＣＤに何ら張力が与えられない状態（定常状態）、（ｂ）はコードＣＤに張力が与えられ、ローレット２４０及びローラ部４２でコードＣＤが挟着された状態（挟着状態）、（ｃ）は（ａ）から（ｂ）へ状態変化する際における各部材の回転方向をまとめた図である。
【図２９】図２８に対応するスライダー２２０の移動の様子を表す図である。
【図３０】異なる太さのコードＣＤを挟着する様子を表した図であり、（ａ）は第１の太さのコードＣＤを、（ｂ）は第２の太さのコードＣＤを挟着する様子を表わす。ここで、第２の太さは、第１の太さよりも太い。また、実線は定常状態を、点線は挟着状態を表す。
【図３１】他のケース１０Ｄを表す斜視図であり、（ａ）は前方斜視図、（ｂ）は後方斜視図である。
【図３２】本発明の第３実施形態に係る制動装置４０００をコードと垂直な方向から見た概略図である。
【図３３】図３２の制動装置４０００をＣ−Ｃ線で切断したときの狭着体を示す概略平面図である。
【図３４】（ａ）は図３２の制動装置４０００をＤ−Ｄ線で切断したときの端面図であり、（ｂ）は同図の制動装置４０００をＥ−Ｅ線で切断した時の断面図である。
【図３５】図３２の制動装置４０００の抵抗付与部ＲＡの遠心ブレーキ４８０を示す概略平面図である。
【図３６】図３２の制動装置４０００の狭着体がコードＣＤを制動する様子を示す説明図であり、（ａ）は挟着体がコードＣＤを挟着した状態、（ｂ）は狭着体によるコードＣＤの狭着が解除された状態を示す。
【図３７】図３２の制動装置４０００の運動変換部ＤＴの動作を示す説明図であり、（ａ）は図３６（ａ）に対応する状態を示し、（ｂ）は図３６（ｂ）に対応する状態を示す。
【図３８】図３２の制動装置４０００の変形例１に係る狭着体を示す概略図であり、図３６に示す各状態に対応する状態を示す。
【図３９】図３２の制動装置４０００の変形例２に係る狭着体を示す概略図であり、図３６に示す各状態に対応する状態を示す。
【図４０】図３２の制動装置４０００の変形例３に係る狭着体を示す概略図であり、（ａ）は解除状態を、（ｂ）は挟着状態を表す図である。
【図４１】本発明の第４実施形態に係る制動装置５０００の斜視図である。
【図４２】制動装置５０００の平面図である。
【図４３】制動装置５０００の正面図であり、（ａ）は挟着状態を、（ｂ）は解除状態を表す図である。
【図４４】図４３のＰ−Ｐ線断面図である。
【図４５】内筒４２Ａを外筒２４０Ａへ圧入する様子を表す図であり、（ａ）は圧入前、（ｂ）は圧入後である。
【図４６】内筒４２Ａの表面に弾性部４２Ａａを設ける例を表す図である。
【図４７】内筒４２Ａにバネ部材４２Ａｂを設ける例を表す図である。
【図４８】本発明の第４実施形態の変形例１に係る制動装置５０００を表す図である。
【図４９】本発明の第４実施形態の変形例２に係る制動装置６０００を表す図であり、（ａ）は挟着状態を、（ｂ）は解除状態を表す図である。
【図５０】図４９のＦ−Ｆ線断面図である。
【図５１】本発明の第４実施形態の変形例３に係る制動装置７０００を表す図であり、（ａ）は正面図、（ｂ）は右側面図である。
【図５２】本発明の第４実施形態の変形例４に係る制動装置８０００を示す説明図であり、（ａ）は挟着体がコードＣＤを挟着した状態、（ｂ）は狭着体によるコードＣＤの狭着が解除された状態を示す。
【図５３】図５２（ａ），（ｂ）の制動装置８０００をそれぞれ同図のＪ−Ｊ線で切断したときの断面図である。
【図５４】図５２（ａ），（ｂ）の制動装置８０００をそれぞれ同図のＫ−Ｋ線で切断したときの断面図である。
【図５５】本発明の第５実施形態に係る運動変換部に用いられる部材を示す図であり、（ａ）はプレート８００によりローレット２４０及びローラ部４２が連結される様子を表し、（ｂ）は紐状部材９００によりローレット２４０及びローラ部４２が連結される様子を表す。
【図５６】図５５（ｂ）の部材がコードＣＤを挟着する状態を矢印Ｚ方向から見た模式図である。
【図５７】本発明の第５実施形態に係る運動変換部によりコードＣＤが制動される様子を示す図であり、（ａ）は自由移動状態、（ｂ）は挟着状態を示す図である。
【図５８】本発明の第６実施形態に係る他の運動変換部によりコードＣＤが制動される様子を示す図であり、（ａ）は自由移動状態、（ｂ）は挟着状態を示す図である。
【図５９】本発明の第７実施形態に係る他の運動変換部によりコードＣＤが制動される様子を示す図である。
【発明を実施するための形態】
【００１１】
以下、本発明に係る制動装置、及び、それを用いた日射遮蔽装置の好適な実施形態について図面を参照しながら詳細に説明する。
【００１２】
＜第１の観点＞
ここで、本発明の第１の観点に係る遮蔽装置は、コードの移動を捕捉し且つ前記コードの移動に起因する回転を抵抗付与部に伝達する挟着体を備える遮蔽装置であって、前記抵抗付与部は、前記コードの移動に対して抵抗力を発生させ、前記挟着体は、一方向のみに回転を伝達するワンウェイ機能を備える、遮蔽装置である。これにより、下降時抵抗付与部への伝達及び上昇時の解除が十分可能となる。
【００１３】
＜第２の観点＞
また、本発明の第２の観点に係る遮蔽装置は、コードの移動を捕捉し且つ前記コードの移動に起因する回転を抵抗付与部に伝達する挟着体と、前記挟着体を内包するケースと、を有する遮蔽装置である。これにより、ケースへの埃等の異物の進入を防止することができる。
【００１４】
＜第３の観点＞
また、本発明の第３の観点に係る遮蔽装置は、異なる太さのコードに対応したコード挟着範囲を備える挟着体を有する遮蔽装置である。これにより、装置の構成を変えることなく、異なる太さのコードＣＤを挟着することが可能となる。
【００１５】
＜第４の観点＞
また、本発明の第４の観点に係る遮蔽装置は、複数のコードの移動を捕捉する挟着体と、前記挟着体に前記コードが捕捉される前に、前記複数のコードの向きを整える整列部材と、を有する遮蔽装置である。これにより、コードがもつれた状態で挟着されることを防止することが可能となる。
【００１６】
１．第１実施形態：第１の観点〜第４の観点
＜制動装置＞
図１は、本発明の第１実施形態に係る制動装置を示す斜視図であり、図２は、図１の制動装置を別の角度から見る図である。図１、図２に示すように、本実施形態の制動装置ＢＤは、運動変換部ＤＴと抵抗付与部ＲＡとが前後方向に連結されて成る。ここで、図１に示すように、抵抗付与部ＲＡから運動変換部ＤＴに至る方向を前側とし、前後方向を基準として、左右方向（幅方向）、上下方向を定める。ただし、これらの方向は本明細書において便宜的に使用するものであり、制動装置の使用状態がこれらの方向通りになっていることを意味するものではない。
【００１７】
運動変換部ＤＴは筐体の一部を形成するベース７０と、ベース７０に固定され筐体の他の一部を形成するカバー１０を備える。
【００１８】
ベース７０は、概ね平板状の部材とされ、外形が概ね正方形の形状とされる。ベース７０の角部には、ねじ孔が形成されている。
【００１９】
カバー１０は、外形がベース７０よりも小さな概ね正方形の天壁部１１と、天壁部１１の外周全体に接続され天壁部１１から下側に延在する側壁部１２と、側壁部１２の天壁部１１側と反対側である下側の縁に接続される鍔部１３と、鍔部１３に連結される固定用支柱１８とを主な構成として有する。
【００２０】
側壁部１２のうち前方の部位には、複数のガイド孔１４ａ〜１４ｃが形成されている。また、側壁部１２のうち後方の部位には、複数のガイド孔１５ａ〜１５ｃが形成されており、複数のガイド孔１５ａ〜１５ｃは複数のガイド孔１４ａ〜１４ｃと前後方向に対向している。これらのガイド孔１４ａ〜１４ｃ及びガイド孔１５ａ〜１５ｃはコードＣＤが前後方向に挿通されるための孔であり、ガイド孔１４ａとガイド孔１５ａとにコードＣＤが挿通されても良く、ガイド孔１４ｂとガイド孔１５ｂとにコードＣＤが挿通されても良く、ガイド孔１４ｃとガイド孔１５ｃとにコードＣＤが挿通されても良い。また、上記ガイド孔の組み合わせの２つ以上のそれぞれにコードＣＤが挿通されても良い。なお、図１、図２では、ガイド孔１４ａとガイド孔１５ａとに破線で示すコードＣＤが挿通されている様子を示している。
【００２１】
天壁部１１には、第１天壁溝１６と第２天壁溝１７とが形成されており、本実施形態では、第１天壁溝１６及び第２天壁溝１７は溝状に形成された開口とされる。第１天壁溝１６と第２天壁溝１７は、それぞれコードＣＤの長手方向すなわち前後方向に対して斜めに形成されており、コードＣＤの一方の長手方向である前方に向かうにつれて、第１天壁溝１６と第２天壁溝１７との距離が小さくされている。また、第１天壁溝１６は、円弧状に形成されており、第２天壁溝１７は直線状に形成されている。なお、第２天壁溝１７の形状は直線状に限定されず、曲線状にしてもよい。また、第１天壁溝１６と略同一形状とし、互いに同じ向きに湾曲するように設けても良い。
【００２２】
鍔部１３は、側壁部１２から外周側に延在する部位であり、外周の形及び大きさがカバー１０のベース７０の外周の形及び大きさと概ね一致する。また鍔部１３のそれぞれの角部には、ねじ孔１３Ｈが形成されている。
【００２３】
また、鍔部１３のそれぞれの角部には固定用支柱１８が接続されている。固定用支柱１８には、不図示のねじ孔が上下方向に形成されており当該ねじ孔は、鍔部１３に形成されるねじ孔１３Ｈと貫通している。そして、図１、図２に示すように、固定用ねじＳ１がベースを介して固定用支柱１８に螺合しており、カバー１０はベース７０上に固定されている。
【００２４】
また、運動変換部ＤＴと抵抗付与部ＲＡとは、連結プレートＣＰが運動変換部ＤＴ及び抵抗付与部ＲＡに連結用ねじＳ２で固定されることにより、互いに固定されている。
【００２５】
図３は、図１に示すカバー１０を外した様子を示す図であり、図４は、図３を図２と概ね同じ視点から見た図である。図３、図４に示すようにカバー１０内には、張力伝達ローラ３０と、支柱としてのアイドルローラ４０と、張力伝達ローラ３０及びアイドルローラ４０を保持するブラケット２０（スライダー２０とも言う。以下、スライダー２０という用語を用いて説明する）とが収納されている。なお、張力伝達ローラ３０及びアイドルローラ４０により、本実施形態の挟着体が形成される。
【００２６】
図５はスライダー２０を示す斜視図である。図３〜図５に示すように、スライダー２０は、天壁部２１と、天壁部２１に連結される奥側壁部２２及び前側壁部２４と、奥側壁部２２及び前側壁部２４のそれぞれに連結される底壁部２３とを有する。
【００２７】
天壁部２１は概ね矩形の形状に一対の溝が形成された形状とされる。これら一対の溝はそれぞれ第１天壁溝２６及び第２天壁溝２７とされる。第１天壁溝２６及び第２天壁溝２７は、それぞれ幅方向に沿って延在する直線状の溝とされ、互いに直線上に並んでいる。
【００２８】
本実施形態では、底壁部２３は概ね天壁部２１と同じ形状とされる。なお、当然の事ながら、底壁部２３と天壁部２１を異なる形状としてもよい。従って、底壁部２３にも幅方向に直線上に並んで形成される一対の溝が形成されており、これら一対の溝はそれぞれ第１底壁溝２８及び第２底壁溝２９とされる。第１底壁溝２８が第１天壁溝２６と上下方向に対向しており、第２底壁溝２９が第２天壁溝２７と上下方向に対向している。なお、第１天壁溝２６、第２天壁溝２７、第１底壁溝２８及び第２底壁溝２９の少なくとも１つを、天壁部２１又は底壁部２３の側面まで切り欠かない孔としてもよい。この場合、軸芯３１又は軸芯４１をその孔に差し込むようにして部材を組み立てることとなる。
【００２９】
奥側壁部２２には、貫通孔２５が形成されている。貫通孔２５は、奥側壁部２２の幅方向の略中央において奥側壁部２２を前後方向に貫通する。孔の形状は、上下方向に長い略長方形の形状とされる。また、図４に示すように、貫通孔２５の両脇には、奥側壁部２２の外側面から形成される非貫通孔２２Ｈが形成されている。非貫通孔２２Ｈは、概ね円形の形状とされる。なお、非貫通孔２２Ｈの形状はこれに限定されず、コイルスプリングＳＰを挿入したときに凹まないような構造であれば任意の形状とすることができる。それぞれの非貫通孔２２Ｈ内には、コイルスプリングＳＰが挿入されており、コイルスプリングＳＰの一端は非貫通孔２２Ｈから突出している。なお、図４ではコイルスプリングＳＰの非貫通孔２２Ｈから突出している部分を省略している。
【００３０】
前側壁部２４の幅は、天壁部２１及び奥側壁部２２の幅の半分以下とされる。従って、スライダー２０における天壁部２１と奥側壁部２２とで挟まれる前側壁部２４の横の領域は大きく開口している。
【００３１】
このような形状のスライダー２０の幅方向の大きさは、カバー１０の幅方向の内壁間の距離と概ね同じであり、スライダー２０の前後方向の大きさは、カバー１０の前後方向の内壁間の距離よりも小さくされる。従って、スライダー２０がカバー１０の空間内に配置されると、スライダー２０の天壁部２１及び底壁部２３の側面がスライダー２０の幅方向において内壁面に当接して、スライダー２０はカバー１０に対して幅方向に動きが規制される。この状態において、カバー１０のガイド孔１４ａ〜１４ｃ及びガイド孔１５ａ〜１５ｃと貫通孔２５とが互いに前後方向に並ぶ。つまり、貫通孔２５は、コードＣＤをスライダー２０内に挿通するための孔である。一方、スライダー２０がカバー１０の空間内に配置された状態で、スライダー２０とカバー１０の内壁面との間には、前後方向に隙間が生じ、スライダー２０はカバー１０に対して前後方向に動くことができる。また、スライダー２０がカバー１０の空間内に配置された状態で、スライダー２０の奥側壁部２２の非貫通孔２２Ｈから突出するコイルスプリングＳＰがカバー１０の後方の内壁を押圧する。従って、スライダー２０がカバー１０の空間内に配置された状態で、スライダー２０は、前方側に位置して、側壁部１２のガイド孔１４ａ〜１４ｃが形成されている側の内壁に押圧された状態となる。
【００３２】
図６は、図３のスライダー２０を外した様子を示す図であり、図７は、図６の平面図である。図６、図７に示すように、張力伝達ローラ３０は、軸芯３１と軸芯３１の外周面を覆うローラ部３２とを有する。ローラ部３２の外周面は金属の平坦な面よりも摩擦係数が高い状態とされる。このような状態とされるには、例えば、ローラ部３２の外周面がゴム等の摩擦係数の高い素材から形成されたり、ローラ部３２の外周面にローレット加工が施されたりする。軸芯３１の両端部は、ローラ部３２から露出している。
【００３３】
また、アイドルローラ４０は、張力伝達ローラ３０の軸芯３１と平行な軸芯４１と、軸芯４１の外周面を覆うローラ部４２とを有する。従って、張力伝達ローラ３０の回転軸とアイドルローラ４０の回転軸とは互いに平行とされる。アイドルローラ４０のローラ部４２の外径は、張力伝達ローラ３０のローラ部３２の外径よりも大きくされている。アイドルローラ４０のローラ部４２の外周面は、張力伝達ローラ３０のローラ部３２の外周面と同様にして、金属の平坦な面よりも摩擦係数が高い状態とされる。また、軸芯４１の両端部は、ローラ部４２から露出している。
【００３４】
また、図３、図４に示すように、張力伝達ローラ３０のローラ部３２及びアイドルローラ４０のローラ部４２は、スライダー２０に収容される。つまり、ローラ部３２及びローラ部４２は、スライダー２０の天壁部２１と底壁部２３とにより挟まれる。この状態で、張力伝達ローラ３０の軸芯３１の一端側はスライダー２０の第１天壁溝２６内に移動可能に嵌まると共にスライダー２０の天壁部２１から上方に突出し、軸芯３１の他端側はスライダー２０の第１底壁溝２８内に移動可能に嵌まると共にスライダー２０の底壁部２３から下方に突出する。また、上記状態で、アイドルローラ４０の軸芯４１の一端側はスライダー２０の第２天壁溝２７内に移動可能に嵌まると共にスライダー２０の天壁部２１から上方に突出し、軸芯４１の他端側はスライダー２０の第２底壁溝２９内に移動可能に嵌まると共にスライダー２０の底壁部２３から下方に突出する。上記のように、第１天壁溝２６、第２天壁溝２７、第１底壁溝２８、第２底壁溝２９は、幅方向に直線上に延在するため、第１天壁溝２６と第１底壁溝２８に軸芯３１が移動可能に嵌まる張力伝達ローラ３０は、スライダー２０に対し幅方向に移動することができ、同様に第２天壁溝２７と第２底壁溝２９に軸芯４１が移動可能に嵌まるアイドルローラ４０は、スライダー２０に対し幅方向に移動することができる。
【００３５】
なお、特に図示しないが、張力伝達ローラ３０のローラ部３２と天壁部２１や底壁部２３との間、アイドルローラ４０のローラ部４２と天壁部２１や底壁部２３との間には、摩擦を低減するためのポリスライダー等が介在しても良い。
【００３６】
また、張力伝達ローラ３０のローラ部３２及びアイドルローラ４０のローラ部４２が上記のようにスライダー２０に収容された状態で、上記のようにスライダー２０がカバー１０の空間内に収容されると、図１、図２に示すように、張力伝達ローラ３０の軸芯３１の一端がカバー１０の天壁部１１に形成された第１天壁溝１６内に移動可能に嵌まり、アイドルローラ４０の軸芯４１の一端がカバー１０の天壁部１１に形成された第２天壁溝１７内に移動可能に嵌まる。
【００３７】
図６、図７に示すように、張力伝達ローラ３０の軸芯３１における他端側には、ピニオンギア５０が固定されている。当該固定は圧入等によりなされている。従って、ピニオンギア５０は、張力伝達ローラ３０の回転軸を中心として張力伝達ローラ３０と共に回転する。また、ピニオンギア５０と張力伝達ローラ３０との間はスライダー２０の底壁部２３が介在できる程度に離間しており、上記のように張力伝達ローラ３０のローラ部３２がスライダー２０に収容された状態で、ピニオンギア５０はスライダー２０の外に位置する。なお、特に図示しないが、ピニオンギア５０とスライダー２０の底壁部２３との間には、摩擦を低減するためのポリスライダー等が介在しても良い。
【００３８】
図８は、図７の状態から張力伝達ローラ３０及びアイドルローラ４０を外した様子を示す平面図である。図８に示すように、ベース７０には、第１ベース溝７６及び第２ベース溝７７が形成されており、本実施形態では、第１ベース溝７６及び第２ベース溝７７は共に溝状の開口とされる。第１ベース溝７６は、カバー１０の天壁部１１に形成される第１天壁溝１６と対向し第１天壁溝１６と同一形状とされ、第２ベース溝７７は、カバー１０の天壁部１１に形成される第２天壁溝１７と対向し第２天壁溝１７と同一形状とされる。
【００３９】
ベース７０上にはリングギア６０が配置される。ベース７０には不図示の円形の溝が形成されており、リングギア６０は当該円形の溝に沿って回動可能とされる。従って、リングギア６０は前後方向や幅方向に移動することが妨げられている。また、リングギア６０を平面視する場合に、リングギア６０の内周面は、カバー１０の天壁部１１に形成された第１天壁溝１６及びベース７０に形成される第１ベース溝７６に沿っている。つまり、リングギア６０を平面視する場合に、第１天壁溝１６及び第１ベース溝７６の円弧の中心と、リングギア６０の内周面の中心とが互いに一致する。また、リングギア６０の内周面には内周ギア６１が設けられており、リングギア６０の外周面には外周ギア６２が設けられている。つまり、上記内周面は内周ギア６１の基準円とされる。
【００４０】
また、ベース７０の角部にはねじ孔７３が形成されている。このねじ孔７３に図１、図２に示すように固定用ねじＳ１が螺入されて、上記のように固定用ねじＳ１がカバー１０の固定用支柱１８に螺合して、カバー１０はベース７０上に固定される。上記のように張力伝達ローラ３０のローラ部３２及びアイドルローラ４０のローラ部４２が収容されたスライダー２０がカバー１０内に収容され、カバー１０がベース７０上に固定されると、ピニオンギア５０がリングギア６０の内周ギア６１に歯合すると共に、張力伝達ローラ３０の軸芯３１の他端がベース７０に形成された第１ベース溝７６内に移動可能に嵌まる。更に、この状態で、アイドルローラ４０の軸芯４１の他端がベース７０に形成された第２ベース溝７７内に移動可能に嵌まる。なお、上記のように、リングギア６０の内周がカバー１０の第１天壁溝１６及びベース７０の第１ベース溝７６に沿っているため、張力伝達ローラ３０の軸芯３１が第１天壁溝１６内及び第１ベース溝７６内を移動する場合であっても、ピニオンギア５０とリングギア６０の内周ギア６１との歯合は維持される。ここで、リングギア６０の内周がカバー１０の第１天壁溝１６及びベース７０の第１ベース溝７６に沿っている例について説明したが、リングギア６０の内周が第１天壁溝１６及び第１ベース溝７６が全範囲に渡って沿っている必要はない。例えば、後述する図９において、少なくとも張力伝達ローラ３０とアイドルローラ４０が近接したときにピニオンギア５０とリングギア６０が歯合するように、リングギア６０の内周が第１天壁溝１６及びベース７０の第１ベース溝７６の少なくとも前方の一部に沿っている構成としてもよい。
【００４１】
抵抗付与部ＲＡは、上記のように運動変換部ＤＴに連結プレートＣＰにより連結されている。抵抗付与部ＲＡは、ベース８０と、天板８３と、ベース８０と天板８３との間に配置されるギア８２とを備える。また、抵抗付与部ＲＡは、ベース８０と天板８３との間に不図示のトルク付与部が設けられており、ギア８２にはトルク付与部から回転抵抗が付与される。例えば、抵抗付与部ＲＡは、ギア８２に常に回転抵抗が付与される構成とされ、例えば回転ダンパとされる。回転ダンパの構成としては、ギア８２の外周で囲まれる領域に粘性オイルが封止されており、ギア８２が回転すると当該粘性オイルのせん断抵抗により回転抵抗がギア８２に付与される構成を挙げることができる。また例えば、抵抗付与部ＲＡは、ギア８２の回転速度が所定値以上となる場合に回転抵抗が付与される構成とされ、例えば遠心ブレーキとされる。遠心ブレーキとしては、ギア８２の外周内にギア８２と共に回転するブレーキシューが径方向に移動可能に設けられ、ギア８２が所定の速度以上で回転する場合に遠心力でブレーキシューが外周側に移動して、ブレーキシューと他の部材と摩擦力等により回転抵抗が付与される構成を挙げることができる。
【００４２】
また、抵抗付与部ＲＡと運動変換部ＤＴとが連結された状態で、ギア８２とリングギア６０の外周ギア６２とが歯合している。従って、リングギア６０が回転する場合、抵抗付与部ＲＡのギア８２が回転することで、ギア８２からリングギア６０に回転抵抗が付与される。
【００４３】
＜制動装置ＢＤの動作＞
次に、制動装置ＢＤの動作について説明する。
【００４４】
まず、コードＣＤに何ら張力が与えられない状態とする。上記のように、コイルスプリングＳＰは、カバー１０の後方の内壁とスライダー２０とを押圧して、カバー１０に対してスライダー２０を前方に付勢する。従って、スライダー２０はカバー１０内の前方に位置する。スライダー２０がカバー１０の前方に位置する場合、スライダー２０と共に張力伝達ローラ３０及びアイドルローラ４０もカバー１０内の前方に位置する。上記のように、第１天壁溝１６と第２天壁溝１７とは、前方に向かうにつれて距離が小さくされ、第１ベース溝７６と第２ベース溝７７とは、第１天壁溝１６及び第２天壁溝１７と同様に前方に向かうにつれて距離が小さくされる。従って、スライダー２０がカバー１０内の前方に位置することで、軸芯３１が第１天壁溝１６及び第１ベース溝７６に嵌まっている張力伝達ローラ３０と、軸芯４１が第２天壁溝１７及び第２ベース溝７７に嵌まっているアイドルローラ４０との距離も小さくなる。つまり、第１天壁溝１６及び第１ベース溝７６は、張力伝達ローラ３０の軸芯３１が移動可能に嵌合し張力伝達ローラ３０の溝に沿わない動きを規制する規制溝と理解でき、第２天壁溝１７及び第２ベース溝７７は、アイドルローラ４０の軸芯４１が移動可能に嵌合しアイドルローラ４０の溝に沿わない動きを規制する規制溝と理解できる。また、第１天壁溝１６及び第１ベース溝７６は、リングギア６０の内周面と平面視において同心円上に形成されるため、軸芯３１がそれぞれの溝内を移動しても、ピニオンギア５０はリングギア６０の内周ギア６１に歯合し続けることができる。
【００４５】
このように張力伝達ローラ３０とアイドルローラ４０との距離が小さくなると、張力伝達ローラ３０はアイドルローラ４０に押圧され、張力伝達ローラ３０のローラ部３２とアイドルローラ４０のローラ部４２とにコードＣＤが狭持される。つまり、本実施形態では、コイルスプリングＳＰは、張力伝達ローラ３０がアイドルローラ４０に押圧されるように張力伝達ローラ３０を常時付勢する付勢部材と理解することができる。なお、コードＣＤが張力伝達ローラ３０とアイドルローラ４０とにより狭持された状態で、コードＣＤの径だけ張力伝達ローラ３０とアイドルローラ４０とが離間する。このため、第１天壁溝１６及び第２天壁溝１７の構造、及び、第１ベース溝７６及び第２ベース溝７７の構造により、スライダー２０は僅かに後方に位置する。
【００４６】
なお、コードＣＤが張力伝達ローラ３０とアイドルローラ４０とに狭持されていない場合、カバー１０のガイド孔１４から治具を挿入して張力伝達ローラ３０とアイドルローラ４０とを離間したり、カバー１０の第１天壁溝１６や第２天壁溝１７及びベース７０の第１ベース溝７６や第２ベース溝７７から露出する軸芯３１，４１をコイルスプリングＳＰの力に抗して後方に移動させて、張力伝達ローラ３０とアイドルローラ４０とを離間したり、ガイド孔１４ａ〜１４ｃからガイド孔１５ａ〜１５ｃにコードＣＤを挿入する。
【００４７】
図９は、制動装置ＢＤの動作を示す図である。上記のように、コードＣＤに何ら張力が与えられない状態から、コードＣＤに張力を与えて、図９において矢印Ａで示すように、コードＣＤを長手方向に沿って前方に移動させる。つまり、コードＣＤを前方に引っ張る。すると、コイルスプリングＳＰの押圧力によりコードＣＤを狭持する張力伝達ローラ３０およびアイドルローラ４０が回転する。張力伝達ローラ３０が回転すると、図９において矢印Ｂで示すように、ピニオンギア５０も回転し、ピニオンギア５０がリングギア６０の内周に沿った一方の回転方向（上記ピニオンギア５０が回転する回転方向とは逆側の回転方向）に沿って移動する。ただし、コードＣＤに何ら張力が与えられない状態において、張力伝達ローラ３０とアイドルローラ４０でコードＣＤを狭持しているため、ピニオンギア５０の当該移動量は僅かである。張力伝達ローラ３０が移動すると、第１天壁溝１６及び第２天壁溝１７の構造、及び、第１ベース溝７６及び第２ベース溝７７の構造により、張力伝達ローラ３０とアイドルローラ４０とが互いに近づき合いより強固にコードＣＤを狭持する。このとき、張力伝達ローラ３０が僅かに前方に移動することにより、スライダー２０が僅かに前方に移動する場合には、アイドルローラ４０が第２天壁溝１７及び第２ベース溝７７に沿って、張力伝達ローラ３０側に移動する。
【００４８】
そして、張力伝達ローラ３０とアイドルローラ４０が限界まで近づくと、張力伝達ローラ３０の回転は続くものの、張力伝達ローラ３０の位置はそのままとなる。このため、ピニオンギア５０の矢印Ｂ方向の回転により、リングギア６０が矢印Ｃ方向に回転する。上記のように抵抗付与部ＲＡのギア８２に常に回転抵抗が付与される場合には、リングギア６０が回転すると、リングギア６０には抵抗付与部ＲＡから回転抵抗が付与され、リングギア６０からピニオンギア５０に回転抵抗が付与される。また、上記のように抵抗付与部ＲＡのギア８２の回転速度が所定値以上となる場合にギア８２に回転抵抗が付与される場合には、リングギア６０が回転し始めても暫くはリングギア６０に回転抵抗は付与されないが、コードＣＤが速く移動することにより張力伝達ローラ３０が速く回転してリングギア６０の回転速度が所定値以上となると、ギア８２に回転抵抗が付与される。その結果、リングギア６０に当該回転抵抗が付与され、リングギア６０からピニオンギア５０に回転抵抗が付与される。こうして、いずれの場合であっても、張力伝達ローラ３０にも回転抵抗が付与される。このため、コードＣＤには制動力が付与される。
【００４９】
一方、コードＣＤを後方に向かって引っ張ると、張力伝達ローラ３０及びアイドルローラ４０は、上記と逆の回転方向に回転する。従って、ピニオンギア５０も矢印Ｂ方向とは逆側の回転方向に回転する。このため、リングギア６０の内周ギア６１に歯合するピニオンギア５０はリングギア６０の内周に沿った他方の回転方向に沿って移動する。このため、張力伝達ローラ３０とアイドルローラ４０とが離間する。そのため、コードＣＤに加えられる制動力が解除され、コードＣＤは自由に動くことができる。なお、ピニオンギア５０の他方の回転方向に沿った移動により、張力伝達ローラ３０が後方に移動して、張力伝達ローラ３０の後方への移動によりスライダー２０も後方に移動し、アイドルローラ４０も後方に移動しても良い。このように張力伝達ローラ３０及びアイドルローラ４０が後方に移動すると、第１天壁溝１６及び第２天壁溝１７の構造、及び、第１ベース溝７６及び第２ベース溝７７の構造により、張力伝達ローラ３０とアイドルローラ４０とを適切に離間することができる。
【００５０】
以上説明したように、本実施形態の制動装置ＢＤは、アイドルローラ４０と、アイドルローラ４０との間でコードＣＤを狭持すると共に、コードＣＤの長手方向の移動により回転する張力伝達ローラ３０と、張力伝達ローラ３０の回転軸を中心として張力伝達ローラ３０と共に回転するピニオンギア５０と、内周面にピニオンギア５０と歯合する内周ギア６１が形成されるリングギア６０と、リングギア６０に回転抵抗を付与する抵抗付与部ＲＡと、を備え、ピニオンギア５０は、リングギア６０の内周面に沿って移動可能とされ、張力伝達ローラ３０は、ピニオンギア５０がリングギア６０の内周面の一方の回転方向に沿って移動する場合にアイドルローラ４０に押圧される。
【００５１】
従って、本実施形態の制動装置ＢＤによれば、コードＣＤが一方の方向に引かれると、張力伝達ローラ３０がピニオンギア５０と共にコードＣＤの動きに沿って回転し、ピニオンギア５０のリングギア６０の内周面に沿った一方の回転方向への移動により、張力伝達ローラ３０がアイドルローラ４０に押圧される。つまり、コードＣＤに張力が加わりコードＣＤが一方の長手方向に移動する場合に、コードＣＤは自身の張力による力によりアイドルローラ４０と張力伝達ローラ３０とに強固に狭持されることになる。従って、コードＣＤが一方の長手方向に引かれる場合に、コードＣＤが引かれない場合よりも、強い力でコードＣＤは狭持される。このため、コードＣＤが張力伝達ローラ３０に対して滑ることが抑制される。そして、さらにコードＣＤが引かれることで、ピニオンギア５０と内周ギア６１で歯合するリングギア６０が回転し、抵抗付与部ＲＡからリングギア６０に付与される回転抵抗が張力伝達ローラ３０に伝わる。このように、コードＣＤが張力伝達ローラ３０に対して滑ることが抑制され、張力伝達ローラ３０にピニオンギア５０を介してリングギア６０から回転抵抗が付与されるため、本実施形態の制動装置ＢＤは、コードＣＤに対して適切に制動力を加えることができる。
【００５２】
また、上記のようにアイドルローラ４０が、ピニオンギア５０のリングギア６０の内周面の一方の回転方向に沿った移動と共に張力伝達ローラ３０側に移動する場合には、張力伝達ローラ３０の移動量を少なくして、適切にコードＣＤを狭持することができる。
【００５３】
また、上記実施形態の制動装置ＢＤでは、張力伝達ローラ３０がアイドルローラ４０に押圧されるように張力伝達ローラ３０を常時付勢する付勢部材としてのコイルスプリングＳＰを備える。従って、コードＣＤに張力が加えられていない状態であっても、張力伝達ローラ３０とアイドルローラ４０とでコードＣＤを狭持することができる。従って、コードＣＤを引く初期状態においても、コードＣＤと張力伝達ローラ３０とが滑ることを抑制し、コードＣＤの張力を適切に張力伝達ローラ３０に伝えることができる。
【００５４】
また、上記実施形態の制動装置ＢＤでは、リングギア６０には外周面に外周ギア６２が形成され、外周ギア６２が抵抗付与部ＲＡのギア８２に歯合する。そして、外周ギア６２が回転抵抗を付与する回転ダンパ等に歯合する場合には、リングギア６０の回転時に常にリングギア６０に回転抵抗が付与される。この場合、コードＣＤの引き始めから常にコードＣＤに制動力を加えることができる。また、回転ダンパを交換することで、リングギア６０に付与される回転抵抗を調整することができる。また、外周ギア６２が回転速度が所定値以上となる場合に回転抵抗が付与される遠心ブレーキ等に歯合する場合には、リングギア６０が所定の回転速度以上となる場合にリングギア６０に回転抵抗が付与される。従って、コードＣＤの引き始めにはコードＣＤに制動力が加えられないもののコードＣＤが所定の移動速度で引かれる場合にコードＣＤに制動力を加えることができる。また、この場合、遠心ブレーキを交換することにより、コードＣＤに制動力が付与されるコードＣＤの移動速度やリングギア６０に付与される回転抵抗を調整することができる。
【００５５】
以上、本発明の制動装置ＢＤについて上記実施形態を例に説明したが、本発明の制動装置は上記実施形態に限定されるものではない。
【００５６】
例えば、上記実施形態では、支柱として、移動可能に保持され、張力伝達ローラ３０の回転軸と平行な回転軸を有するアイドルローラ４０が用いられた。しかし、支柱は、張力伝達ローラ３０との間でコードＣＤを狭持し、コードＣＤが移動可能なものであれば、アイドルローラ４０に限らない。例えば、支柱は、表面が滑り易い構成とされ、回転しなくても良い。例えば、表面が平滑に加工された金属から成る支柱であっても良い。ただし、
上記実施形態のように、アイドルローラ４０が用いられる場合には、コードＣＤに凹凸がある場合であっても、アイドルローラ４０の回転により当該凹凸をアイドルローラが乗り越えて、当該凹凸が引っ掛かることを抑制できるため好ましい。また、支柱は移動しないものであっても良い。この場合であっても、張力伝達ローラ３０の移動により、コードＣＤを狭持することができる。
【００５７】
また、上記実施形態では、張力伝達ローラ３０がアイドルローラ４０に押圧されるようにスライダー２０を介して張力伝達ローラ３０を常時付勢する付勢部材としてのコイルスプリングＳＰが配置された。しかし、コイルスプリングＳＰは、例えば、張力伝達ローラ３０を直接付勢しても良い。また、付勢部材はコイルスプリングＳＰでなくても良い。さらに、このような付勢部材が無くても良い。ただし、コードＣＤの引き始めに適切に張力伝達ローラ３０とアイドルローラ４０とでコードＣＤを狭持するために、制動装置ＢＤは付勢部材を備えることが好ましい。
【００５８】
また、上記実施形態では、リングギア６０の外周面に外周ギア６２が形成され、外周ギア６２は回転抵抗を付与する回転ダンパや遠心ブレーキ等に歯合するものとされた。しかし、例えば、回転ダンパや遠心ブレーキ等のようにリングギア６０に回転抵抗を付与する抵抗付与部が、リングギア６０とベース７０との間、またはリングギア６０とカバー１０との間に設けられても良い。すなわち、抵抗付与部がリングギア６０と重なる位置に設けられても良い。この場合、例えば、抵抗付与部がリングギア６０の内周ギア６１に歯合してリングギア６０に回転抵抗を付与しても良く、リングギア６０の外周ギア６２は無くても良い。抵抗付与部がリングギア６０と重なる位置に設けられる場合、制動装置ＢＤを小型にすることができる。なお、抵抗付与部がリングギア６０とカバー１０との間に設けられる場合、抵抗付与部は張力伝達ローラ３０やアイドルローラ４０の移動を阻害しない位置に設けられる。すなわち、抵抗付与部は、ヘッドボックス内において回転軸を鉛直・水平・斜めに向けて配置することができる。
【００５９】
また、上記実施形態では、ベース７０に形成される第１ベース溝７６及びカバー１０に形成される第１天壁溝１６に、張力伝達ローラ３０の軸芯３１が移動可能に嵌められており、張力伝達ローラ３０と回転軸を共にするピニオンギア５０がリングギア６０の内周面に沿って移動するものとされた。しかし、張力伝達ローラ３０及びピニオンギア５０の動きを規制する手段は、他の構成とされても良い。
【００６０】
＜日射遮蔽装置＞
図１０は、本実施形態の日射遮蔽装置を示す図である。図１０に示すように、本実施形態の日射遮蔽装置１００は、日射遮蔽部材１０１と、昇降コード１０２と、ロック部１０４と、制動装置ＢＤと、コードＣＤと、筐体１０６と、固定部材１０７とを主な構成として備える。
【００６１】
筐体１０６は、略直方体の形状をしており、固定部材１０７により、壁等に固定される。また、筐体１０６内には、ロック部１０４、制動装置ＢＤが配置されている。本実施形態の日射遮蔽部材１０１は、折畳み癖の付けられた生地であり、上端が筐体１０６内に固定されることで吊持されている。日射遮蔽部材１０１の下端には、一組の昇降コード１０２のそれぞれの一方の端部が固定されている。また、それぞれの昇降コード１０２は、筐体１０６内に引き込まれている。そして、各昇降コード１０２が筐体１０６内にさらに引き込まれることで、それぞれの昇降コード１０２の一方の端部が上昇して、日射遮蔽部材１０１の下端が上昇し、日射遮蔽部材１０１は全体が折り畳まれながら上昇する。
【００６２】
操作コードであるコードＣＤは、図１０に示すようにロック部１０４、制動装置ＢＤに挿通された状態でそれぞれの昇降コード１０２に接続されている。本実施形態では、昇降コード１０２が２本であるため、コードＣＤは２本とされ、一方のコードＣＤが一方の昇降コード１０２に接続され、他方のコードＣＤが他方の昇降コード１０２に接続される。また、このようにコードＣＤが２本であるため、例えば、コードＣＤの一方は、制動装置ＢＤのカバー１０におけるガイド孔１４ａ及びガイド孔１５ａに挿通され、コードＣＤの他方は、制動装置ＢＤのカバー１０におけるガイド孔１４ｃ及びガイド孔１５ｃに挿通される。また、それぞれのコードＣＤと昇降コード１０２は結び目や継ぎ目が無く接続されることが好ましい。つまり、一方のコードＣＤと一方の昇降コード１０２とが１本のコードから成り、他方のコードＣＤと他方の昇降コード１０２とが１本のコードから成ることが好ましい。
【００６３】
ロック部１０４は、コードＣＤの動作により、コードＣＤを動かしたりロックしたりする。例えば、コードＣＤを鉛直下方向に引いた状態で、当該鉛直下方向へ引く力を緩めると、コードＣＤをロックし、コードＣＤを斜め下方向に引いた状態で、当該斜め下方向へ引く力を緩めても、コードＣＤをロックしない構成とされる。
【００６４】
制動装置ＢＤは、筐体１０６内において、図１に示す前方が昇降コード１０２側を向き、後方がロック部１０４側を向くように配置される。従って、日射遮蔽部材１０１が下降しきった状態、すなわち日射遮蔽装置１００の閉状態において、一組のコードＣＤを下方に引っ張ると、コードＣＤは図１に示す後方に引かれる。このとき、アイドルローラ４０との間にコードＣＤを狭持する張力伝達ローラ３０は、コードＣＤとの摩擦力により、図９において矢印Ｂで示す回転方向と逆側の回転方向に回転する。従って、ピニオンギア５０は、リングギア６０の内周を他方の回転方向側に移動して、張力伝達ローラ３０とアイドルローラ４０とが離間する。このため、コードＣＤを小さな抵抗力で引くことができる。コードＣＤが引かれると、コードＣＤに接続されるそれぞれの昇降コード１０２が筐体内に引き込まれて日射遮蔽部材１０１は上昇する。
【００６５】
一方、日射遮蔽部材１０１が下降しきっていない状態において、ロック部１０４によりコードＣＤがロックされていない状態でコードＣＤを離す。すると、日射遮蔽部材１０１は自重により下降する。このため、昇降コード１０２は筐体１０６内から引き出される。従って、昇降コード１０２に接続されるコードＣＤは、制動装置ＢＤの前方に向かって引かれる。すると、図９を用いて説明したように、コードＣＤには制動力が付与される。従って、日射遮蔽部材１０１の下降速度が抑えられる。このため、日射遮蔽部材１０１の下降速度が超過することによる破損等を抑制することができる。
【００６６】
以上説明したように本実施形態の日射遮蔽装置１００によれば、日射遮蔽部材１０１を昇降可能とするコードＣＤの長手方向の移動に対して、制動装置ＢＤにより適切に制動力が付与されるため、例えば、上記のように日射遮蔽部材１０１が自重により下降する場合であっても、日射遮蔽部材１０１の下降速度を抑えることができる。また、抵抗付与部ＲＡがリングギアの回転時に常にリングギア６０に回転抵抗を付与する回転ダンパ等から成る場合には、日射遮蔽部材１０１の下降速度を下降当初から抑えることができる。一方、抵抗付与部ＲＡがリングギア６０が所定の回転速度以上となる場合にリングギア６０に回転抵抗を付与する遠心ブレーキ等から成る場合には、日射遮蔽部材１０１の下降当初には下降速度を抑えず、当該下降速度が所定の速度以上となる場合に下降速度を抑えることができる。
【００６７】
また、制動装置ＢＤを上記とは逆向きに取り付けることにより、コードＣＤを強くひいても、コードＣＤが勢いよく移動することを抑制して、日射遮蔽部材１０１が過度な勢いで上昇することを抑制することができる。さらに、ブレーキとして機能する機構を複数設けてもよい。例えば、ピニオンギア５０を２つ利用したブレーキと、遊星ギアを用いたブレーキを重ねて利用してもよい。これにより、より強固にコードＣＤの移動に対してブレーキをかける事が可能となる。
【００６８】
以上より、第１の観点によれば、第１実施形態では、張力伝達ローラ３０及びアイドルローラ４０、押圧面（第１天壁溝１６，第２天壁溝１７の軸を押す面）、斜面（第１天壁溝１６，第２天壁溝１７の軸が案内される面）により、コードの移動を捕捉し且つコードの移動に起因する回転を抵抗付与部ＲＡに伝達する挟着体が構成される。そして、かかる挟着装置自体がワンウェイ機能を備える。具体的には、挟着装置は挟着体（張力伝達ローラ３０及びアイドルローラ４０）の近接及び離間動作により、図１０に示されるような日射遮蔽部材１０１の自動動作時には挟着装置がコードの変位に同期してコードの移動に起因する回転を抵抗付与部ＲＡに伝達する一方、日射遮蔽部材１０１の引き操作時には挟着体がコードに同期せずコードの移動に起因する回転を抵抗付与部ＲＡに伝達しないように構成される。
【００６９】
つまり、挟着装置の挟着体を構成する張力伝達ローラ３０の変位によって、張力伝達ローラ３０とコードのＣＤ間に作用する摩擦力を変化させることにより、ワンウェイ機能が実現される。また、別の観点では、挟着体を構成する張力伝達ローラ３０の変位によって、コードのＣＤ移動に起因する回転を抵抗付与部ＲＡに伝達するか否かが切り替わるように構成される。
【００７０】
また、第２の観点によれば、第１実施形態に係る制動装置ＢＤを設けた遮蔽装置は、コードの移動を捕捉し且つ前記コードの移動に起因する回転を抵抗付与部に伝達する挟着体と、挟着体を内包するケースと、を有する遮蔽装置であると言える。ここで、第１実施形態では、張力伝達ローラ３０及びアイドルローラ４０により、コードの移動を捕捉する挟着体が構成される。また、カバー１０がケースに相当する。さらに、ケースには、他の部材を外部に露出可能に構成された機能性開口部が設けられる。ここで、第１実施形態では、第１天壁溝１６及び第２天壁溝１７が機能性開口部に相当する。さらに、挟着体の回転軸が機能性開口部からケースの外部に露出するように構成される。ここで、軸芯３１及び軸芯４１が挟着体の回転軸に相当する。
【００７１】
また、カバー１０の少なくとも上面が覆われている。さらに、カバー１０の側面が覆われている。さらに、カバー１０は抵抗付与部ＲＡを覆う。さらに、カバー１０の底面の開口部（機能性開口部）は、制動装置ＢＤを筐体１０６内に設置した状態で、筐体１０６の底面で覆われる。さらに、かかる状態で、カバー１０の上面の開口部（機能性開口部）は、筐体１０６の上部カバーで覆われる。つまり、カバー１０は、筐体１０６、筐体１０６のボックスキャップ又は筐体１０６のボックスカバーの少なくとも１つにより覆われる。
【００７２】
また、第３の観点によれば、第１実施形態に係る制動装置ＢＤを用いた遮蔽装置は、異なる太さのコードに対応したコード挟着範囲を備える挟着体を有する遮蔽装置となっている。ここで、第１実施形態では、張力伝達ローラ３０及びアイドルローラ４０により、コードの移動を捕捉する挟着体が構成される。なお、張力伝達ローラ３０及びアイドルローラ４０が挟着部材に相当する。図３０は、異なる太さのコードＣＤをローラ部４２及びローレット２４０が挟着する様子を表す図である。なお、図３０におけるローレット２４０は、ローラ部３２と同様の機能を有する回転ローラである。ここで、図３０（ａ）及び（ｂ）において、点線で示されるものがコードＣＤの挟着状態を表し、実線で示されるものが定常状態を表す。図３０（ａ）に示されるように、第１の太さのコードＣＤを挟着する場合は、ローレット２４０及びローラ部４２が第１天壁溝１６及び第２天壁溝１７に沿って前方に移動し、コードＣＤを挟着する。このときのローラ部４２及びローレット２４０の位置を、第１位置とする。そして、図３０（ｂ）に示されるように、第１の太さより太い第２の太さのコードＣＤを挟着する場合は、ローレット２４０及びローラ部４２が第１天壁溝１６及び第２天壁溝１７に沿って後方に移動し、コードＣＤを挟着する。このときのローラ部４２及びローレット２４０の位置を、第２位置とする。したがって、第２位置は、ローラ部４２及びローレット２４０が第１位置よりも互いに離間した位置であるといえる。
【００７３】
また、実線及び点線で表されるように、異なる太さのコードＣＤを用いる場合であっても、一対の挟着体が移動することにより、異なる太さのコードに対応したコード挟着範囲が実現される。ここで、コード挟着範囲とは、一対の挟着体で挟着可能なコードの太さのことである。つまり、第１の太さにおけるコード挟着範囲は、第２の太さにおけるコード挟着範囲よりも小さい。換言すると、一対の挟着体が移動することにより、異なる太さのコードＣＤを挟着することが可能になる。
【００７４】
また、第４の観点によれば、第１実施形態に係る制動装置ＢＤを備えた遮蔽装置は、複数のコードの移動を捕捉する挟着体と、挟着体にコードが捕捉される前に、複数のコードの向きを整える整列部材と、コードの移動を制動する制動装置とを備え、整列部材は、前記制動装置に設けられる、遮蔽装置である。ここで、第１実施形態では、張力伝達ローラ３０及びアイドルローラ４０により、複数のコードの移動を捕捉する挟着体が構成される。そして、カバー１０に設けられた複数のガイド孔１５ａ〜１５ｃ及び複数のガイド孔１４ａ〜１４ｃが整列部材となっている。これは、制動装置ＢＤの筐体面に複数のコードＣＤの配列の向きを挟着体の挟着面の方向と合うように設けられた開口部である。さらに、挟着体を内包するカバー１０が設けられる。
【００７５】
また、整列部材は、挟着体近傍にコードＣＤの下降方向手前に設けられる。さらに、整列部材は、挟着体近傍に対してコードＣＤの上昇方向手前に設けられる。
【００７６】
＜作用・効果＞
第１実施形態に係る制動装置ＢＤにより、以下のような作用・効果を得ることができる。
（１）張力伝達ローラ３０及びアイドルローラ４０により構成され、コードＣＤの移動を捕捉し且つコードＣＤの移動に起因する回転を抵抗付与部ＲＡに伝達する挟着装置の動作により自動動作時抵抗付与部への伝達し且つ手動操作時の解除が挟着装置により可能となる。従来のようにブレーキ部に一方向クラッチバネを別途設ける構成と比べて、自動動作時抵抗付与部への伝達し且つ手動操作時の十分な解除が可能となる。さらには、部品数を低減し、装置の体積を小さくすることができる。
（２）コードＣＤの移動を捕捉する挟着体と、挟着体を内包するカバー１０（ケース）と、を有する構成により、カバー１０（ケース）への埃等の異物の進入を抑制することができる。したがって、コードＣＤに異物が付着することを抑制し、性能低下を抑制することが可能となる。
（３）異なる太さのコードのそれぞれの所定の挟着範囲に対応した可動範囲を備える挟着装置を有するので、制動装置ＢＤの構成を変えることなく、異なる太さのコードを挟着することが可能となる。したがって、１つの制動装置ＢＤで種々の遮蔽装置に対応することが可能となる。
（４）複数のコードの移動を捕捉する挟着体と、挟着体にコードが捕捉される前に、複数のコードの向きを整える整列部材と、を有する構成により、例えば複数のコードが重なった状態で挟着されたり挟着位置から脱することを抑制することが可能となる。
【００７７】
以上、本発明の日射遮蔽装置１００について、上記実施形態を例に説明したが、本発明の日射遮蔽装置は、上記実施形態の日射遮蔽装置１００と異なる構成であっても良い。自動動作を、スプリングにより上昇方向としてもよい。例えば、本発明の日射遮蔽装置は、横型ブラインドやロールスクリーンとすることもできる。ロールスクリーンの場合は昇降コードを使用しないが操作コードの動きを本制動装置で制動することもできる。横へ動作する縦型ブラインドやカーテン、アコーデオンカーテン、プリーツ間仕切りでも横方向にバネ・錘・レールの傾斜等により半自動移動する装置において、自動動作時連動する駆動コードに対し本制動装置で制動することができる。
【００７８】
２．第２実施形態：第１の観点〜第４の観点
次に、図１１〜図３１を用いて、本発明の第２実施形態に係る制動装置１０００について説明する。第２実施形態に係る制動装置１０００は、コードの移動を制動する制動装置である点においては第１実施形態の制動装置ＢＤと共通するが、その構成が異なる点がある。具体的には、第１実施形態に係る制動装置ＢＤでは、運動変換部ＤＴと抵抗付与部ＲＡが略水平面上に設けられていたが、第２実施形態に係る制動装置１０００では、運動変換部ＤＴに相当する機構と抵抗付与部ＲＡに相当する機構が略垂直に位置するように設けられる点が異なる。ここで、運動変換部ＤＴは、コードの移動を捕捉する挟着体を備える。そして、コードの移動に起因する回転を他の部材の運動に変換するものである。ここで、第２実施形態においては、スライダー２２０、コイルスプリングＳＰ、軸芯４１及びローラ部４２からなるアイドルローラ４０、ローレット２４０、ピニオンギア５０、軸芯３１、ワッシャー２４１、内歯付キャリア２６０が運動変換部ＤＴを構成し、ウェイト３４０、太陽歯車付ウェイトホルダ３２０及びケース１０Ａが抵抗付与部ＲＡを構成する。また、運動変換部ＤＴのうち、アイドルローラ４０、ローレット２４０、軸芯３１、ケースの斜面、スライダー２２０の押圧面が挟着装置を構成し、そのうちアイドルローラ４０、ローレット２４０、軸芯３１が挟着体を構成する。以下、第１実施形態と同一の部材については同一の符号を付し、その相違点を中心に説明する。
【００７９】
２−１＜全体構成＞
図１１及び図１２は、第２実施形態に係る制動装置１０００の分解斜視図である。制動装置１０００は、整列部材２００、ケース１０Ａ、スライダー２２０、コイルスプリングＳＰ、軸芯４１及びローラ部４２からなるアイドルローラ４０、ローレット２４０、ピニオンギア５０、ローレット２４０及びピニオンギア５０を挿通する軸芯３１、ワッシャー２４１、内歯付キャリア２６０、遊星歯車２８０、プレート３００、太陽歯車付ウェイトホルダ３２０、ウェイト３４０及びベース７０により構成される。
【００８０】
第２実施形態において、アイドルローラ４０及びローレット２４０がコードを挟着する挟着体に相当する。また、アイドルローラ４０が支柱に、ローレット２４０がコードの長手方向の移動により回転するローラに相当する。また、スライダー２２０が第１実施形態のスライダー２０に相当する。
【００８１】
図１１及び図１２に示されるように、第２実施形態では、内歯付キャリア２６０に４つの遊星歯車２８０が設けられ、太陽歯車付ウェイトホルダ３２０に８つのウェイト３４０が保持される。以下、各部材について説明する。
【００８２】
２−１−１＜整列部材２００＞
図１４（ａ），（ｂ）に示されるように、整列部材２００は、コードＣＤを挿通し、コードＣＤの向きを整えるものである。また、複数のコードＣＤを互いに同じ向きに整列させるものである。整列部材２００は、例えば、樹脂で形成することができる。ここで、図１４（ａ）に示されるように、矢印の向きをそれぞれ前後、左右、上下とする。すなわち、第１天壁溝１６と第２天壁溝１７の距離が狭くなる向きを前方とし、左右方向（幅方向）、上下方向を定める。
【００８３】
図２０（ａ）に示されるように、整列部材２００は、前方壁部２０５と、前方壁部２０５に連結される右側壁部２０７及び左側壁部２０８と、右側壁部２０７及び左側壁部２０８のそれぞれに連結される後方壁部２０６と、を有する。前方壁部２０５、右側壁部２０７、左側壁部２０８及び後方壁部２０６の形状は任意であるが、第２実施形態では、それぞれ概ね矩形の形状とされる。また、第２実施形態では、前方壁部２０５及び後方壁部２０６は、略対称形状である。
【００８４】
前方壁部２０５には第１前方溝２０１、第１前方コード挿入部２０１Ａ、第２前方溝２０２及び第２前方コード挿入部２０２Ａが形成される。また、後方壁部２０６には、第１後方溝２０３、第１後方コード挿入部２０３Ａ、第２後方溝２０４及び第２後方コード挿入部２０４Ａが形成される。
【００８５】
第１前方コード挿入部２０１Ａ及び第２前方コード挿入部２０２Ａは、制動装置１０００の組立後にコードＣＤを整列部材２００に挿通するためのものである。第１前方コード挿入部２０１Ａは、第１前方溝２０１よりも幅広に形成される。また、第２前方コード挿入部２０２Ａは、第２前方溝２０２よりも幅広に形成される。したがって、第１前方コード挿入部２０１Ａ及び第２前方コード挿入部２０２ＡにコードＣＤを挿通し、そのまま第１前方溝２０１及び第２前方溝２０２の方へコードＣＤをスライドさせることで、コードＣＤをスムーズに挿通することが可能となる。
【００８６】
また、第１後方コード挿入部２０３Ａ及び第２後方コード挿入部２０４Ａは、前方壁部２０５に挿通されたコードＣＤが後述するスライダー２２０の前後の貫通孔２２５（図２３参照）を通過し、かかるコードＣＤを後方壁部２０６から外部に引き出すためのものである。第１後方コード挿入部２０３Ａは、第１後方溝２０３よりも幅広に形成される。また、第２後方コード挿入部２０４Ａは、第２後方溝２０４よりも幅広に形成される。したがって、第１後方コード挿入部２０３Ａ及び第２後方コード挿入部２０４ＡにコードＣＤを挿通し、そのまま第１後方溝２０３及び第２後方溝２０４の方へコードＣＤをスライドさせることで、コードＣＤをスムーズに挿通することが可能となる。
【００８７】
なお、第１前方コード挿入部２０１Ａ、第２前方コード挿入部２０２Ａ、第１後方コード挿入部２０３Ａ及び第２後方コード挿入部２０４Ａの形状は任意であり、図２０に示した形状に限定されない。例えば、略円形でもよく、縦長形状から斜め形状を経て第１前方溝２０１（その他の溝でも同じ）に接続されてもよい。さらに、第２実施形態では、第１前方コード挿入部２０１Ａと第１前方溝２０１の間に段差２１０が設けられているが、かかる段差２１０を設けず、前方壁部２０５（又は後方壁部２０６）を略矩形としてもよい。
【００８８】
図２０（ｂ）に示されるように、第２実施形態では、前方壁部２０５及び後方壁部２０６は正面視において略同一形状とされる。従って、第１前方コード挿入部２０１Ａから挿通されたコードＣＤは第１後方コード挿入部２０３Ａを通過し、第２前方コード挿入部２０２Ａから挿通されたコードＣＤは第２後方コード挿入部２０４Ａを通過する。換言すると、第１前方溝２０１及び第１前方コード挿入部２０１Ａと第１後方溝２０３及び第１後方コード挿入部２０３Ａがそれぞれ対応する一対の溝であり、第２前方溝２０２及び第２前方コード挿入部２０２Ａと第２後方溝２０４及び第２後方コード挿入部２０４Ａがそれぞれ対応する一対の溝である。
【００８９】
ここで、図２０（ａ）に示されるように、整列部材２００の右側壁部２０７には、制動装置１０００の組立時においてケース１０Ａの上方から被せるようにして一体化するときに、後述するケース１０Ａの係合孔１９（図２１参照）と係合し、整列部材２００をケース１０Ａに固定するための爪部２０９が設けられる。なお、図２０において表れていないが、左側壁部２０８の内方の面にも同様の爪部２０９が対向するように設けられる。これにより、右側壁部２０７と左側壁部２０８が外方向に弾性変形しながらケース１０Ａ上部が入り、整列部材２００に設けられた２つの爪部２０９とケース１０Ａの左右に設けられた２つの係合孔１９とが弾性的に係合することが可能となる。
【００９０】
２−１−２＜ケース１０Ａ＞
次に、図２１（ａ），（ｂ）及び図２２を用いてケース１０Ａについて説明する。なお、以下、図２２において左向きを前方、右向きを後方、上向きを右側、下向きを左側として説明する。ケース１０Ａは、ベース７０とともに筐体を構成し、その内部にスライダー２２０、コイルスプリングＳＰ、軸芯４１及びローラ部４２からなるアイドルローラ４０、ローレット２４０、ピニオンギア５０、軸芯３１、ワッシャー２４１、内歯付キャリア２６０、遊星歯車２８０、プレート３００、太陽歯車付ウェイトホルダ３２０及びウェイト３４０を保持する。
【００９１】
また、ケース１０Ａは、例えば図２５に示されるベース７０とともに制動装置１０００の筐体を構成するものである。また、例えば図２５に示される太陽歯車付ウェイトホルダ３２０及びウェイト３４０とともに、抵抗付与部ＲＡを構成するものである。
【００９２】
図２１に示されるように、ケース１０Ａは、外形が概ね正方形の天壁部１１と、前側壁部１２ｆと、前側壁部１２ｆ及び天壁部１１に連結される右側壁部１２ｒ及び左側壁部１２ｌと、右側壁部１２ｒ及び左側壁部１２ｌのそれぞれに連結される後側壁部１２ｂと、
天壁部１１に対向し、前側壁部１２ｆ、後側壁部１２ｂ、前側壁部１２ｆ及び左側壁部１２ｌから径方向側に向かって延在する鍔部１３と、鍔部１３に連結される円筒部１３Ｃと、円筒部１３Ｃに連結されるカバー部１１２とを主な構成として有する。
【００９３】
前側壁部１２ｆ及び後側壁部１２ｂには、ガイド溝１１３が形成されている。これら２つのガイド溝１１３は、互いに前後方向に対向している。これらのガイド溝１１３はコードＣＤが前後方向に挿通されるための溝である。ここで、ガイド溝１１３に挿通するコードＣＤの数は特に限定されないが、第２実施形態では３本のコードＣＤが縦方向に挿通された例について示している（図１４参照）。
【００９４】
また、右側壁部１２ｒ及び左側壁部１２ｌには、係合孔１９が設けられる。係合孔１９は、すでに述べた通り、整列部材２００の爪部２０９と係合し、整列部材２００をケース１０Ａに固定するものである。
【００９５】
さらに、左右の係合孔１９の上方には支持溝１１４が設けられる。支持溝１１４は、図１４に示されるように、ケース１０Ａがスライダー２２０を内部に保持するにあたり、スライダー２２０に設けられる突起２３０を支持するものである。これにより、スライダー２２０を浮き状態で支持することができる。なお、詳細は後述する。
【００９６】
天壁部１１には、第１天壁溝１６と第２天壁溝１７とが形成されている。図２２（ａ）に示されるように、第１天壁溝１６及び第２天壁溝１７は、それぞれコードＣＤの長手方向すなわち前後方向に対して斜めに形成されており、コードＣＤの一方の長手方向である前方に向かうにつれて、第１天壁溝１６と第２天壁溝１７との距離が小さくされている。また、第１天壁溝１６は円弧状に形成されており、挟着案内斜面１６ａ、解除案内斜面１６ｂ、挟着側規制面１６ｃ及び解除側規制面１６ｄにより内周面が形成される。第１天壁溝１６の円弧は、図１７に示される内歯付キャリア２６０の内周面と平面視において同心円上となるように形成される。一方、第２天壁溝１７は緩やかなカーブを描いた形状に形成され、挟着案内斜面１７ａ、解除案内斜面１７ｂ、挟着側規制面１７ｃ及び解除側規制面１７ｄにより内周面が形成される。具体的には、第２天壁溝１７は、前方側が略直線状の形状とされ、後方に向かうにつれて、第１天壁溝１６から離れる向きに湾曲している。これは、第２天壁溝１７を略直線状とした場合、第１天壁溝１６は後方から前方に向かってコードＣＤに近づくような円弧であるので、例えば軸芯３１及び軸芯４１がそれぞれ第１天壁溝１６及び第２天壁溝１７に沿って移動するときに、コードＣＤに対する垂直方向の変位が、軸芯３１と軸芯４１とで異なってしまうことを防ぐためである。つまり、一方が円弧であるのに対し、他方が略直線状であると、前後方向においてコードＣＤへの垂直距離が異なるためである。このように、軸芯３１及び軸芯４１のコードＣＤの鉛直方向に対する変位を近接させることにより、ローレット２４０及びローラ部４２が適切にコードＣＤを挟着することが可能となる。なお、第２天壁溝１７はこれに限定されず、例えば、第１天壁溝１６と略同一形状の溝を、コードＣＤ側に向かって湾曲する配置としてもよい。これにより、ＣＤに対する鉛直方向の変位を、軸芯３１と軸芯４１とで略同一にすることができ、コードＣＤの摩耗を低減することが可能となる。ここで、第２実施形態では、ＣＤに対する鉛直方向の変位を、軸芯３１と軸芯４１とでなるべく同じにすることに加え、他の部材の移動等による相互作用等を考慮し、図２２（ａ）に示される形状を採用した。
【００９７】
第１天壁溝１６の縁には、図２１（ａ），（ｂ）、図２２（ａ）に示されるように、ケース１０Ａの平面視において、第１天壁溝１６におけるケース１０Ａの外側の縁、すなわち挟着案内斜面１６ａに沿った位置の少なくとも一部に、第１天壁溝１６から上方に突出する第１ガイド壁１６Ａが設けられる。第２実施形態では、第１ガイド壁１６Ａは、第１天壁溝１６に対して略９０度となるように設けられる。第１ガイド壁１６Ａは、第１天壁溝１６に沿って移動する軸芯３１の面圧を下げることを目的としている。つまり、第１ガイド壁１６Ａを設けることにより、軸芯３１と接触する面積が増大することにより、軸芯３１の面圧を低減するものである。これは、コードＣＤに張力が与えられ、制動装置１０００が作用している間は軸芯３１の面圧が第１天壁溝１６の内面に加わっており、かる面圧により第１天壁溝１６の内面が削れると、ローレット２４０とローラ部４２の間隔が変化して、ローレット２４０への回転伝達が不十分になる恐れがあるためである。第１ガイド壁１６Ａを設けることにより、軸芯３１からの圧力によりケース１０Ａが削れることを防止することが可能となる。なお、第１ガイド壁１６Ａの肉厚は任意であるが、ケース１０Ａの素材、軸芯３１の移動速度等を考慮して適宜設計すればよい。
【００９８】
また、ケース１０Ａの平面視において、第２天壁溝１７におけるケース１０Ａの外側の縁に沿った位置には、ケース１０Ａの中心から遠方に位置する縁に沿った位置、すなわち挟着案内斜面１７ａの少なくとも一部に、第２天壁溝１７から上方に突出する第２ガイド壁１７Ａが設けられる。第２実施形態では、第２ガイド壁１７Ａは、第２天壁溝１７に対して略９０度となるように設けられる。第２ガイド壁１７Ａは、第２天壁溝１７に沿って移動する軸芯４１の面圧を下げることを目的としている。つまり、第２ガイド壁１７Ａを設けることにより、軸芯４１と接触する面積が増大することにより、軸芯４１の面圧を低減するものである。これは、コードＣＤに張力が与えられ、制動装置１０００が作用している間は軸芯４１の面圧が第２天壁溝１７の内面に加わっており、かかる面圧により第２天壁溝１７の内面が削れると、ローレット２４０とローラ部４２の間隔が変化して、ローレット２４０への回転伝達が不十分になる恐れがあるためである。第２ガイド壁１７Ａを設けることにより、軸芯４１からの圧力によりケース１０Ａが削れることを防止することが可能となる。なお、第２ガイド壁１７Ａの肉厚は任意であるが、ケース１０Ａの素材、軸芯４１の移動速度等を考慮して適宜設計すればよい。
【００９９】
なお、ケース１０Ａを金属等の強固な材料で成形した場合には、第１ガイド壁１６Ａ及び第２ガイド壁１７Ａを設けなくてもよい。これは、ケース１０Ａが堅牢であるので、軸芯３１及び軸芯４１からの圧力によりケース１０Ａがほとんど削れることがないためである。
【０１００】
鍔部１３は、天壁部１１に対向し、前側壁部１２ｆ、後側壁部１２ｂ、前側壁部１２ｆ及び左側壁部１２ｌから径方向側に向かって延在する部位であり、第２実施形態では略円形とされる。
【０１０１】
円筒部１３Ｃは、鍔部１３に連結され、内周ギア１１５の外側に位置する。第２実施形態では、円筒部１３Ｃは、略円筒状の形状とされる。
【０１０２】
カバー部１１２は、円筒部１３Ｃに連結され、ベース７０と嵌合する箇所である。第２実施形態では、カバー部１１２の外縁は略正方形とされる。そして、カバー部１１２は、左右の側面の両端にそれぞれ２つの第１係合溝１１１Ａが設けられる。そして、前端部の両端に２つの第２係合溝１１１Ｂが設けられ、後端部の略中央に１つの第２係合溝１１１Ｂが設けられる。第１係合溝１１１Ａは、図１６に示されるベース７０の第１係合板部７０１Ａと係合するものである。また、第２係合溝１１１Ｂは、ベース７０の第２係合板部７０１Ｂと係合するものである。これにより、ケース１０Ａとベース７０が係合され、筐体を形成する。
【０１０３】
次に、図２２（ｂ）及び図２４を用いて、ケース１０Ａの内部構造について説明する。ケース１０Ａの内部には、図２６に示されるように、遊星歯車２８０と歯合するリング状の内周ギア１１５が形成される。そして、内周ギア１１５の上部には、平面視において略リング状の波形部１１６が形成される。波形部１１６は、内周ギア１１５の中心を通る円の中心からの水平距離が小さい部分及び大きい部分が交互に並んでおり、平面視においてジグザグ形状となる形状である。具体的には、多数の直線を結んでできる多角形状をなしている。さらに、鍔部１３の内面側の面には、段差１１７が設けられる。波形部１１６及び段差１１７を設けることにより、例えば内歯付キャリア２６０等の他の部材の位置決めを容易にし且つ摩擦抵抗を低減することができる。
【０１０４】
また、図２４に示されるように、ケース１０Ａの左右の内側面には、４つの溝１１８が形成される。溝１１８は、制動装置１０００を組み立てる又は分解する際に、後述するスライダー２２０の突起２３０を通すためのものである。第２実施形態では、スライダー２２０の突起２３０が４つであるため、ケース１０Ａにも４つの溝１１８を設けている。
【０１０５】
２−１−３＜スライダー２２０＞
次に、図２３を用いてスライダー２２０について説明する。スライダー２２０は、アイドルローラ４０及びローレット２４０を内部に保持し且つアイドルローラ４０及びローレット２４０と共に移動する移動部材に相当する。スライダー２２０は、天壁部２２１と、天壁部２２１に連結される後側壁部２２２及び前側壁部２２４と、後側壁部２２２及び前側壁部２２４のそれぞれに連結される底壁部２２３とを有する。
【０１０６】
天壁部２２１は概ね矩形の形状に一対の溝が形成された形状とされる。これら一対の溝はそれぞれ第１天壁溝２２６及び第２天壁溝２２７とされる。第１天壁溝２２６及び第２天壁溝２２７は、それぞれ左右方向に沿って延在する直線状の溝とされ、互いに直線上に並んでいる。
【０１０７】
底壁部２２３は天壁部２２１と対向する。第２実施形態では、底壁部２２３は、概ね天壁部２２１と同じ形状とされる。しかし、天壁部２２１と底壁部２２３を異なる形状としてもよい。底壁部２２３にも左右方向に直線上に並んで形成される一対の溝が形成されており、これら一対の溝はそれぞれ第１底壁溝２２８及び第２底壁溝２２９とされる。第１底壁溝２２８が第１天壁溝２２６と上下方向に対向しており、第２底壁溝２２９が第２天壁溝２２７と上下方向に対向している。したがって、スライダー２２０を平面視すると、図２３（ｃ）に示されるように、上下の溝が重なって見える。
【０１０８】
ここで、第１天壁溝２２６及び第１底壁溝２２８の幅の大きさは、軸芯３１の直径が収まる程度の大きさである。また、第２天壁溝２２７及び第２底壁溝２２９の幅の大きさは、軸芯４１が収まる程度の大きさである。
【０１０９】
また、天壁部２２１には、その四隅に天壁部２２１の左右へ突出するように突起２３０が設けられる。図１４に示されるように、突起２３０は、ケース１０Ａの支持溝１１４に収められ、ケース１０Ａの内部にスライダー２２０を浮き状態で支持するためのものである。すなわち、スライダー２２０が、下方に位置する内歯付キャリア２６０と非接触状態で保持される。
【０１１０】
前側壁部２２４及び後側壁部２２２には、貫通孔２２５が形成されている。貫通孔２２５は、前側壁部２２４及び後側壁部２２２の幅方向の略中央において前側壁部２２４及び後側壁部２２２を前後方向に貫通する。孔の形状は任意であるが、少なくともコードＣＤ１本が挿通可能な程度である。好ましくは、複数本のコードＣＤが縦方向に整列した状態で挿通可能な形状である。なお、第２実施形態では、上下方向に長い略長円形の形状とされる。
【０１１１】
また、図２３（ｂ）に示されるように、後側壁部２２２には、貫通孔２２５の両脇に、後側壁部２２２の外側面から形成される凹部２３１が形成されている。凹部２３１の形状は任意であり、図２３（ｂ）に示されるような貫通孔２２５から側面側にかけて切り欠かれた形状でもよく、略円形、略矩形の凹み等であってもよい。また、第２実施形態では、左側の凹部２３１内にコイルスプリングＳＰが配置されており、コイルスプリングＳＰの一端は凹部２３１から突出している。そして、制動装置１０００の組立時において、ケース１０Ａの内壁と当接し、スライダー２２０を前方に付勢する。なお、図２３ではコイルスプリングＳＰの凹部２３１から突出している部分を省略している。また、右側の凹部２３１内にコイルスプリングＳＰを配置してもよい。さらに、左右両方の凹部２３１内にコイルスプリングＳＰを配置してもよい。
【０１１２】
このような形状のスライダー２２０の左右方向の大きさは、ケース１０Ａの幅方向の内壁間の距離と概ね同じであり、スライダー２２０の前後方向の大きさは、ケース１０Ａの前後方向の内壁間の距離よりも小さくされる。従って、スライダー２２０がケース１０Ａの空間内に配置されると、スライダー２２０の天壁部２２１及び底壁部２２３の側面がケース１０Ａの幅方向において内壁面に当接して、スライダー２２０はケース１０Ａに対して幅方向に動きが規制される。この状態において、ケース１０Ａのガイド溝１１３とスライダー２２０の貫通孔２２５とが互いに前後方向に並ぶ。つまり、貫通孔２２５は、コードＣＤをスライダー２２０内に挿通するための孔である。一方、スライダー２２０がケース１０Ａの空間内に配置された状態で、スライダー２２０とケース１０Ａの内壁面との間には、前後方向に隙間が生じ、スライダー２２０はケース１０Ａに対して前後方向に動くことができる。また、スライダー２２０がケース１０Ａの空間内に配置された状態で、スライダー２２０の後側壁部２２２の凹部２３１から突出するコイルスプリングＳＰがケース１０Ａの後方の内壁を押圧する。従って、スライダー２２０がケース１０Ａの空間内に配置された状態で、スライダー２２０は、前方側に位置し、ケース１０Ａ内において前方に押圧された状態となる。
【０１１３】
ここで、図２４を用いて、スライダー２２０の突起２３０について詳細に説明する。図２４に示されるように、制動装置１０００を組み立てる際には、ケース１０Ａ内部の下方にスライダー２２０が位置するように配置し、両者が接近するように上下方向に相対移動させる。そして、ケース１０Ａの内部に設けられた溝１１８にスライダー２２０に設けられた突起２３０を通す。なお、図２４（ａ）において、可視性を高めるために溝１１８を強調して表している。そして、図１４に示すように、突起２３０が支持溝１１４まで到達するまでケース１０Ａとスライダー２２０を近づける。すると、スライダー２２０に設けられたコイルスプリングＳＰがケース１０Ａの後方の内壁と当接し、スライダー２２０を前方に付勢することにより、突起２３０が溝１１８よりも前方に位置することとなる。このため、ひとたびケース１０Ａにスライダー２２０を取り付けると、突起２３０が支持溝１１４から外れることを防止できる。なお、溝１１８は制動装置１０００の組み立て時のみならず、分解時においても突起２３０を通す役割をする。この場合、コイルスプリングＳＰの付勢力に抗してスライダー２２０をケース１０Ａに対して相対的に後方に移動させ、突起２３０が溝１１８の位置まで到達したときに、スライダー２２０をケース１０Ａに対して相対的に下側に移動させればよい。
【０１１４】
このような構成とすることで、スライダー２２０をケース１０Ａ内部において浮き状態で支持することが可能となる。そのため、スライダー２２０と他の部品、例えば内歯付キャリア２６０等との接触を防止することができ、不要な抵抗力を低減又はゼロにすることができる。したがって、各部材の消耗を低減することが可能となる。
【０１１５】
２−１−４＜アイドルローラ４０、ローレット２４０及びピニオンギア５０＞
次に、図１２及び図２５を用いて、アイドルローラ４０、ローレット２４０及びピニオンギア５０について説明する。アイドルローラ４０は、ローラ部４２及び軸芯４１で構成される。アイドルローラ４０の詳細については第１実施形態で説明したので、その説明を省略する。
【０１１６】
ローレット２４０は、第１実施形態のローラ部３２に相当する。そして、ローレット２４０の中心には軸芯３１の一端が挿入されている。そして、軸芯３１の他端には、ピニオンギア５０が挿入されている。ローレット２４０は任意の材料で形成することができ、例えばステンレスを用いることが可能である。
【０１１７】
第１実施形態と同様、アイドルローラ４０及びローレット２４０はスライダー２２０の内部に保持される。また、ピニオンギア５０は、スライダー２２０の外部に保持される。ここで、図１９を用いてローレット２４０、スライダー２２０及びピニオンギア５０の位置関係について説明する。図１９は、第２実施形態に係る制動装置１０００の左側面から見て軸芯３１の略中心を通る断面図の一部である。図１９に示されるように、制動装置１０００の組み立て時において、ローレット２４０とピニオンギア５０でスライダー２２０の底壁部２２３を挟み込むような構成となっている。また、第２実施形態では、ピニオンギア５０とスライダー２２０の接触面積を低減すべく、ピニオンギア５０に段差５１が設けられる。これにより、軸芯３１を介してローレット２４０及びピニオンギア５０が一体回転するときに、ピニオンギア５０とスライダー２２０との間の摺動抵抗を低減することができる。これにより、回転動作を滑らかにすることが可能となる。なお、抵抗を低減するために、第２実施形態では、ピニオンギア５０の下側において、ワッシャー２４１（図１１，１２参照）を軸芯３１にかましている。
【０１１８】
２−１−５＜内歯付キャリア２６０及び遊星歯車２８０＞
次に、図１１及び図２５を用いて内歯付キャリア２６０及び遊星歯車２８０について説明する。第２実施形態では、内歯付キャリア２６０は、平面視において略ドーナツ形状である。内歯付キャリア２６０は、円柱部２６４から平面視において外側に突出するフランジ２６２を備える。
【０１１９】
円柱部２６４の内側の内周面には、ピニオンギア５０と歯合する内歯車２６１が形成される。内歯車２６１は、第１実施形態における内周ギア６１に相当する。そして、フランジ２６２には、鉛直方向において下向きに突出する支持軸２６３が形成される。支持軸２６３の個数は特に限定されないが、特に等間隔であることが好ましい。なお、第２実施形態では、一例として支持軸２６３が４つ設けられた構成としている。
【０１２０】
そして、支持軸２６３にはそれぞれ、遊星歯車２８０が回転可能に支持されている。遊星歯車２８０は、後述する太陽歯車３２３と、ケース１０Ａの内部に設けられた内周ギア１１５と互いに歯合する。そして、内歯車２６１の中心部を中心として公転することが可能である。したがって、ピニオンギア５０の回転が内歯車２６１に伝達されることにより内歯付キャリア２６０が回転し、それにともない内歯付キャリア２６０のフランジ２６２に設けられた支持軸２６３に回転可能に支持された遊星歯車２８０が回転することで、ピニオンギア５０に起因する回転を増速させることが可能となる。また、遊星歯車２８０には段差２８１が設けられている。かかる段差により、他の部材との接触を回避することが可能となる。
【０１２１】
２−１−６＜太陽歯車付ウェイトホルダ３２０及びウェイト３４０＞
次に、太陽歯車付ウェイトホルダ３２０及びウェイト３４０について、図１１及び図２５を用いて説明する。太陽歯車付ウェイトホルダ３２０は、リング状のリング部３２４の外方に向かって、凸部３２１及び凹部３２２が交互に並んで形成される。図１１に示されるように、リング部３２４の外側の外周面には、遊星歯車２８０と歯合する太陽歯車３２３が、回転軸が凸部３２１の延在方向と略垂直方向を向くように設けられる。そして、それぞれの凹部３２２には、ウェイト３４０が配置される。つまり、太陽歯車付ウェイトホルダ３２０は、制動装置１０００の組み立て時において、凸部３２１を境としてそれぞれの凹部３２２内にウェイト３４０を保持する部材であるとも言える。なお、ウェイト３４０の数は任意であるが、回転時におけるバランスの観点から等間隔であることが好ましい。なお、第２実施形態では、一例として８つのウェイト３４０を用いている。したがって、凸部３２１及び凹部３２２もそれぞれ８つずつ設けられている。
【０１２２】
第２実施形態では、各ウェイト３４０には、ベース７０側に突起３４１が設けられる。かかる突起３４１により、ベース７０と当接する際における抵抗を低減することが可能となる。突起３４１の数は任意であるが、第２実施形態では、一例として４つの突起３４１を設けている。
【０１２３】
また、各ウェイト３４０に突起３４１を設ける代わりに、ベース７０に溝を設けることにより、ウェイト３４０とベース７０との抵抗を低減することが可能となる。例えば、図１３に示されるように、ベース７０の底部に、周囲より高さの低い溝７０９（図１３のリング状のハッチング部分）を設ける。ここで、図１３において、第１天壁溝１６と第２天壁溝１７には、挟着案内斜面１６ａ，１７ａ、解除案内斜面１６ｂ，１７ｂ、挟着側規制面１６ｃ，１７ｃ及び解除側規制面１６ｄ，１７ｄにより内周面が形成される。そして、その上にウェイト３４０を配置する。このとき、ウェイト３４０に突起３４１を設けなくとも、ベース７０に溝７０９が設けられたことにより、ウェイト３４０とベース７０との接触面積が低減することにより、ウェイト３４０とベース７０との抵抗を低減することが可能となる。
【０１２４】
ウェイト３４０は、ピニオンギア５０に起因する回転時において、遠心力により内歯車２６１の中心から遠ざかる方向に移動し、ケース１０Ａの内周壁と当接することにより、回転に対して遠心ブレーキとして抵抗力を付与するものである。したがって、ケース１０Ａの内周壁、太陽歯車付ウェイトホルダ３２０及びウェイト３４０により、第１実施形態の抵抗付与部ＲＡと同等の作用を奏することが可能となる。つまり、第２実施形態に係る制動装置１０００では、運動変換部ＤＴに相当する機構と抵抗付与部ＲＡに相当する機構が略垂直に位置するように設けられることとなる。
【０１２５】
なお、制動装置１０００の組み立て時においては、内歯付キャリア２６０と太陽歯車付ウェイトホルダ３２０が、プレート３００を介して組み立てられる。具体的には、内歯付キャリア２６０の円柱部２６４を太陽歯車付ウェイトホルダ３２０のリング部３２４に挿入するように組み立てる。したがって、円柱部２６４の直径は、リング部３２４の直径よりもわずかに小さく設計される。
【０１２６】
ここで、プレート３００は、遊星歯車２８０の傾きを防止するとともに、遊星歯車２８０とウェイト３４０の干渉を防ぐ機能を有する。なお、ウェイト３４０は、制動装置１０００全体の厚さを薄くするために、なるべく薄く形成されることが好ましい。さらに、プレート３００は、薄く形成するため金属製とするのが好ましいが、技術的に可能である場合には、プレート３００を樹脂形成してもよい。この場合、太陽歯車３２３と一体形成としてもよい。
【０１２７】
２−１−７＜ベース７０＞
次に、図１１、図１２、図１５（ｂ）及び図２５を用いて、ベース７０について説明する。図１１及び図１２に示されるように、ベース７０の略中央には、周囲より嵩高くなっており、下側が凹んでいる円柱部７０８が設けられる。そして、図１１及び図１５（ｂ）に示されるように、円柱部７０８の上面に第１ベース溝７０６、第１ガイド壁７０６Ａ、第２ベース溝７０７、第２ガイド壁７０７Ａが設けられる。
【０１２８】
第１ベース溝７０６及び第１ガイド壁７０６Ａはそれぞれ、ケース１０Ａに設けられた第１天壁溝１６及び第１ガイド壁１６Ａに相当するものである。そして、軸芯３１の下端が第１ベース溝７０６を挿通し、その縁に形成された第１ガイド壁７０６Ａと当接する。同様に、第２ベース溝７０７及び第２ガイド壁７０７Ａはそれぞれ、ケース１０Ａに設けられた第２天壁溝１７及び第２ガイド壁１７Ａに相当するものである。そして、軸芯４１の下端が第２ベース溝７０７を挿通し、その縁に形成された第２ガイド壁７０７Ａと当接する。
【０１２９】
なお、円柱部７０８は必須ではないが、円柱部７０８を設ける等して下側をへこませる
ことにより、軸芯３１及び軸芯４１の下端が、制動装置１０００を載置する載置面と接触することを防ぎ、軸芯３１及び軸芯４１の下端を適切に挿通することが可能となる。
【０１３０】
また、ベース７０は、左右の側面の両端にそれぞれ２つの第１係合板部７０１Ａが設けられる。そして、前方の側面の両端に２つの第２係合板部７０１Ｂが設けられ、後方の側面の略中央に１つの第２係合板部７０１Ｂが設けられる。第１係合板部７０１Ａは、ケース１０Ａに設けられた第１係合溝１１１Ａと係合するものである。また、第２係合板部７０１Ｂは、ケース１０Ａに設けられた第２係合溝１１１Ｂと係合するものである。これにより、ケース１０Ａとベース７０が係合され、筐体を形成する。
【０１３１】
さらに、図１２、図１５（ｂ）及び図２５等に示されるように、ベース７０の底面の外側には、遮蔽装置のヘッドボックス（第１実施形態における筐体１０６に相当）内に制動装置１０００を配置するときに利用する取付筒７０２が設けられる。例えば、ヘッドボックス内に設けられた軸等の部材に取付筒７０２をはめ込むことにより、制動装置１０００をヘッドボックス内にて安定して配置させることが可能となる。
【０１３２】
２−２＜組立構成＞
次に、これら各部材を組み立てた状態について、図１４〜図１８を用いて説明する。図１４は、これらの部材を組み合わせて構成された制動装置１０００の組立図である。図１４に示されるように、制動装置１０００の外観は、ケース１０Ａ及びベース７０が接続された筐体と、ケース１０Ａの上方から被せるようにして配置された整列部材２００からなる。かかる組立は、図１１及び図１２に示されるように、各部材同士の中心軸を上下方向に重ねあわせた状態でなされる。具体的には、内歯付キャリア２６０と、ウェイト３４０を保持した太陽歯車付ウェイトホルダ３２０が、プレート３００を介して組み立てられる。このとき、内歯付キャリア２６０に設けられた遊星歯車２８０と、太陽歯車付ウェイトホルダ３２０に設けられた太陽歯車３２３とが互いに歯合するようにする。
【０１３３】
そして、スライダー２２０の第１天壁溝２２６及び第１底壁溝２２８に軸芯３１を水平方向に移動させながらスライドさせる。このとき、ローレット２４０はスライダー２２０の内部に、ピニオンギア５０はスライダー２２０の外部に位置するようにされる。また、第２天壁溝２２７及び第２底壁溝２２９に軸芯４１水平方向に移動させながらスライドさせる。このとき、ローラ部４２がスライダー２２０の内部に位置するようにされる。そして、内歯付キャリア２６０に設けられた内歯車２６１とピニオンギア５０が互いに歯合するように、スライダー２２０と内歯付キャリア２６０が互いに近づくように相対移動させる。
【０１３４】
その後、これらの部材の下側にベース７０を配置し、図２４に示されるように、スライダー２２０の突起２３０がケース１０Ａの溝１１８を通るようにしてケース１０Ａを上方から被せる。このとき、スライダー２２０に設けられたコイルスプリングＳＰがケース１０Ａの内周壁と当接し、スライダー２２０が前方に付勢され、突起２３０が支持溝１１４から抜け落ちないことを確認する。そして、ケース１０Ａに設けられた第１係合溝１１１Ａ及び第２係合溝１１１Ｂと、ベース７０に設けられた第１係合板部７０１Ａ及び第２係合板部７０１Ｂを互いに係合させ、ケース１０Ａとベース７０を固定する。
【０１３５】
最後に、ケース１０Ａ及びベース７０で構成される筐体の上方から、整列部材２００を被せる。そして、整列部材２００に設けられた爪部２０９を、ケース１０Ａに設けられた係合孔１９と係合させ、整列部材２００とケース１０Ａを固定する。
【０１３６】
このようにして組み立てられた制動装置１０００が、図１４に示されるものである。そして、制動装置１０００の組立が完了すると、１本目のコードＣＤが整列部材２００の前方壁部２０５の外側であり第１前方溝２０１の上方に位置するように配置される。そして、２本目のコードＣＤが整列部材２００の第１前方コード挿入部２０１Ａを介して第１前方溝２０１に挿通される。そして、３本目のコードＣＤが第２前方コード挿入部２０２Ａを介して第２前方溝２０２に挿通される。
【０１３７】
そして、これらのコードＣＤがケース１０Ａの前後に設けられたガイド溝１１３及びスライダー２２０の前後に設けられた貫通孔２２５に通される。
【０１３８】
そして、かかるコードＣＤのうち、１本目のコードＣＤが、整列部材２００の後方壁部２０６の外側であり第１後方溝２０３の上方に位置するように通される。そして、２本目のコードＣＤが、整列部材２００の後方壁部２０６に設けられた第１後方コード挿入部２０３Ａを介して第１後方溝２０３から外部に通される。そして、３本目のコードＣＤが、第２後方コード挿入部２０４Ａを介して第２後方溝２０４から外部に通される。これにより、図１４（ａ），（ｂ）に示される状態となる。
【０１３９】
したがって、第４の観点によれば、第２実施形態に係る制動装置１０００を備えた遮蔽装置は、複数のコードの移動を捕捉する挟着体と、挟着体にコードが捕捉される前に、複数のコードの向きを整える整列部材と、コードの移動を制動する制動装置とを備え、整列部材は、制動装置に設けられる、遮蔽装置と捉えることができる。ここで、第２実施形態では、軸芯３１、ローレット２４０、軸芯４１、ローラ部４２により挟着体が構成される。そして、整列部材２００が整列部材に相当する。さらに、挟着体を内包するケース１０Ａが設けられる。さらに、整列部材２００は、ケース１０Ａと別部材として設けられる。かかる構成により、コードＣＤが整列された状態で挟着されるので、コードを正確に挟着することが可能となる。
【０１４０】
また、整列部材２００は、挟着体に対してコードＣＤの下降方向手前に設けられる。さらに、整列部材は、挟着体に対してコードＣＤの上昇方向手前に設けられる。さらに、整列部材２００は、ケース１０Ａと嵌合可能に構成される。さらに、整列部材２００には、コードＣＤを整列させるための整列用開口部（第１及び第２前方溝２０１，２０２，第１及び第２後方溝２０３，２０４）が設けられる。さらに、整列部材２００には、コードＣＤを挿入するため挿入用開口部（第１及び第２前方コード挿入部２０１Ａ，２０２Ａ，第１及び第２後方コード挿入部２０３Ａ，２０４Ａ）が設けられる。そして、挿入用開口部と整列用開口部は、コードＣＤが移動可能なスリットを介して繋がっている。ここで、挿入用開口部及び整列用開口部の少なくとも一方は、スリット形状であってもよい。さらに、ケース１０Ａには、コードＣＤを挿通過可能なコード挿入開口部（ガイド溝１１３）が設けられ、整列部材２００とコード挿入開口部により、コードＣＤが整列される。
【０１４１】
図１４（ｃ）は、制動装置１０００の左側面図、つまり、図１４（ａ）の矢印Ｘ方向から見た側面図である。図１４（ｃ）に示されるように、制動装置１０００は、側面視において、上側からケース１０Ａ、整列部材２００、ベース７０が視認されることとなる。また、支持溝１１４により突起２３０が支持されていることが伺える。
【０１４２】
図１５（ａ）に示されるように、制動装置１０００は、その平面視において、中心から順にケース１０Ａ、整列部材２００、ベース７０の一部の順に視認できる。ここで、図１４（ａ），（ｂ）及び図１５（ａ）に示されるように、軸芯３１の上端が、スライダー２２０に設けられた第１天壁溝２２６からケース１０Ａに設けられた第１天壁溝１６を挿通し、ケース１０Ａの外部に露出している。同様に、軸芯４１の上端が、スライダー２２０に設けられた第２天壁溝２２７からケース１０Ａに設けられた第２天壁溝１７を挿通し、ケース１０Ａの外部に露出している。
【０１４３】
そして、第１天壁溝１６の縁に設けられた第１ガイド壁１６Ａが軸芯３１と当接し、第２天壁溝１７の縁に設けられた第２ガイド壁１７Ａが軸芯４１と当接している。
【０１４４】
また、図１５（ｂ）に示されるように、ベース７０は、その底面視において、第１ベース溝７０６に挿通された軸芯３１の下端と、第２ベース溝７０７に挿通された軸芯４１の下端を視認することができる。なお、取付筒７０２が設けられる面において、円柱部７０８の上を面で覆うことにより、軸芯３１及び軸芯４１の下端が外部から覆われる構成としてもよい。
【０１４５】
２−２−２＜組立状態における内部構造＞
次に、図１６〜図１８を用いて、組立状態における内部構造について説明する。図１６は、図１４の状態から整列部材２００及びケース１０Ａを取り外した状態における斜視図である。図１６に示されるように、スライダー２２０の上方に軸芯３１及び軸芯４１が突出している。また、軸芯３１は、第１天壁溝２２６内においてスライダー２２０の幅方向に動きが規制される。同様に、軸芯４１は、第２天壁溝２２７内においてスライダー２２０の幅方向に動きが規制される。なお、図示を省略しているコードＣＤは、スライダー２２０の貫通孔２２５に縦に整列された状態でスライダー２２０の前後方向に挿通される。
【０１４６】
図１７は、図１６の状態からさらにスライダー２２０を取り外した状態における斜視図である。図示を省略したコードＣＤは、ローレット２４０及びローラ部４２に挟着された状態で、制動装置１０００の前後に挿通される。また、ピニオンギア５０と内歯車２６１は互いに歯合している。したがって、コードＣＤに張力がかかったときに、コードＣＤとローレット２４０の間で摩擦力が発生し、それによりローレット２４０と一体となってピニオンギア５０が回転すると、ピニオンギア５０の回転が内歯車２６１に伝達される。その結果、内歯車２６１が自転することにより、内歯付キャリア２６０とともにそのフランジ２６２に設けられる支持軸２６３も公転する。それに伴い、支持軸２６３に回転可能に支持される遊星歯車２８０が自転しながら公転を開始する。
【０１４７】
図１８は、図１７の状態からさらに内歯付キャリア２６０を取り外した状態における斜視図である。図１８に示されるように、遊星歯車２８０と太陽歯車３２３は互いに歯合している。したがって、遊星歯車２８０の回転が太陽歯車３２３に伝達され、太陽歯車付ウェイトホルダ３２０が自転を開始する。その結果、図２５に示されるように、太陽歯車付ウェイトホルダ３２０の凹部３２２に保持されたウェイト３４０が自転を開始する。そして、回転速度がある一定値を上回ると、遠心力によりウェイト３４０がケース１０Ａの内壁と当接する。これにより、ローレット２４０の回転に対して抵抗力が与えられる。
【０１４８】
以上、第２の観点によれば、図１４〜図１８を用いて説明したように、第２実施形態に係る制動装置１０００を設けた遮蔽装置は、コードの移動を捕捉し且つ前記コードの移動に起因する回転を抵抗付与部に伝達する挟着体と、挟着体を内包するケースと、を有する遮蔽装置であると言える。ここで、第２実施形態では、軸芯３１、ピニオンギア５０、軸芯４１、ローラ部４２により、コードの移動を捕捉する挟着体が構成される。また、ケース１０Ａがケースに相当する。さらに、ケースには、他の部材を外部に露出可能に構成された機能性開口部が設けられる。ここで、第２実施形態では、第１天壁溝１６及び第２天壁溝１７が機能性開口部に相当する。さらに、挟着体の回転軸が機能性開口部からケースの外部に露出するように構成される。ここで、軸芯３１及び軸芯４１が挟着体の回転軸に相当する。
【０１４９】
また、ケース１０Ａの少なくとも上面が覆われている。さらに、ケース１０Ａの側面が覆われている。さらに、ケース１０Ａは抵抗付与部ＲＡを覆う。さらに、ケース１０Ａの底面の開口部（機能性開口部）は、制動装置１０００をヘッドボックス内に設置した状態で、ヘッドボックスの底面で覆われる。さらに、かかる状態で、ケース１０Ａの上面の開口部（機能性開口部）は、ヘッドボックスの上部カバーで覆われる。つまり、ケース１０Ａは、ヘッドボックス、ヘッドボックスのボックスキャップ又はヘッドボックスのボックスカバーの少なくとも１つにより覆われる。
【０１５０】
次に、図２６及び図２７を用いて、組立状態における各部材間の相対位置についてさらに詳細に説明する。図２６は、図１４（ｃ）のＡ−Ａ線切断部断面図である。図２６に示されるように、軸芯３１を中心とするピニオンギア５０と、内歯付キャリア２６０に設けられる内歯車２６１とが互いに歯合している。また、内歯車２６１の回転は、内歯付キャリア２６０の支持軸２６３を介して遊星歯車２８０に伝達されるように構成される。そして、遊星歯車２８０は、太陽歯車付ウェイトホルダ３２０に設けられた太陽歯車３２３及びケース１０Ａの内部に設けられた内周ギア１１５と互いに歯合する。したがって、ピニオンギア５０に起因する回転が加えられることにより、遊星歯車２８０は太陽歯車３２３と内周ギア１１５の間に形成される空間内を、内歯車２６１の中心部を中心として公転することが可能となる。
【０１５１】
図２７は、図１５（ａ）のＢ−Ｂ線切断部断面図である。図２７に示されるように、第２実施形態では、Ｂ−Ｂ線切断部断面図は取付筒７０２を中心として略左右対称となっている。そして、軸芯３１及び軸芯４１がケース１０Ａの上端及びベース７０の下端から突出している。なお、第２実施形態では、第１ガイド壁１６Ａ及び第２ガイド壁１７Ａの上端が、それぞれ軸芯３１及び軸芯４１の上端と略同じ高さとなっている。
【０１５２】
そして、ローレット２４０及びローラ部４２がスライダー２２０の内部に位置している。さらに、ローレット２４０とともにスライダー２２０を挟んだ状態で、ピニオンギア５０がスライダー２２０の外部に位置している。また、ピニオンギア５０と内歯車２６１が互いに歯合している。
【０１５３】
そして、ケース１０Ａの上側から鍔部１３にかけて、整列部材２００で覆われている。また、ケース１０Ａはその下端においてベース７０と係合している。そして、ベース７０の上部には、ウェイト３４０が保持されている。ここで、第２実施形態では、ウェイト３４０を着脱式としているので、必要な制動力をウェイト３４０の数又は種類により調整することが可能となる。つまり、大きな制動力が求められる場合にはウェイト３４０の数を増やしたり、他のより密度の高いウェイトを太陽歯車付ウェイトホルダ３２０に保持すればよい。一方、小さな制動力で十分な場合には、ウェイト３４０の数を減らせばよい。なお、ウェイト３４０は、回転時における安定性の観点から、太陽歯車付ウェイトホルダ３２０に保持される面上において対称配置することが好ましい。なお、本実施形態では、ウェイト３４０に設けられた突起３４１とベース７０の底面が当接することにより、回転時におけるウェイト３４０とベース７０との間の抵抗力を低減している。
【０１５４】
２−３＜動作＞
次に、図２８を用いて第２実施形態に係る制動装置１０００の動作について説明する。図２８（ａ）はコードＣＤに何ら張力が与えられない状態（定常状態）、図２８（ｂ）はコードＣＤに張力が与えられ、ローレット２４０及びローラ部４２でコードＣＤが挟着された状態（挟着状態）、図２８（ｃ）は図２８（ａ）から図２８（ｂ）へ状態変化する際における各部材の回転方向をまとめた図である。なお、図２８（ａ），（ｂ）はともに、図２６と同様に、図１４（ｃ）のＡ−Ａ線切断部断面図である。ここで、説明の都合上、かかる断面図には現れないローラ部４２の外周を軸芯４１の周囲に、ローレット２４０の外周を軸芯３１の周囲に重ねて表示した。なお、ローレット２４０の外周は厳密には円形ではないが、説明の簡略化のため、円形に近似して図示している。
【０１５５】
図２８（ａ）に示されるように、定常状態において、上記のように、コイルスプリングＳＰは、ケース１０Ａの後方の内壁と当接し、スライダー２２０を前方に押圧する。したがって、スライダー２２０はケース１０Ａの前方に位置する。このため、スライダー２２０の第１天壁溝２２６及び第１底壁溝２２８により位置が規制されている軸芯３１と、第２天壁溝２２７及び第２底壁溝２２９により位置が規制されている軸芯４１と、がスライダー２２０とともに前方に移動する。さらに、スライダー２２０の上部に保持されるケース１０Ａに設けられた第１天壁溝１６と第２天壁溝１７は、前方に向かうにつれて互いに距離が小さくなっている。同様に、ベース７０に設けられた第１ベース溝７０６及び第２ベース溝７０７は、前方に向かうにつれて距離が小さくなっている。したがって、軸芯４１に回転可能に支持されるローラ部４２と、軸芯３１に回転可能に支持されるローレット２４０との距離も小さくなる。つまり、第１天壁溝１６及び第１ベース溝７０６は、ローレット２４０の軸芯３１が移動可能に嵌合し、ローレット２４０が溝に沿わない動きをすることを規制する規制溝として機能する。同様に、第２天壁溝１７及び第２ベース溝７０７は、ローラ部４２の軸芯４１が移動可能に嵌合し、ローラ部４２が溝に沿わない動きをすることを規制する規制溝として機能する。また、第１天壁溝１６及び第１ベース溝７０６は、内歯付キャリア２６０の内周面の中心点と平面視において同心円上に形成されるため、軸芯３１がそれぞれの溝内を移動しても、ピニオンギア５０は内歯付キャリア２６０に設けられた内歯車２６１に歯合し続けることができる。
【０１５６】
このように、ローレット２４０とローラ部４２との距離が小さくなると、ローレット２４０はローラ部４２に押圧され、ローレット２４０とローラ部４２でコードＣＤが狭持される。つまり、第２実施形態では、コイルスプリングＳＰは、ローレット２４０がローラ部４２に押圧されるように、ローレット２４０を常時付勢する付勢部材としても機能する。
【０１５７】
そして、定常状態の制動装置１０００において、コードＣＤに矢印Ｄ１の向き（前方）に張力を与えたとする。すると、コードＣＤとの間に生じる摩擦力により、ローレット２４０が反時計回りに、ローラ部４２が時計回りに回転する。そして、ローレット２４０の回転により、同じ軸芯３１を共有して固定されているピニオンギア５０もローレット２４０と同じ向き（反時計周り）に回転（自転）する。この際、図２８（ｂ）に示されるように、軸芯３１及び軸芯４１は、平面視において前方に移動し、ケース１０Ａの第１天壁溝１６の挟着案内斜面１６ａ及び第２天壁溝１７の挟着案内斜面１７ａにそれぞれ案内されることで左右方向において互いに近接して、ローレット２４０とローラ部４２によるコードＣＤの挟着力が強くなり、コードＣＤの移動に応じてローレット２４０が確実に回転するようになる。すると、ピニオンギア５０は内歯車２６１と歯合しているので、ピニオンギア５０の歯から与えられる力により、内歯車２６１が反時計周りに回転（自転）する。これにより、内歯車２６１とともに内歯付キャリア２６０も反時計周りに回転（自転）するので、内歯付キャリア２６０に設けられた遊星歯車２８０も同様に反時計周りに回転（公転）する。ここで、遊星歯車２８０は太陽歯車３２３及びケース１０Ａにより固定された内周ギア１１５と互いに歯合しているので、公転方向とは逆向き（時計回り）に自転しつつ、反時計周りに公転することとなる。したがって、遊星歯車２８０の内側で遊星歯車２８０と歯合する太陽歯車３２３は、遊星歯車２８０の自転と逆向き（反時計周り）に回転（自転）する。このとき、遊星歯車２８０により、太陽歯車３２３の回転は増速される。これにより、太陽歯車３２３とともに回転する太陽歯車付ウェイトホルダ３２０に保持されるウェイト３４０も回転を開始する。なお、すでに述べた通り、遊星歯車２８０の外側で遊星歯車２８０と歯合する内周ギア１１５は、ケース１０Ａとベース７０が固定されているため、遊星歯車２８０の回転時においても回転しない。
【０１５８】
そして、図２８（ｂ）に示されるように、ローレット２４０とローラ部４２が限界まで近づく（挟着状態）と、ローレット２４０の自転は続くもののローレット２４０の内歯車２６１に沿った移動が停止する。このとき、ローレット２４０の自転に起因した他の部材の回転は継続される。すると、遠心力によりウェイト３４０がケース１０Ａの内周壁に当接することにより、回転に対して抵抗力が生じる。つまり、コードＣＤの移動速度が上昇することで回転速度が上昇し、これにより遠心力が上昇する。そして、遠心力が上昇することによりウェイト３４０がケース１０Ａの内周壁により強く当接することになり、抵抗力が上昇する。これにより、コードＣＤの移動速度（日射遮蔽部材の落下速度）を抑えることができる。ここで、コードＣＤに加えられる張力が略一定の場合（例えば、第１実施形態の図１０において、制動装置１０００の前方側のコードＣＤに昇降可能に吊持される日射遮蔽部材が自由落下する場合）には、コードＣＤに加えられる張力とウェイト３４０とケース１０Ａの内周壁による抵抗力が釣り合うところで、コードＣＤの移動速度が略一定となる。したがって、制動装置１０００は、コードＣＤの移動に対する回転ダンパとして機能し、日射遮蔽部材をゆっくりと降下させることが可能となる。
【０１５９】
以上説明した、定常状態から挟着状態までの挟着状態の変化について、各部材の回転方向（ピニオンギア５０については、さらに平面視における前後方向及び締め付け方向も含む）をまとめたものが図２８（ｃ）である。
【０１６０】
一方、コードＣＤに矢印Ｄ１と逆向き（後方）に張力を与えた場合には、ローレット２４０及びローラ部４２が上記と逆向きに回転する。その結果、軸芯３１及び軸芯４１が第１天壁溝１６の解除案内斜面１６ｂ及び第２天壁溝１７の解除案内斜面１７ｂにそれぞれ案内されることで、互いに離間するように移動する。すると、コードＣＤに対するローレット２４０の挟着力が弱まり、弱い力でコードＣＤを引っ張ることが可能となる。したがって、図１０に示されるように、ヘッドボックス内に制動装置１０００を設ける場合には、図２８において前方にコードＣＤに張力が加わる向きを日射遮蔽部材の下降する向きとし、後方にコードＣＤに張力が加わる向きを日射遮蔽部材の上昇する向きとすると好適である。
【０１６１】
次に、図２９を用いて、定常状態及び挟着状態の状態変化の際におけるスライダー２２０の移動について説明する。図２９（ａ）が図２８（ａ）に、図２９（ｂ）が図２８（ｂ）にそれぞれ対応する。
【０１６２】
図２９（ａ）の定常状態から図２９（ｂ）の挟着状態に変化するとき、軸芯４１とローラ部４２、及び、軸芯３１とローレット２４０は、コードＣＤとの摩擦力により図中の前方に移動する。このとき、軸芯４１が第２天壁溝２２７及び第２底壁溝２２９と当接していることにより、軸芯４１の前方への移動に伴って、第２天壁溝２２７及び第２底壁溝２２９に対して前方へ力が加わる。また、軸芯３１が第１天壁溝２２６及び第１底壁溝２２８と当接していることにより、軸芯３１の前方への移動に伴って、第１天壁溝２２６及び第１底壁溝２２８に対して前方へ力が加わる。したがって、軸芯３１，４１が前方にΔ移動すると、スライダー２２０も前方にΔ移動する。
【０１６３】
ここで、第３の観点によれば、第２実施形態に係る制動装置１０００を用いた遮蔽装置は、異なる太さのコードに対応したコード挟着範囲を備える挟着体を有する遮蔽装置と捉えることもできる。ここで、ローラ部４２及びローレット２４０（挟着部材）が挟着体を構成する。図３０は、異なる太さのコードＣＤをローラ部４２及びローレット２４０が挟着する様子を表す図である。ここで、図３０（ａ）及び（ｂ）はともに、コードＣＤの挟着状態を示すものとする。図３０（ａ）に示されるように、第１の太さのコードＣＤを挟着する場合は、ローレット２４０及びローラ部４２が第１天壁溝１６及び第２天壁溝１７に沿って前方に移動し、コードＣＤを挟着する。このときのローラ部４２及びローレット２４０の位置を、第１挟着位置とする。そして、図３０（ｂ）に示されるように、第１の太さより太い第２の太さのコードＣＤを挟着する場合は、ローレット２４０及びローラ部４２が第１天壁溝１６及び第２天壁溝１７に沿って後方に移動し、コードＣＤを挟着する。このときのローラ部４２及びローレット２４０の位置を、第２挟着位置とする。したがって、第２挟着位置は、ローラ部４２及びローレット２４０が第１挟着位置よりも互いに離間した位置であるといえる。
【０１６４】
図３１は、図３０の定常状態を表す。このように、異なる太さのコードＣＤを用いる場合であっても、一対の挟着体が移動することにより、異なる太さのコードに対応したコード挟着範囲が実現される。ここで、コード挟着範囲とは、一対の挟着体で挟着可能なコードの太さのことである。つまり、第１の太さにおけるコード挟着範囲は、第２の太さにおけるコード挟着範囲よりも小さい。換言すると、一対の挟着体が移動することにより、異なる太さのコードＣＤを挟着することが可能になる。
【０１６５】
さらに、第１の観点によれば、第２実施形態では、アイドルローラ４０、ローレット２４０、軸芯３１、ケースの斜面、スライダー２２０の押圧面により、挟着装置が構成される。そして、かかる挟着装置自体がワンウェイ機能を備える。具体的には、ローレット２４０及びローラ部４２の近接及び離間動作により、図１０に示されるような日射遮蔽部材１０１の自動動作時には挟着装置がコードに同期してコードの移動に起因する回転を抵抗付与部ＲＡに伝達する一方、日射遮蔽部材１０１の引き操作時には挟着装置がコードに同期せずコードの移動に起因する回転を抵抗付与部ＲＡに伝達しないように構成される。
【０１６６】
つまり、挟着装置を構成する張力伝達ローラ３０の変位によって、張力伝達ローラ３０とコードのＣＤ間に作用する摩擦力を変化させることにより、ワンウェイ機能が実現される。また、別の観点では、挟着装置を構成する張力伝達ローラ３０の変位によって、コードのＣＤ移動に起因する回転を抵抗付与部ＲＡに伝達するか否かが切り替わるように構成される。
【０１６７】
なお、第２実施形態では、ウェイト３４０が太陽歯車付ウェイトホルダ３２０に保持されることとしたが、ウェイト３４０の保持の方法はこれに限定されない。例えば、ウェイト３４０が内歯付キャリア２６０に保持されることとしてもよい。この場合、遊星歯車２８０、プレート３００及び太陽歯車付ウェイトホルダ３２０は省略することができる。なお、遊星歯車２８０を省略することにより、太陽歯車３２３、太陽歯車付ウェイトホルダ３２０及びウェイト３４０の回転に対する増速効果は得られなくなる。
【０１６８】
以上、第２実施形態に係る制動装置１０００について説明したが、本発明はこれらに限定されない。例えば、ケース１０Ａに変えて、図３１に示すケース１０Ｄを用いることができる。ここで、図３１を用いてケース１０Ｃについて説明する。図３１に示されるように、ケース１０Ｄは、第１実施形態に係るケース１０と概ね同様の構成とされる。また、ケース１０Ｄの内部には、概ね第２実施形態に係る制動装置１０００と同様の部材が配置される。
【０１６９】
天壁部１１には、第１天壁溝１６と第２天壁溝１７とが形成されており、第２実施形態と同様に、第１天壁溝１６からは軸芯３１が、第２天壁溝１７からは軸芯４１がそれぞれケース１０Ｄの外部に露出している。そして、軸芯３１にはローレット２４０が、軸芯４１にはアイドルローラ４０がそれぞれ回転可能に支持されている（図示せず）。
【０１７０】
側壁部１２のうち前方の側壁部（前面）には、複数のガイド孔１４ａ〜１４ｃが形成されている。また、側壁部１２のうち後方の側壁部（背面）には、複数のガイド孔１５ａ〜１５ｃが形成されており、複数のガイド孔１５ａ〜１５ｃは複数のガイド孔１４ａ〜１４ｃと前後方向に対向している。
【０１７１】
これらのガイド孔１４ａ〜１４ｃ及びガイド孔１５ａ〜１５ｃはコードＣＤが前後方向に挿通されるための孔である。また、図３１（ｂ）に示されるように、ガイド孔１５ａ〜１５ｃの後方には、支持シャフト３０００が２つ設けられる。この支持シャフト３０００は、ケース１０Ｄの側壁部１２から後方に連続する支持壁３００１に形成された２組の支持溝３００２に支持される。支持溝３００２は、上方に向かって開口しており、支持シャフト３０００を上方より導入可能な構成となっている。そして、かかる支持シャフト３０００により、コードＣＤを支持する。つまり、支持シャフト３０００は、第２実施形態に係る整列部材２００と同じ機能を有する。つまり、ケース１０Ｄは、別途整列部材２００を設ける必要がなく、ケース１０Ｄ自体に整列部材２００と同様の機能を有する支持シャフト３０００を取り付けることができる。
【０１７２】
＜作用・効果＞
第２実施形態に係る制動装置１０００により、以下のような作用・効果を得ることができる。
（１）軸芯３１、ローレット２４０、ピニオンギア５０、軸芯４１、ローラ部４２により構成され、コードの移動を捕捉し且つコードの移動に起因する回転を抵抗付与部ＲＡに伝達する挟着体がワンウェイ機能を備えることにより、従来のようにワンウェイクラッチを別途設ける構成と比べて、部品数を低減し、装置の体積を小さくすることができる。
（２）コードＣＤの移動を捕捉する挟着体と、挟着体を内包するケース１０Ａと、を有する構成により、ケース１０Ａへの埃等の異物の進入を防止することができる。したがって、コードＣＤに異物が付着することを防止し、性能低下を防止することが可能となる。
（３）異なる太さのコードに対応したコード挟着範囲を備える挟着体を有するので、制動装置１０００の構成を変えることなく、異なる太さのコードＣＤを挟着することが可能となる。したがって、１つの制動装置１０００で種々の遮蔽装置に対応することが可能となる。
（４）複数のコードＣＤの移動を捕捉する挟着体と、挟着体にコードＣＤが捕捉される前に、複数のコードＣＤの向きを整える整列部材２００と、を有する構成により、例えばコードＣＤがもつれた状態で挟着されることを防止することが可能となる。
【０１７３】
３．第３実施形態：第１及び第２の観点
次に、図３２〜図３７を用いて、第３実施形態に係る制動装置４０００を説明する。本実施形態の制動装置４０００は、図３２に示すように、運動変換部ＤＴ及び抵抗付与部ＲＡが軸芯３１によって接続された構成となっている。以下、本実施形態の概略を説明する。
【０１７４】
まず、運動変換部ＤＴについて、図３２、図３３及び図３４（ｂ）の各図に示すように、挟着体の一対の挟着部材は、張力伝達ローラ３０と、固定部材４４０に形成された傾斜部４４１とによって構成される。すなわち、本実施形態では、挟着部材は片方のみが移動可能に構成される。また、張力伝達ローラ３０の回転は、図３２及び図３４に示すように、軸芯３１を介して平ギア４５０、小ギア４６０及び大ギア４６１からなる増速ギア４６２、ウォームギア４７０に順次伝達される。そして、ウォームギア４７０の回転が抵抗付与部ＲＡとしての遠心ブレーキ４８０に伝達されることで、張力伝達ローラ３０に制動力が加わることになる。なお、平ギア４５０、増速ギア４６２、ウォームギア４７０及び遠心ブレーキ４８０は、固定部材４４０と隣接する位置において、内部空間Ｓを有する筐体４９０によって覆われている。図３２の紙面手前方向、図３３の下方向及び図３４（ａ），（ｂ）の左方向が、上述した実施形態の前方向に対応する。
【０１７５】
本実施形態において、固定部材４４０は、図３２及び図３４（ｂ）に示すように、略直方体の部材であり、例えば遮蔽装置のヘッドボックス等に固定される。固定部材４４０の上部には、図３４（ｂ）に示すように傾斜部４４１が形成される。そして、傾斜部４４１の上面は、図３２に示すように、３本のコードＣＤを位置決めするため、コードＣＤの延在する方向に延びる３本の溝４４２ａ〜４４２ｃが形成される。
【０１７６】
一方、張力伝達ローラ３０は、図３２に示すように、第２実施形態のものと同様に軸芯３１とローレット２４０を備え、軸芯３１を介して保持部材としてのスライダー４２０に保持される。
【０１７７】
スライダー４２０は、平行な一対の板状支持部４２１及びこれらを後方で接続する後壁４２３を備えた略コの字状をなし（図３３参照）、固定部材４４０の上面４４０ａに傾斜部４４１を跨ぐように配置されており、固定部材４４０の上面４４０ａに沿ってコードＣＤの延在する方向に平行移動が可能になっている。すなわち、本実施形態においては、固定部材４４０の上面４４０ａがスライダー４２０をガイドするガイド部として機能する。一対の板状支持部４２１には、それぞれ軸芯３１を回転可能に保持する貫通孔４２２が形成される。また、図３４（ｂ）に示すように、スライダー４２０の後壁４２３に形成された保持溝４２３ａと固定部材４４０の後方位置に固定された壁部４４３との間には、付勢部材としてのコイルスプリングＳＰが配置されており、スライダー４２０は前方（図３３の下方向、図３４（ｂ）の左方向）に向かって付勢されている。
【０１７８】
また、スライダー４２０は、図３２及び図３４（ｂ）に示すように、固定部材４４０の上方に形成される天壁４４４により上方側の位置規制がされており、天壁４４４には、下方に突出してスライダー４２０の後壁４２３と係合することでスライダー４２０が前方へ抜けることを防止する突起４４５が形成される。また、図３４（ｂ）に示すように、天壁４４４には開口部４４４ａが形成され、スライダー４２０の後壁４２３の当該開口部４４４ａと対応する位置には、後壁４２３から上方へ突出する突出部４２３ｂが形成されており、スライダー４２０を固定部材４４０、壁部４４３及び天壁４４４によって形成される収容空間ＳＳに収容された状態で、外部からスライダー４２０を操作してコードＣＤを張力伝達ローラ３０と傾斜部４４１の間に通す等の操作を行うことができる。
【０１７９】
次に、図３２及び図３４（ａ）に示すように、張力伝達ローラ３０の回転に伴って回転する軸芯３１には、平ギア４５０が取り付けられている。軸芯３１は、筐体４９０の固定部材４４０側の壁面４９１に形成される長孔４９１ａ（図３３及び図３７参照）を貫通するよう配置され、張力伝達ローラ３０、軸芯３１及び平ギア４５０は長孔４９１ａ（図３３及び図３７参照）の範囲内において、スライダー４２０の前後方向の移動に伴って前後方向に一体となって移動可能となっている（図３７参照）。平ギア４５０のギア歯４５０ａは、これより径の小さい増速ギア４６２の小ギア４６０のギア歯４６０ａと噛み合うことが可能となっている。また、小ギア４６０と大ギア４６１は、筐体４９０の固定部材４４０側の壁面４９１及びこれと対向する壁面４９２にそれぞれ形成される支持穴４９３，４９４に回転可能に支持される回転軸４６３を中心に、一体回転するよう構成される。大ギア４６１は、平ギア４５０と略同一の径を有し、ウォームギア４７０と常時噛み合うよう配置される。
【０１８０】
ウォームギア４７０は、増速ギア４６２の大ギア４６１の左右方向（図３２の左右方向）を軸とする回転を上下方向を軸とする回転に変換して中心軸４７１に伝達するよう構成される。中心軸４７１の一端は筐体４９０の下方支持部４９５に回転可能に支持され、中心軸４７１の他端は遠心ブレーキ４８０の円筒ケース４８１の上方支持部４８２に回転可能に支持される。また、図３５に示すように、中心軸４７１には、円筒ケース４８１内において遠心ブレーキ４８０の回転体４８３が相対回転不能に取り付けられる。
【０１８１】
遠心ブレーキ４８０は、図３５に示すように、円筒ケース４８１内において回転体４８３を備える。回転体４８３は、中心軸４７１に固定される中央部４８４と、中央部から径方向外側に延びる一対の腕部４８５と、当該腕部４８５の縁部から円周方向に延びる弾性変形部４８６と、遠心拡径部４８７と、を備え、中心軸４７１の回転に伴って回転するものである。そして、遠心ブレーキ４８０は、中心軸４７１の回転が遅い場合には、遠心拡径部４８７と円筒ケース４８１との間に隙間４８８があるため、中心軸４７１に加わる制動トルクは小さく、中心軸４７１の回転が速くなった場合に、遠心拡径部４８７に加わる遠心力が大きくなり、弾性変形部４８６が変形して遠心拡径部４８７の外周面４８７ａが円筒ケース４８１の内周面４８１ａに擦れることによって発生する制動トルクが大きくなる構成となっている。なお、制動トルクの大きさは、弾性変形部４８６の弾性力及び隙間４８８の大きさを変えることによって調整可能である。
【０１８２】
以上のような構成により、図３６（ａ）に示すようなコードＣＤに張力が与えられない状態（定常状態）においては、ローレット２４０はスライダー４２０を介してコイルスプリングＳＰによってコードＣＤを傾斜部４４１の溝４４２ａ〜４４２ｃに近づくよう付勢される。その結果、張力伝達ローラ３０（ローレット２４０）及び傾斜部４４１の溝４４２ａ〜４４２ｃがコードＣＤを狭着する状態となるとともに、図３７（ａ）に示すように、平ギア４５０が増速ギア４６２の小ギア４６０と噛み合って、張力伝達ローラ３０の回転が抵抗付与部ＲＡ（遠心ブレーキ４８０）に伝達可能な状態（出力状態）となる。この状態でコードＣＤが前方（図３６の左方向）に移動すると、コードＣＤの移動がローレット２４０に伝達し、抵抗付与部ＲＡによってコードＣＤに抵抗が与えられることになる。
【０１８３】
一方、コードＣＤが後方（図３６の右方向）に移動すると、図３６（ｂ）に示すように、張力伝達ローラ３０（ローレット２４０）は回転しつつもコードＣＤの移動に伴ってコードＣＤと同じ方向に移動し、これにより軸芯３１を介してスライダー４２０もコイルスプリングＳＰの付勢力に抗して後方へ移動する。すると、図３７（ｂ）に示すように、平ギア４５０が増速ギア４６２の小ギア４６０と噛み合わなくなって、張力伝達ローラ３０の回転が抵抗付与部ＲＡ（遠心ブレーキ４８０）に伝達できない状態（解除状態）となる。さらに、傾斜部４４１は後方に向かうにつれて下方に傾斜しているため、張力伝達ローラ３０と固定部材４４０の傾斜部４４１の溝４４２ａ〜４４２ｃとの間隔が広がり、コードＣＤの狭着が弱まって、張力伝達ローラ３０を介した抵抗付与部のコードＣＤへの抵抗の付与がなくなる。このように、ギアの噛み合いがなくなる構成と、狭着体によるコードＣＤの狭着が弱まる構成の２つの構成によって、コードＣＤを他端方向へ移動させる場合にはコードＣＤに抵抗力がかからず、コードＣＤを容易に移動させることができる。
【０１８４】
以上より、第１の観点によれば、第３実施形態の変形例１に係る制動装置４０００は、挟着体（張力伝達ローラ３０（ローレット２４０）及び傾斜部４４１の溝４４２ａ〜４４２ｃ）が、一方向のみに回転を伝達するワンウェイ機能を備えることになる。
【０１８５】
つまり、第３実施形態の変形例１に係る制動装置４０００は、挟着体の変位によって挟着体とコードＣＤの間に作用する摩擦力を変化させることにより、ワンウェイ機能を実現する。具体的には、制動装置４０００は、張力伝達ローラ３０が解除状態における位置（第２位置）に位置するときに張力伝達ローラ３０とコードＣＤとの間に作用する摩擦力が、張力伝達ローラ３０が出力状態における位置（第１位置）に位置するときに張力伝達ローラ３０とコードＣＤとの間に作用する摩擦力よりも小さくなるように張力伝達ローラ３０が移動する。
【０１８６】
また、第３実施形態の変形例１に係る制動装置４０００は、挟着体の変位により、前記コードの移動に起因する回転を前記抵抗付与部に伝達するか否かが切り替わる。具体的には、制動装置４０００は、張力伝達ローラ３０が第１位置に位置するときにコードＣＤの移動に起因する張力伝達ローラ３０の回転を抵抗付与部ＲＡに出力し、張力伝達ローラ３０が第２位置に位置するときにコードＣＤの移動に起因する張力伝達ローラ３０の回転を抵抗付与部ＲＡに出力しないように構成される。
【０１８７】
また、第２の観点によれば、第３実施形態の変形例１に係る制動装置４０００は、コードＣＤの移動を捕捉し且つコードＣＤの移動に起因する回転を抵抗付与部ＲＡに伝達する挟着体（張力伝達ローラ３０（ローレット２４０））と、挟着体を内包するケース（スライダー４２０）と、を有する。
【０１８８】
＜第３実施形態の変形例１＞
なお、狭着体の構成について、傾斜部４４１によって張力伝達ローラ３０と対向する挟着部材を構成することに代えて、図３８に示すように、傾斜部４４１の代わりに固定部材４４０に回転可能に固定された固定ローラ４４６を用いることも可能である。この場合も、図３８（ａ）に示す狭着状態では、コードＣＤは狭着され、ギアも噛み合っていることから、コードＣＤの前方（左方向）への移動に対しては抵抗付与部ＲＡへ回転が伝達してコードに制動力が加わる。一方、コードＣＤを後方に移動させた際には、図３８（ｂ）に示すように、スライダー４２０が後方へ移動することで張力伝達ローラ３０と固定ローラ４４６間の距離が広がって狭着力が弱まり、同時に、図３７（ｂ）に示すように、ギアの噛み合いがなくなって張力伝達ローラ３０の回転が抵抗付与部ＲＡに伝達できない状態となる。従ってこの場合も、ギアの噛み合いがなくなる構成と、狭着体によるコードＣＤの狭着が弱まる構成の２つの構成を備えているといえる。
【０１８９】
つまり、第３実施形態の変形例１に係る制動装置４０００は、挟着体の変位によって挟着体とコードＣＤの間に作用する摩擦力を変化させることにより、ワンウェイ機能を実現する。具体的には、第３実施形態の変形例１に係る制動装置４０００は、張力伝達ローラ３０が解除状態における位置（第２位置）に位置するときに張力伝達ローラ３０とコードＣＤとの間に作用する摩擦力が、張力伝達ローラ３０が出力状態における位置（第１位置）に位置するときに張力伝達ローラ３０とコードＣＤとの間に作用する摩擦力よりも小さくなるように張力伝達ローラ３０が移動する。
【０１９０】
また、第３実施形態の変形例１に係る制動装置４０００は、挟着体の変位により、前記コードの移動に起因する回転を前記抵抗付与部に伝達するか否かが切り替わる。具体的には、第３実施形態の変形例１に係る制動装置４０００は、張力伝達ローラ３０が第１位置に位置するときにコードＣＤの移動に起因する張力伝達ローラ３０の回転を抵抗付与部ＲＡに出力し、張力伝達ローラ３０が第２位置に位置するときにコードＣＤの移動に起因する張力伝達ローラ３０の回転を抵抗付与部ＲＡに出力しないように構成される。
【０１９１】
＜第３実施形態の変形例２＞
さらに、張力伝達ローラ３０と対向する挟着部材として、図３９に示すように、前後方向に水平に設けられた同一形状の２つのローラ４４７，４４８に巻回されたベルト４４９を用いることも可能である。この形態の場合は、上述の例と異なり、図３９（ａ）に示すような定常状態又はコードＣＤが前方に引かれてスライダー４２０が前方にある状態であっても、図３９（ｂ）に示すようなコードＣＤが後方に引かれてスライダー４２０が後方にある状態であっても、張力伝達ローラ３０とベルト４４９の間の距離（一対の狭着部材間の距離）は同じであり、狭着体による狭着力は変化しない構成となっている。この形態の場合は、図３７（ｂ）に示すように、ギアの噛み合いがなくなることによって、張力伝達ローラ３０の回転が抵抗付与部ＲＡに伝達できない状態となる。
【０１９２】
つまり、第３実施形態の変形例２に係る制動装置４０００は、張力伝達ローラ３０が第１位置に位置するときにコードＣＤの移動に起因する張力伝達ローラ３０の回転を抵抗付与部ＲＡに出力し、張力伝達ローラ３０が第２位置に位置するときにコードＣＤの移動に起因する張力伝達ローラ３０の回転を抵抗付与部ＲＡに出力しないように構成される。
【０１９３】
以上より、第１の観点によれば、第３実施形態に係る制動装置４０００は、コードの移動を捕捉し且つ前記コードの移動に起因する回転を抵抗付与部に伝達する挟着体を備える遮蔽装置であって、前記抵抗付与部は、前記コードの移動に対して抵抗力を発生させ、前記挟着体は、一方向のみに回転を伝達するワンウェイ機能を備える遮蔽装置と捉えることができる。
【０１９４】
また、第２の観点によれば、第３実施形態に係る制動装置４０００は、コードの移動を捕捉し且つ前記コードの移動に起因する回転を抵抗付与部に伝達する挟着体と、前記挟着体を内包するケースと、を有する遮蔽装置と捉えることができる。ここで、第３実施形態では、スライダー４２０がケースに相当する。
＜作用・効果＞
第３実施形態に係る制動装置４０００により、以下のような作用・効果を得ることができる。
（１）コードの移動を捕捉し且つコードの移動に起因する回転を抵抗付与部ＲＡに伝達する挟着体がワンウェイ機能を備えることにより、従来のようにワンウェイクラッチを別途設ける構成と比べて、部品数を低減し、装置の体積を小さくすることができる。
（２）コードＣＤの移動を捕捉する挟着体と、挟着体を内包するケース（スライダー４２０）と、を有する構成により、ケース（スライダー４２０）への埃等の異物の進入を防止することができる。したがって、コードＣＤに異物が付着することを防止し、性能低下を防止することが可能となる。
【０１９５】
＜第３実施形態の変形例３＞
次に、図４０を用いて、第３実施形態の変形例３について説明する。本実施形態では、ケース１０Ｋにスライダー４１ＫをＡＢ方向に移動可能に支持（両側面でガイド）し、スライダー４１Ｋに内筒４２ＡをＣＤ方向に移動可能に支持（スライダー孔４１０Ｋで内筒移動面をガイド）する。ケース１０Ｋに固定された固定軸３１Ｋを内筒４２Ａに通し、固定軸３１Ｋが内筒４２Ａに設けられた内筒斜面４２Ｋに沿って相対移動可能とする。また、内筒４２Ａに設けられた凸部４３Ｋが、スライダー孔４１０Ｋを通ってケース１０Ｋと当接する。また、キャッチ部・伝達部連絡孔４２０Ｋが設けられる。コードＣＤがＡ方向に移動すると外筒２４０Ａを介して内筒４２Ａがスライダー４１ＫとともにＡ方向へ移動する（図４０（ｂ）。一方、固定軸３１Ｋは移動しない。このため、固定軸３１Ｋと当接した内筒斜面４２Ｋで案内されて、一対の内筒４２Ａが外筒２４０Ａとともに互いに近づく方向に移動し、一対の外筒２４０ＡがコードＣＤを挟着する。その後、コードＣＤの移動に伴って、外筒２４０Ａが内筒４２Ａに対して相対回転する。外筒２４０Ａは移動伝達歯部４３０Ｋを備えており、外筒２４０Ａの回転が移動伝達歯部４３０Ｋを介して増速歯車・制動装置（不図示）に回転を伝達されることによってコードＣＤの移動に対して抵抗力が加えられる。
また、コードＣＤがＢ方向に移動すると外筒２４０Ａを介して内筒４２Ａがスライダー４１ＫとともにＢ方向へ移動する。この際、固定軸３１Ｋと当接した内筒斜面４２Ｋで案内されて、一対の内筒４２Ａが外筒２４０Ａとともに互いに離れる方向に移動するので、一対の外筒２４０ＡがコードＣＤを挟着する力が弱くなり、コードＣＤの移動に伴って、外筒２４０Ａがしなくなる。
なお、固定軸３１Ｋは内筒斜面４２Ｋに沿って内筒４２Ａの移動を制御できれば、形状は円筒でなくてもよく、内筒斜面４２Ｋに接触していればもっと短い長さでもよい。内筒斜面４２Ｋは固定軸３１Ｋの移動を案内できれば孔状でなく有底の溝形状でもよい。
＜作用・効果＞
第３実施形態に係る制動装置４０００により、以下のような作用・効果を得ることができる。
（１）コードの移動を捕捉し且つコードの移動に起因する回転を抵抗付与部ＲＡに伝達する挟着体がワンウェイ機能を備えることにより、従来のようにワンウェイクラッチを別途設ける構成と比べて、部品数を低減し、装置の体積を小さくすることができる。
（２）コードＣＤの移動を捕捉する挟着体と、挟着体を内包するケース（スライダー４２０）と、を有する構成により、ケース（スライダー４２０）への埃等の異物の進入を防止することができる。したがって、コードＣＤに異物が付着することを防止し、性能低下を防止することが可能となる。
【０１９６】
４．第４実施形態
次に、図４１〜４８を用いて、第４実施形態に係る制動装置５０００を説明する。本実施形態に係る制動装置５０００は、図４１等に示されるように、運動変換部ＤＴ及び抵抗付与部ＲＡが並列配置された構成となっている。以下、本実施形態の概略を説明する。
【０１９７】
図４１〜図４３に示されるように、運動変換部ＤＴは、内筒４２Ａ及び外筒２４０Ａからなるキャッチローラ３２Ａと、いわゆる固定滑車であって軸芯３１に回転可能に取付けられたローレット２４０からなるキャッチローラ３２Ｂから構成される。また、キャッチローラ３２Ａ，３２Ｂの何れもケース４４０Ａに設けられる。キャッチローラ３２Ａ，３２Ｂの回動トルクによりコードＣＤが挟着される。また、コードＣＤは、コード挿通孔１４Ａを介して運動変換部ＤＴに挿通されている。キャッチローラ３２Ａについては、後に更に詳述する。
【０１９８】
抵抗付与部ＲＡは、いわゆる遠心ガバナであって図４２に示されるダンパ軸を中心にウェイト３４０Ａが公転し、遠心力によってウェイト３４０Ａが外径側に移動するとこれとケース１０Ａａとが接触して摩擦が起こり制動力を発生させるものである。ウェイト３４０Ａを回転させる回転伝達機構（図示せず）とキャッチローラ３２Ｂの軸芯３１とが接続されており、キャッチローラ３２Ｂが回動すると、かかる回転に係る動力が回転伝達機構を介して抵抗付与部ＲＡに伝達され、これによりウェイト３４０Ａがダンパ軸を中心に公転する。ウェイト３４０Ａの個数は限定されず、例えば２個でも４個でも８個でも１６個でもよい。
【０１９９】
キャッチローラ３２Ａは、内筒４２Ａ及び外筒２４０Ａが互いに相対回転可能に構成され且つかかる相対回転時には摺動抵抗を有するように構成される。図４４に示されるように、内筒４２Ａの外周を外筒２４０Ａで包むように構成される。これについては後に詳述するものとする。内筒４２Ａの側面には回転軸３１Ｂとガイド軸３１Ｃとが設けられ、ケース４４０Ａには回転軸３１Ｂの軸受けとガイド軸３１Ｃの移動を案内するガイド溝３１Ｃａが設けられている。すなわち、キャッチローラ３２Ａは、回転軸３１Ｂを中心に回動可能に構成される。ガイド溝３１Ｃａは、一方側がキャッチローラ３２ＡとコードＣＤとを近接させ他方側がキャッチローラ３２ＡとコードＣＤとを遠ざけるように設けられる。換言すると、ガイド溝３１Ｃａは、一方側から他方側に向かってキャッチローラ３２ＡがコードＣＤから遠ざかるように形成される。
【０２００】
ガイド溝３１Ｃａにおけるかかる構造によれば、図４３における図中矢印で示す制動方向にコードＣＤが移動すると、キャッチローラ３２Ａが回転軸３１Ｂを中心に回動し、これにともなってガイド軸３１Ｃがガイド溝３１Ｃａに沿って移動する。ここで、ガイド溝３１Ｃａには、挟着案内斜面３１ａ、解除案内斜面３１ｂ、挟着側規制面３１ｃ及び解除側規制面３１ｄにより内周面が形成される。そして、図４３（ａ）に示すガイド溝３１Ｃａの一方側にガイド軸３１Ｃが位置するところ（第１位置）でキャッチローラ３２Ａの回動が制限される。かかる状態では、コードＣＤがキャッチローラ３２Ａ，３２Ｂに挟着され、コードＣＤが更に制動方向に移動すると、キャッチローラ３２Ａにおける外筒２４０Ａが内筒４２Ａに対して回転し、キャッチローラ３２Ｂは軸芯３１を中心に回転する。すなわち、キャッチローラ３２Ｂと接続された抵抗付与部ＲＡによって抵抗力が付与され、コードＣＤの移動が制動されることとなる。
【０２０１】
また、ガイド溝３１Ｃａにおけるかかる構造によれば、図４３における図中矢印で示す解放方向にコードＣＤが移動すると、キャッチローラ３２Ａが回転軸３１Ｂを中心に回動し、これにともなってガイド軸３１Ｃは、ガイド溝３１Ｃａに沿って移動する。そして、図４３（ｂ）に示すガイド溝３１Ｃａの他方側にガイド軸３１Ｃが位置するところ（第２位置）でキャッチローラ３２Ａの回動が制限される。かかる状態では、コードＣＤがキャッチローラ３２Ａ，３２Ｂに挟着されておらず又は相対的に弱い力で挟着されているに過ぎず、コードＣＤが更に解放方向に移動してもキャッチローラ３２Ｂを回転させるトルクが足りずにキャッチローラ３２Ｂが回転しない。したがって、抵抗付与部ＲＡによる抵抗力が付与されない。
【０２０２】
まとめると、図４３（ａ）の状態から図４３（ｂ）の状態に変化する過程においては、抵抗付与部ＲＡによる抵抗力がコードＣＤに与えられるが、図４３（ｂ）の状態においては抵抗付与部ＲＡが作用しない。そして、図４３（ｂ）の状態において、外筒２４０Ａとローレット２４０の間の距離が図４３（ａ）の状態よりも離れているため、コードＣＤに対する挟着力が弱くなる。これにより、コードＣＤに加えられる制動力が解除された状態となるため、コードＣＤの自由移動が実現される。更に、図４３（ｂ）の状態から図４３（ａ）の状態に変化する過程においては、抵抗付与部ＲＡによる抵抗力がコードＣＤに与えられ、図４３（ａ）の状態においてコードＣＤが挟着されるとともに抵抗付与部ＲＡが作用する。
【０２０３】
なお、内筒４２Ａと外筒２４０Ａとにおける相対回転時摺動抵抗は、ガイド軸３１Ｃが第１位置まで回動するときに相対回転不能とする程度の抵抗があればよい。これを鑑みると、キャッチローラ３２Ａにおける内筒４２Ａ及び外筒２４０Ａは、次のように構成することができる。
【０２０４】
一例では、図４５（ａ）に示されるような内筒４２Ａの外筒２４０Ａへの圧入工程によって、図４５（ｂ）に示されるキャッチローラ３２Ａが実現される。他の一例では、図４６に示されるように、内筒４２Ａの表面には弾性部４２Ａａが設けられていて、これにより所望の抵抗力を得ることができる。更なる他の一例では、図４７に示されるように、内筒４２Ａに外筒２４０Ａに圧力を付与するバネ部材４２Ａｂが設けられていて、これにより所望の抵抗力を得ることができる。更に、抵抗を安定させるため粘性の高いグリスで潤滑してもよい。
【０２０５】
＜第４実施形態の変形例１＞
更に、図４８に示されるように、解放方向にコードＣＤが移動させるときを除いてガイド軸３１Ｃが第１位置に位置するように、ケース１０Ａａに設けられた固定部４４１Ａとガイド軸３１Ｃとの間に、コイル部が回転軸３１Ｂに巻回された付勢手段としてのトーションばね３１Ｃｂを配置し、トーションばね３１Ｃｂによってガイド軸３１Ｃを付勢してもよい。
【０２０６】
以上より、第１の観点によれば、第４実施形態に係る制動装置５０００は、キャッチローラ３２Ａが、一方向のみに回転を伝達するワンウェイ機能を備えることになる。
【０２０７】
つまり、本実施形態に係る制動装置５０００は、挟着体の変位によって挟着体とコードＣＤの間に作用する摩擦力を変化させることにより、ワンウェイ機能を実現する。具体的には、制動装置５０００は、キャッチローラ３２Ａが解除状態における位置（第２位置）に位置するときにキャッチローラ３２ＡとコードＣＤとの間に作用する摩擦力が、キャッチローラ３２Ａが挟着状態における位置（第１位置）に位置するときにキャッチローラ３２ＡがとコードＣＤとの間に作用する摩擦力よりも小さくなるようにキャッチローラ３２Ａが移動する。
【０２０８】
また、本実施形態に係る制動装置５０００は、挟着体の変位により、コードＣＤの移動に起因する回転を抵抗付与部ＲＡに伝達するか否かが切り替わるように構成される。具体的には、キャッチローラ３２Ａが挟着状態における位置（第１位置）に位置するときに、キャッチローラ３２Ｂの軸芯３１の回転が抵抗付与部ＲＡに伝達され、キャッチローラ３２Ａが解除状態における位置（第２位置）に位置するときに、キャッチローラ３２Ｂの軸芯３１の回転が抵抗付与部ＲＡに伝達されない。
【０２０９】
＜第４実施形態の変形例２＞
次に、図４９及び図５０を用いて、第４実施形態の変形例２に係る制動装置６０００を説明する。本変形例に係る制動装置６０００は、図４９及び図５０に示されるように、運動変換部ＤＴ及び抵抗付与部ＲＡが左右方向（紙面に垂直な方向）に並列配置された構成となっている。以下、本変形例の概略を説明する。
【０２１０】
図４９に示されるように、運動変換部ＤＴは、内筒４２Ａ及び外筒２４０Ａからなるキャッチローラ３２Ａと、軸芯３１に回転可能に取付けられたローレット２４０からなるキャッチローラ３２Ｂから構成される。内筒４２Ａ及び外筒２４０Ａは、図４１及び図４３と同様の構成であり、互いに相対回転可能に構成される。また、内筒４２Ａの側面には、回転軸３１Ｂ及びガイド軸３１Ｃが設けられる。本変形例においても、キャッチローラ３２Ａが回転軸３１Ｂを中心に回動可能に構成される。また、ガイド溝３１Ｃａは、ケース４４０Ｂの側面に、キャッチローラ３２ＢがコードＣＤを挟着する状態と解除する状態に状態変化可能な位置に設けられる。こで、本変形例では、キャッチローラ３２Ａ及びキャッチローラ３２Ｂにより挟着体が構成される。
【０２１１】
そして、本変形例では、外筒２４０Ａの側面にピニオンギア５０Ｂが設けられる。ピニオンギア５０Ｂは、紙面に対して垂直方向の回転軸を有する。そして、抵抗付与部ＲＡに設けられた伝達ギア２６１Ｂの内側の歯と噛み合うように形成される。また、伝達ギア２６１Ｂの外側の歯と噛み合う位置に増速ギア２８０Ｂが設けられる。増速ギア２８０Ｂは、支持軸２６３Ｂに回転可能に取付けられる。そして、図４９（ｂ）に示されるように、増速ギア２８０Ｂと同軸上に、増速ギア２８０Ｂと一体回転するウェイトホルダ３２０Ｂが設けられる。そして、ウェイトホルダ３２０Ｂ上によりウェイト３４０Ｂが保持される。ここで、本実施形態では、ウェイトホルダ３２０Ｂにより４つのウェイト３４０Ｂが保持される。
【０２１２】
ウェイトホルダ３２０Ｂは増速ギア２８０Ｂと一体回転するように設けられているため、増速ギア２８０Ｂの自転に伴いウェイトホルダ３２０Ｂも自転する。これにより、ウェイトホルダ３２０Ｂに保持されるウェイト３４０Ｂが公転する。
【０２１３】
図５０に示されるように、本変形例では、３本のコードＣＤが水平に挟着される。これらのコードＣＤは、運動変換部ＤＴを構成するコード挿通孔１４Ａに挿通される。また、ピニオンギア５０Ｂは、運動変換部ＤＴのケース４４０Ｂから外部に飛び出しており、運動変換部ＤＴと隣接配置される抵抗付与部ＲＡの伝達ギア２６１Ｂと噛み合っている。
【０２１４】
したがって、コードＣＤに対して制動方向に張力が与えられると、外筒２４０ＡとコードＣＤとの間に生じる摩擦力により、回転軸３１Ｂを中心としてキャッチローラ３２Ａが時計周りに回動する。このとき、キャッチローラ３２Ａの回動に伴い、外筒２４０Ａに設けられたピニオンギア５０Ｂも自転しつつ時計周りに回動する。すると、ピニオンギア５０Ｂと噛み合う伝達ギア２６１Ｂが反時計回りに自転を開始する。これにより、伝達ギア２６１Ｂと噛み合う増速ギア２８０Ｂが時計周りに自転を開始する。このとき、伝達ギア２６１Ｂの径よりも増速ギア２８０Ｂの径の方が小さいので、コードＣＤの移動に起因するピニオンギア５０Ｂの回転が増速されて増速ギア２８０Ｂに伝達される。このとき、内筒４２Ａ及び外筒２４０Ａは両者の摺動抵抗により一体回転する。
【０２１５】
そして、増速ギア２８０Ｂの自転により、ウェイト３４０Ｂが時計周りに公転を開始する。そして、ウェイト３４０Ｂが抵抗付与部ＲＡのケース１０Ａａの内壁と当接することにより、コードＣＤの移動に対する制動力を作用させることが可能となる。そして、図４９（ａ）の状態のとき、ガイド軸３１Ｃとガイド溝３１Ｃａが当接することにより、内筒４２Ａの回動が阻止される。そして、さらにコードＣＤに対して制動方向に張力が与えられると、外筒２４０Ａが内筒４２Ａに対して相対回転を開始する。これにより、コードＣＤを挟着しつつ、抵抗付与部ＲＡからの制動力を作用させることができる。
【０２１６】
一方、コードＣＤに解放に張力が与えられると、回転軸３１Ｂを中心としてキャッチローラ３２Ａが反時計周りに回動する。このとき、ピニオンギア５０Ｂ、伝達ギア２６１Ｂ及び増速ギア２８０Ｂは、コードＣＤの制動に張力が与えられる場合とは逆回転する。そして、図４９（ｂ）の状態のとき、ガイド軸３１Ｃとガイド溝３１Ｃａが当接することにより、内筒４２Ａの回動が阻止される。そして、外筒２４０Ａは内筒４２Ａに対して相対回転を継続する。かかる状態においては、外筒２４０Ａとローレット２４０の間の距離が図４９（ａ）よりも大きくなっており、コードＣＤを十分に挟着することができない。加えて、コードＣＤを十分に挟着できないために、外筒２４０Ａの回転も抑制される。これにより、抵抗付与部ＲＡにコードＣＤの移動に起因する回転が伝達されなくなる。
【０２１７】
以上より、第１の観点によれば、第４実施形態の変形例２に係る制動装置６０００は、キャッチローラ３２Ａが、一方向のみに回転を伝達するワンウェイ機能を備えることになる。
【０２１８】
つまり、本変形例に係る制動装置６０００は、挟着体の変位によって挟着体とコードＣＤの間に作用する摩擦力を変化させることにより、ワンウェイ機能を実現する。具体的には、制動装置６０００は、キャッチローラ３２Ａが解除状態における位置（第２位置）に位置するときにキャッチローラ３２ＡとコードＣＤとの間に作用する摩擦力が、キャッチローラ３２Ａが挟着状態における位置（第１位置）に位置するときにキャッチローラ３２ＡがとコードＣＤとの間に作用する摩擦力よりも小さくなるようにキャッチローラ３２Ａが移動する。
【０２１９】
また、本変形例に係る制動装置６０００は、挟着体の変位により、コードＣＤの移動に起因する回転を抵抗付与部ＲＡに伝達するか否かが切り替わるように構成される。具体的には、キャッチローラ３２Ａが挟着状態における位置（第１位置）に位置するときに、キャッチローラ３２Ａの回転が抵抗付与部ＲＡに伝達され、キャッチローラ３２Ａが解除状態における位置（第２位置）に位置するときに、キャッチローラ３２Ａの回転が抵抗付与部ＲＡに伝達されない。
【０２２０】
＜第４実施形態の変形例３＞
次に、図５１を用いて、第４実施形態の変形例３に係る制動装置７０００を説明する。本変形例に係る制動装置７０００は、図５１に示されるように、運動変換部ＤＴ及び抵抗付与部ＲＡが略同一平面上に並列配置された構成となっている。以下、変形例２との相違点を中心に説明する。なお、図中において、変形例２と同一の機能部材については同一の符号を付し、その説明を省略する。
【０２２１】
本変形例における伝達ギア２６１Ｄは、変形例２の伝達ギア２６１Ｂと異なり、内側に歯が設けられていない。その代わりに、伝達ギア２６１Ｄの中心に、伝達ギア２６１Ｄと一体回転する中心ギア２６１Ｃが設けられる。中心ギア２６１Ｃは、ピニオンギア５０Ｂと噛み合うように構成される。
【０２２２】
本変形例では、ピニオンギア５０Ｂは、中心ギア２６１Ｃの外周に沿って自転かつ公転する。これにより、中心ギア２６１Ｃが自転を開始する。そして、中心ギア２６１Ｃの自転により、伝達ギア２６１Ｄが自転する。そして、伝達ギア２６１Ｄの自転により、増速ギア２８０Ｂが自転することで、ウェイトホルダ３２０Ｂ及びウェイト３４０Ｂが公転する。
【０２２３】
つまり、変形例２に係る制動装置７０００は、コードＣＤの移動に起因するキャッチローラ３２Ａの回転を、伝達ギア２６１Ｂの内側の歯と噛み合うピニオンギア５０Ｂを介して抵抗付与部ＲＡに伝達していたが、本変形例に係る制動装置７０００は、コードＣＤの移動に起因するキャッチローラ３２Ａの回転を、中心ギア２６１Ｃの外側の歯と噛み合うピニオンギア５０Ｂを介して抵抗付与部ＲＡに伝達するように構成される。
【０２２４】
以上より、第１の観点によれば、第４実施形態の変形例３に係る制動装置７０００は、キャッチローラ３２Ａが、一方向のみに回転を伝達するワンウェイ機能を備えることになる。
【０２２５】
つまり、本変形例に係る制動装置７０００は、挟着体の変位によって挟着体とコードＣＤの間に作用する摩擦力を変化させることにより、ワンウェイ機能を実現する。具体的には、制動装置７０００は、キャッチローラ３２Ａが解除状態における位置（第２位置）に位置するときにキャッチローラ３２ＡとコードＣＤとの間に作用する摩擦力が、キャッチローラ３２Ａが挟着状態における位置（第１位置）に位置するときにキャッチローラ３２ＡがとコードＣＤとの間に作用する摩擦力よりも小さくなるようにキャッチローラ３２Ａが移動する。
【０２２６】
また、本変形例に係る制動装置７０００は、挟着体の変位により、コードＣＤの移動に起因する回転を抵抗付与部ＲＡに伝達するか否かが切り替わるように構成される。具体的には、キャッチローラ３２Ａが挟着状態における位置（第１位置）に位置するときに、キャッチローラ３２Ａの回転が抵抗付与部ＲＡに伝達され、キャッチローラ３２Ａが解除状態における位置（第２位置）に位置するときに、キャッチローラ３２Ａの回転が抵抗付与部ＲＡに伝達されない。
＜第４実施形態の変形例４＞
次に、図５２〜図５４を用いて、第４実施形態の変形例４に係る制動装置８０００を説明する。本変形例に係る制動装置８０００は、図４９及び図５０に示されるように、運動変換部ＤＴ及び抵抗付与部ＲＡが左右方向（紙面に垂直な方向）に並列配置された構成となっている。以下、本変形例の概略を説明する。
【０２２７】
図５２に示されるように、運動変換部ＤＴは、内筒８３０Ａ及び外筒８３０Ｂからなるキャッチローラ８３０と、軸芯４１に回転可能に取付けられたローレット４３を備えるキャッチローラ８４０から構成される。内筒８３０Ａ及び外筒８３０Ｂは、図４４と同様、内筒８３０Ａが回転軸８３１に回転可能に取付けられ、内筒８３０Ａ及び外筒８３０Ｂは互いに相対回転可能且つ一定以下のトルクに対しては摺動抵抗により一体回転するよう構成される。ただし、図４４と異なり、回転軸８３１はキャッチローラ８３０の中心に設けられ、ケース８１０Ａに軸支されている。また、回転軸８３１から偏心した位置には、軸方向両側に向かってガイド軸８５０が突出している。また、本変形例では、キャッチローラ８４０は、図５３に示すように、上下方向に平行移動可能な移動ケース８２０の支持溝８２１（図５３参照）に回転可能に保持される。ここで、本実施形態では、キャッチローラ８３０及び８４０により一対の挟着部材（挟着体）が構成される。
【０２２８】
なお、本変形例でも、抵抗付与部ＲＡは、遠心ガバナを備え回転軸８３１の回転を遠心ガバナに伝えて制動させるものであり、上記変形例２と同様、キャッチローラ８３０の外筒８３０Ｂの回転がピニオンギア５０Ｂ（図５０参照）を介して抵抗付与部ＲＡに伝達される。抵抗付与部ＲＡの構成については、すでに述べた実施形態に記載のものを適宜使用することができる。
【０２２９】
移動ケース８２０は、キャッチローラ８３０，８４０の両端に形成される一対の平行板８２２を備え、各平行板８２２に支持溝８２１が形成される（図５３参照）。また、平行板８２２上方の前後方向中央には、上方に開口するガイド溝８２３が形成される。さらに、平行板８２２は、ガイド溝８２３の前方の位置に、ガイド軸８５０を挿入可能な長孔８２４を有しており、長孔８２４はガイド軸８５０が前後方向に移動可能となる向きに形成される。
【０２３０】
ここで、本変形例においては、コードＣＤに張力が与えられない状態（定常状態）では、図５２（ａ）に示すように、コードＣＤは上方に位置するキャッチローラ８３０のみに接触し、キャッチローラ８４０とは接触しない構成となっている。
【０２３１】
以上のような構成により、コードＣＤに張力が与えられない状態（定常状態）からコードＣＤが後方（図５２の右方向）に移動すると、キャッチローラ８３０の外筒８３０Ｂは図５２（ａ）において反時計回り（矢印Ｘ方向）に回転しようとするが、一対の挟着部材であるキャッチローラ８３０，８４０がコードＣＤを挟着していないため（図５３（ａ）、図５４（ａ）も参照）、コードＣＤの移動がキャッチローラ８３０（外筒８３０Ｂ）の回転として十分伝達せず、外筒８３０Ｂの回転が抵抗付与部ＲＡに伝達されてコードＣＤに抵抗力が付与されることはない。なお、この場合、外筒８３０Ｂが回転しても内筒８３０Ａの備えるガイド軸８５０が移動ケース８２０の長孔８２４に当接し、移動ケース８２０は前後方向においてケース８１０Ａに規制されているため、内筒８３０Ａは反時計回りに回転することができないようになっている。
【０２３２】
一方、コードＣＤが前方（図の左方向）に移動すると、図５２（ｂ）に示すように、キャッチローラ８３０の外筒８３０Ｂが時計回り（矢印Ｙ方向）に回転する。この際、外筒８３０Ｂと内筒８３０Ａの間には摺動抵抗があるため、これら外筒８３０Ｂと内筒８３０Ａとが一体回転を開始する。すると、内筒８３０Ａの回転と同時に内筒８３０Ａの備えるガイド軸８５０が時計回りに回転し、移動ケース８２０の長孔８２４の上面を押圧して、移動ケース８２０を上方に押し上げる（図５２（ｂ）、図５３（ｂ）、図５４（ｂ）参照）。その結果、移動ケース８２０に保持されたキャッチローラ８４０が上方、つまりコードＣＤに近接する方向に移動し、キャッチローラ８３０と協働してコードＣＤを挟着する。
【０２３３】
この状態でさらにコードＣＤが前方（図の左方向）に移動すると、コードＣＤの移動が外筒８３０Ｂの回転として伝達する。ただし、キャッチローラ８４０がコードＣＤに当接したあとは、移動ケース８２０はそれ以上上方に移動することができないので、内筒８３０Ａもそれ以上回転できない状態となるため、内筒８３０Ａに対して外筒８３０Ｂのみが回転するようになる。
【０２３４】
以上の結果、図５２（ｂ）のキャッチローラ８３０とキャッチローラ８４０がコードＣＤを挟着した状態でコードＣＤが前方（図の左方向）に移動すると、コードＣＤの移動が外筒８３０Ｂの回転として十分に伝達され、外筒８３０Ｂの回転に対して抵抗付与部ＲＡが制動力を付与し、コードＣＤが制動されることになる。
【０２３５】
以上より、第１の観点によれば、第４実施形態の変形例４に係る制動装置８０００は、キャッチローラ８３０が、一方向のみに回転を伝達するワンウェイ機能を備えることになる。
【０２３６】
つまり、本変形例に係る制動装置８０００は、挟着体の変位によって挟着体とコードＣＤの間に作用する摩擦力を変化させることにより、ワンウェイ機能を実現する。具体的には、制動装置８０００は、キャッチローラ８３０が解除状態における位置（第２位置）に位置するときにキャッチローラ８３０とコードＣＤとの間に作用する摩擦力が、キャッチローラ８３０が挟着状態における位置（第１位置）に位置するときにキャッチローラ８３０がとコードＣＤとの間に作用する摩擦力よりも小さくなるようにキャッチローラ８３０が移動する。
【０２３７】
また、本変形例に係る制動装置８０００は、挟着体の変位により、コードＣＤの移動に起因する回転を抵抗付与部ＲＡに伝達するか否かが切り替わるように構成される。具体的には、キャッチローラ８３０が挟着状態における位置（第１位置）に位置するときに、キャッチローラ８３０の回転が抵抗付与部ＲＡに伝達され、キャッチローラ８３０が解除状態における位置（第２位置）に位置するときに、キャッチローラ８３０の回転が抵抗付与部ＲＡに伝達されない。
【０２３８】
５．第５実施形態：第１及び第３の観点
次に、図５５〜図５７を用いて、本発明の第５実施形態に係る運動変換部について説明する。図５５に示されるように、第５実施形態では、ローレット２４０及びローラ部４２が、それぞれの軸芯３１及び軸芯４１を介して連結される。ここで、かかる連結方法は任意であり、例えば、図５５（ａ）に示されるように、一対のプレート８００を用いてもよい。ここで、第５実施形態では、プレート８００は略矩形であり、例えば金属製のプレート８００を用いることができる。また、プレート８００の軸芯３１及び軸芯４１に対応する箇所には貫通孔８０１が設けられ、軸芯３１及び軸芯４１を貫通孔８０１に挿入することによりローレット２４０とローラ部４２を連結することができる。
【０２３９】
また、図５５（ｂ）に示されるように、プレート８００に代えて、紐状部材９００を用いてローレット２４０とローラ部４２を連結してもよい。なお、紐状部材９００を用いる場合、図５６に示されるように、コードＣＤの移動時においてローレット２４０とローラ部４２が逆向きに回転するため、紐状部材９００をクロスする構成としている。ここで、図５６は、図５５（ｂ）の部材がコードＣＤを挟着する状態を矢印Ｚ方向から見た模式図である。
【０２４０】
そして、図５７に示されるように、かかる部材は、ケース１０Ｂの内部において、ローレット２４０とローラ部４２の間にコードＣＤを挟むように設けられる。ここで、図５７においては、視認性の向上のため、図５５（ｂ）における紐状部材９００を利用する態様を用いて説明する。また、図５７の矢印ｇで示される方向に重力ｇが作用するものとする。説明の便宜上、矢印ｇの方向を下向きとし、矢印ｇと逆向きを上向きとする。
【０２４１】
また、ケース１０Ｂには、軸芯３１に対応する位置に第１側壁孔１１９Ａが設けられる。第１側壁孔１１９Ａは、前方に向けて傾斜する長円形である。なお、これらの形状は特に限定されず、適宜設計することができる。
【０２４２】
軸芯３１は第１側壁孔１１９Ａに沿って移動可能である。つまり、ローレット２４０は、コードＣＤに接触可能な位置に設けられ且つ鉛直方向に移動可能なローラである。ここで、第１側壁孔１１９Ａには、挟着案内斜面１１９ａ、解除案内斜面１１９ｂ、挟着側規制面１１９ｃ及び解除側規制面１１９ｄにより内周面が形成される。
【０２４３】
また、ケース１０Ｂの内部には、コードＣＤを挟んでローレット２４０と対向し且つローレット２４０よりも前方の位置に、支柱９２が固定されている。
【０２４４】
まず、図５７（ａ）に示される状態から、コードＣＤに矢印Ｄ２方向へ張力を与えると、コードＣＤとの間に生じる摩擦力により、ローレット２４０が矢印Ｄ３の向きに第１側壁孔１１９Ａに沿って下方に移動する。図５７（ｂ）に示されるように、かかる位置を、鉛直成分を有する可動方向の下側の位置である第１位置とする。かかる状態においては、ローレット２４０と支柱９２の鉛直方向における距離が小さいので、コードＣＤが屈曲し、挟着状態となる。つまり、支柱９２は、ローレット２４０とコードＣＤを挟んで位置する挟着部材として機能する。また、ローラ部４２は、ローレット２４０と連動して移動する補助ローラとして機能する。
【０２４５】
ここで、挟着状態において、軸芯３１が可動範囲の前方限界まで到達すると、略平行移動していたローレット２４０が回転（図中における時計回り）を開始する。そして、第３実施形態と同様に、軸芯３１の回転を、コードＣＤの移動に伴って抵抗力を発生させる抵抗付与部ＲＡに出力することとしてもよい。このとき、コードＣＤが前方に移動するときには回転が抵抗付与部ＲＡに伝達されるが、コードＣＤが後方に移動するときには回転が抵抗付与部ＲＡに伝達されないように、ローレット２４０、又は、ローレット２４０と抵抗付与部ＲＡの間にワンウェイクラッチを設けてもよい。ここで、抵抗付与部ＲＡはケース１０Ｂの内部又は外部に設けられてもよく、ローレット２４０内部に設けられてもよい。
【０２４６】
一方、コードＣＤに矢印Ｄ２と逆向きに張力を与えると、上記動作と逆向きの動作が生じることにより、ローレット２４０と支柱９２の鉛直方向における距離が離間し、コードＣＤに対する挟着力が弱まることとなる。
【０２４７】
そして、図５７（ａ）に示されるように、軸芯３１は、重力ｇに逆らい、第１側壁孔１１９Ａの鉛直成分を有する可動方向（図５７における斜め方向）の上側の位置である第２位置に移動する。かかる状態を自由移動状態と言う。自由移動状態において、コードＣＤが非屈曲状態で解除される。そして、コードＣＤの自由移動を許可することができる。
【０２４８】
なお、軸芯３１及びローレット２４０と、軸芯４１及びローラ部４２に変えて、回転しない支柱を用いることもできる。
【０２４９】
ここで、第１の観点において、第５実施形態に係る部材を用いた装置は、第１及び第２実施形態の装置と同様の機能を奏することができる。加えて、挟着体は、出力要挟着体（ローレット２４０及び軸芯３１）及び捕捉要挟着体（支柱９２）から構成され、コードＣＤの一方向（矢印Ｄ２方向）移動時に、出力用挟着体を介して抵抗付与部に出力用挟着体の回転が伝達される伝達モードとなり、コードＣＤの他方向移動時（矢印Ｄ２と逆方向）に、捕捉用挟着体と出力用挟着体が相対移動して出力用挟着体の回転を抵抗付与部へ伝達しない非伝達モードとなる。ここで、捕捉用挟着体は、出力用挟着体に対し離近方向に相対移動可能な相対移動挟着体である。また、出力用挟着体と捕捉用挟着体とがコードＣＤを挟着してコードＣＤの変位を制動する。ここで、非伝達モードは、出力用挟着体と捕捉用挟着体とが離間した状態であるか、接触していても出力用挟着体の回転を抵抗付与部に伝達できない程度の接触状態である。また、伝達モードは、出力用挟着体と捕捉用挟着体が接触し、出力用挟着体に捕捉用挟着体の回転を伝達してコードＣＤの変位を制動可能な状態である。
【０２５０】
また、第３の観点において、第５実施形態に係る部材を用いた装置を利用することにより、異なる太さのコードＣＤを挟着することが可能となる。つまり、図５７に示されるコードＣＤを第１の太さのコードＣＤとすると、第１の太さより太い第２のコードＣＤを用いる場合には、図５７（ａ）及び（ｂ）において、ローレット２４０が太くなったコードＣＤの分だけ上方（矢印ｇと反対向き）に移動する。ここで、図５７に示される第１の太さのコードＣＤを挟着するときの支柱９２及びローレット２４０の位置を第１位置とし、第２の太さのコードＣＤを挟着するときの支柱９２及びローレット２４０の位置を第２位置とすると、第２位置は、支柱９２及びローレット２４０が第１位置よりも互いに離間した位置であるといえる。
【０２５１】
つまり、第５実施形態に係る部材を用いた装置は、異なる太さのコードに対応したコード挟着範囲を備える挟着体を有する遮蔽装置と捉えることができる。ここで、軸芯４１、ローラ部４２及び支柱９２が挟着体を構成する。
【０２５２】
なお、第１位置及び第２位置は絶対的に定義されるものではなく、鉛直方向において第１位置よりも相対的に高い位置を第２位置としてもよい。さらに、軸芯４１及びローラ部４２は、必要に応じて省略することができる。
【０２５３】
＜作用・効果＞
上記のような構成とすることで、以下の作用・効果を得ることができる。
（１）コードの移動を捕捉し且つコードの移動に起因する回転を抵抗付与部に伝達する挟着体がワンウェイ機能を備えることにより、従来のようにワンウェイクラッチを別途設ける構成と比べて、部品数を低減し、装置の体積を小さくすることができる。
（２）かかる構成により、装置の構成を変えることなく、異なる太さのコードＣＤを挟着することが可能となる。したがって、１つの装置で種々の遮蔽装置に対応することが可能となる。
（３）コードＣＤの自由移動時において屈曲しない（非屈曲）ために、屈曲抵抗が小さくなり、よりスムーズにコードＣＤが移動することが可能になる。
（４）引き操作時において操作力を低減し、自動動作（自動降下）時に確実にコードＣＤを挟着し、意図しない落下を防止することができる。
（５）ブレーキをかけるときにコードからの抵抗力を抵抗付与部に出力し、コードの自由移動を許可するときにコードからの抵抗力を抵抗付与部から切り離すことが可能となる。
【０２５４】
６．第６実施形態：第１及び第３の観点
次に、図５８を用いて、本発明の第６実施形態に係る他の運動変換部について説明する。図５８に示されるように、第６実施形態に係るケース１０Ｃには、ローレット２４０の直径よりわずかに大きい収容空間９３が形成される。ここで、収容空間９３は、断面視において円弧形状と半直線形状を組み合わせた形状をなしている。したがって、ローレット２４０は収容空間９３内で自由に移動することができる。また、収容空間９３には、挟着案内斜面９３ａ、及び解除側規制面９３ｄが形成される。
【０２５５】
そして、ケース１０Ｃの内部に軸芯３１、ローレット２４０、支柱９２、２つの出力軸９５及び無端ベルト９４が配置される。ローレット２４０は、自由移動状態においてコードＣＤとわずかに接触するように設けられる。
【０２５６】
ローレット２４０は、ローラ部４２との間にコードＣＤを挟むように設けられる。そして、２つの出力軸９５に無端ベルト９４を張架する。無端ベルト９４は、ローレット２４０の回転により抵抗力が作用し、無端ベルト９４が回転可能なように構成される。又は、可能であれば、無端ベルト９４の表面はローレット２４０及び出力軸９５の表面と噛みあうような形状とされてもよい。また、出力軸９５は、自身の回転をコードＣＤの移動に伴って抵抗力を発生させる抵抗付与部に出力するように構成される。出力軸９５及び無端ベルト９４は、無端ベルト９４が収容空間９３の半直線部分と略一直線となるように構成される。
【０２５７】
まず、図５８（ａ）に示される状態から、コードＣＤに矢印Ｄ４方向へ張力を与えると、コードＣＤとの間に生じる摩擦力により、ローレット２４０が矢印Ｄ５の向きに回転するとともに、収容空間９３の半直線部分を経て無端ベルト９４に接近する向きに移動する（第１位置）。図５８（ｂ）に示されるように、かかる状態においては、ローレット２４０と支柱９２の鉛直方向における距離が小さいので、コードＣＤが屈曲し、挟着状態となる。つまり、支柱９２は、ローレット２４０とコードＣＤを挟んで位置する挟着部材として機能する。
【０２５８】
なお、挟着状態において、第３実施形態と同様に、出力軸９５の回転を抵抗付与部ＲＡに出力することとしてもよい。つまり、ローレット２４０と無端ベルト９４の間に作用する摩擦力により、無端ベルト９４が出力軸９５に対して矢印Ｄ５と逆向き（反時計周り）に回転する。これにより、出力軸９５も無端ベルト９４と同じ方向（反時計周り）に回転（自転）する。かかる回転を抵抗付与部ＲＡに出力するのである。かかる構成では、出力軸９５のうちの一方が、第３実施形態における軸芯３１と同様の機能（抵抗付与部ＲＡに回転を伝達）を発揮する。このとき、コードＣＤが前方に移動するときには回転が抵抗付与部に伝達されるが、コードＣＤが後方に移動するときには回転が抵抗付与部ＲＡに伝達されないように、ローレット２４０と抵抗付与部ＲＡの間にワンウェイクラッチを設けてもよい。
【０２５９】
一方、コードＣＤに矢印Ｄ４と逆向きに張力を与えると、上記動作と逆向きの動作が生じることにより、ローレット２４０と支柱９２の鉛直方向における距離が離間し、コードＣＤに対する挟着力が弱まることとなる。
【０２６０】
そして、図５８（ａ）に示されるように、軸芯３１は、重力ｇに逆らい、無端ベルトから離間する位置である第２位置に移動する。かかる状態を自由移動状態と言う。自由移動状態において、コードＣＤが非屈曲状態で解除される。そして、コードＣＤの自由移動を許可することができる。
【０２６１】
なお、支柱９２に変えて、軸芯及びローラ部を用いることもできる。
【０２６２】
ここで、第１の観点において、第６実施形態に係る部材を用いた装置は、第１及び第２実施形態の装置と同様の機能を奏することができる。加えて、挟着体は、出力要挟着体（ローレット２４０及び軸芯３１）及び捕捉要挟着体（支柱９２）から構成され、コードＣＤの一方向（矢印Ｄ４方向）移動時に、出力用挟着体を介して抵抗付与部に出力用挟着体の回転が伝達される伝達モードとなり、コードＣＤの他方向移動時（矢印Ｄ４と逆方向）に、捕捉用挟着体と出力用挟着体が相対移動して出力用挟着体の回転を抵抗付与部へ伝達しない非伝達モードとなる。ここで、捕捉用挟着体は、出力用挟着体に対し離近方向に相対移動可能な相対移動挟着体である。また、出力用挟着体と捕捉用挟着体とがコードＣＤを挟着してコードＣＤの変位を制動する。ここで、非伝達モードは、出力用挟着体と捕捉用挟着体とが離間した状態であるか、接触していても出力用挟着体の回転を抵抗付与部に伝達できない程度の接触状態である。また、伝達モードは、出力用挟着体と捕捉用挟着体が接触し、出力用挟着体に捕捉用挟着体の回転を伝達してコードＣＤの変位を制動可能な状態である。
【０２６３】
さらに、第６実施形態に係る部材を用いた装置は、ローレット２４０が第２位置に位置するときにローレット２４０とコードＣＤとの間に作用する摩擦力が、ローレット２４０が第１位置に位置するときにローレット２４０とコードＣＤとの間に作用する摩擦力よりも小さくなるようにローレット２４０が移動するように構成される。
【０２６４】
また、第３実施形態と同様に、出力軸９５の回転を、コードＣＤの移動に伴って抵抗力を発生させる抵抗付与部ＲＡに出力する場合、第６実施形態に係る部材を用いた装置は、ローレット２４０が第１位置に位置するときにコードＣＤの移動に起因するローレット２４０の回転を抵抗付与部ＲＡに出力し、ローレット２４０が第２位置に位置するときにコードＣＤの移動に起因するローレット２４０の回転を抵抗付与部ＲＡに出力しないように構成される。
【０２６５】
また、第３の観点において、第６実施形態に係る部材を用いた装置を利用することにより、異なる太さのコードＣＤを挟着することが可能となる。つまり、図５８に示されるコードＣＤを第１の太さのコードＣＤとすると、第１の太さより太い第２のコードＣＤを用いる場合には、図５８（ａ）及び（ｂ）において、ローレット２４０が太くなったコードＣＤの分だけ上方（矢印ｇと反対向き）に移動する。ここで、図５８に示される第１の太さのコードＣＤを挟着するときの支柱９２及びローレット２４０の位置を第１位置とし、第２の太さのコードＣＤを挟着するときの支柱９２及びローレット２４０の位置を第２位置とすると、第２位置は、支柱９２及びローレット２４０が第１位置よりも互いに離間した位置であるといえる。
【０２６６】
つまり、第６実施形態に係る部材を用いた装置は、異なる太さのコードに対応したコード挟着範囲を備える挟着体を有する遮蔽装置と捉えることができる。ここで、支柱９２、軸芯３１及びローレット２４０が挟着体を構成する。
【０２６７】
なお、図５８（ａ）では、ローレット２４０と無端ベルト９４が離れる構成としたが、これに限定されない。例えば、自由移動状態においてもローレット２４０と無端ベルト９４の噛合が解除されず、コードＣＤへの挟着力を弱めるように構成することもできる。
【０２６８】
＜作用・効果＞
上記のような構成とすることで、以下の作用・効果を得ることができる。
（１）コードの移動を捕捉し且つコードの移動に起因する回転を抵抗付与部に伝達する挟着体がワンウェイ機能を備えることにより、従来のようにワンウェイクラッチを別途設ける構成と比べて、部品数を低減し、装置の体積を小さくすることができる。
（２）かかる構成により、装置の構成を変えることなく、異なる太さのコードＣＤを挟着することが可能となる。したがって、１つの装置で種々の遮蔽装置に対応することが可能となる。
（３）コードＣＤの自由移動時において屈曲しない（非屈曲）ので、抵抗が少なくなり、よりスムーズにコードＣＤが移動することが可能になる。
（４）引き操作時において操作力を低減し、自動動作（自動降下）時に確実にコードＣＤを挟着し、意図しない落下を防止することができる。
（５）ブレーキをかけるときにコードからの抵抗力を抵抗付与部に出力し、コードの自由移動を許可するときにコードからの抵抗力を抵抗付与部から切り離すことが可能となる。
【０２６９】
７．第７実施形態：第１の観点
次に、図５９を用いて、本発明の第７実施形態に係る他の運動変換部について説明する。第７実施形態は、部材の配置が第５実施形態の構成と類似しているため、以下、相違点について説明する。第７実施形態は、第５実施形態と異なり、ローレット２４０の内部にワンウェイクラッチ２４５が設けられる。ワンウェイクラッチ２４５は、矢印Ｄ７方向にのみ回転可能なクラッチである。つまり、ワンウェイクラッチ２４５により、ローレット２４０の回転も矢印Ｄ７方向にのみ許可される。そして、第７実施形態と第５実施形態の大きな違いは、第７実施形態ではローレット２４０が移動しない。
【０２７０】
そして、コードＣＤが矢印Ｄ６方向に移動すると、コードＣＤとローレット２４０の間に作用する摩擦力により、ローレット２４０が矢印Ｄ７方向に回転する。そして、軸芯３１の回転を、コードＣＤの移動に伴って抵抗力を発生させる抵抗付与部に出力する。
【０２７１】
一方、コードＣＤが矢印Ｄ６と逆方向に移動すると、ワンウェイクラッチ２４５が矢印Ｄ７と逆方向に回転できない。したがって、ローレット２４０の回転が規制される。これにより、コードＣＤが矢印Ｄ６と逆方向に移動する場合には、軸芯３１の回転を、コードＣＤの移動に伴って抵抗力を発生させる抵抗付与部に出力しない。
【０２７２】
以上説明したように、第７実施形態においては、挟着体の内部にワンウェイクラッチ２４５を備えることにより、ワンウェイ機能が実現される。そして、コードＣＤが矢印Ｄ６方向に移動するときには、コードＣＤに対して抵抗付与部からの抵抗力を与えることができる。一方、コードＣＤが矢印Ｄ６と逆方向に移動するときには、コードＣＤに対して抵抗付与部からの抵抗力が与えられず、コードＣＤの自由移動を許可することができる。
【０２７３】
＜作用・効果＞
上記のような構成とすることで、以下の作用・効果を得ることができる。
（１）コードの移動を捕捉し且つコードの移動に起因する回転を抵抗付与部に伝達する挟着体がワンウェイ機能を備え、前記挟着体の内部にワンウェイクラッチを備えることにより、前記ワンウェイ機能が実現されることにより、従来のようにワンウェイクラッチを別途設ける構成と比べて、部品数を低減し、装置の体積を小さくすることができる。
【産業上の利用可能性】
【０２７４】
以上説明したように、本発明によれば、ワンウェイ機能を搭載しつつ、装置の体積を小さくすることが可能な遮蔽装置、埃等の異物の進入を防止するケースを備えた遮蔽装置、異なる太さのコードに対応したコード挟着範囲を備える挟着体を有する遮蔽装置及び複数のコードの移動を捕捉する挟着体と、挟着体にコードが捕捉される前に、複数のコードの向きを整える整列部材と、を有する遮蔽装置が提供され、生活必需品等の分野において利用することができる。
【符号の説明】
【０２７５】
１０Ａ〜１０Ｄ：ケース、３１，４１：軸芯、５０：ピニオンギア、７０：ベース、２００：整列部材、２２０：スライダー、２４０：ローレット、２６０：内歯付キャリア、２８０：遊星歯車、３００：プレート、３２０：太陽歯車付ウェイトホルダ、３４０：ウェイト
【図１】
2016194640.tif 000003
【図２】
2016194640.tif 000004
【図３】
2016194640.tif 000005
【図４】
2016194640.tif 000006
【図５】
2016194640.tif 000007
【図６】
2016194640.tif 000008
【図７】
2016194640.tif 000009
【図８】
2016194640.tif 000010
【図９】
2016194640.tif 000011
【図１０】
2016194640.tif 000012
【図１１】
2016194640.tif 000013
【図１２】
2016194640.tif 000014
【図１３】
2016194640.tif 000015
【図１４】
2016194640.tif 000016
【図１５】
2016194640.tif 000017
【図１６】
2016194640.tif 000018
【図１７】
2016194640.tif 000019
【図１８】
2016194640.tif 000020
【図１９】
2016194640.tif 000021
【図２０】
2016194640.tif 000022
【図２１】
2016194640.tif 000023
【図２２】
2016194640.tif 000024
【図２３】
2016194640.tif 000025
【図２４】
2016194640.tif 000026
【図２５】
2016194640.tif 000027
【図２６】
2016194640.tif 000028
【図２７】
2016194640.tif 000029
【図２８】
2016194640.tif 000030
【図２９】
2016194640.tif 000031
【図３０】
2016194640.tif 000032
【図３１】
2016194640.tif 000033
【図３２】
2016194640.tif 000034
【図３３】
2016194640.tif 000035
【図３４】
2016194640.tif 000036
【図３５】
2016194640.tif 000037
【図３６】
2016194640.tif 000038
【図３７】
2016194640.tif 000039
【図３８】
2016194640.tif 000040
【図３９】
2016194640.tif 000041
【図４０】
2016194640.tif 000042
【図４１】
2016194640.tif 000043
【図４２】
2016194640.tif 000044
【図４３】
2016194640.tif 000045
【図４４】
2016194640.tif 000046
【図４５】
2016194640.tif 000047
【図４６】
2016194640.tif 000048
【図４７】
2016194640.tif 000049
【図４８】
2016194640.tif 000050
【図４９】
2016194640.tif 000051
【図５０】
2016194640.tif 000052
【図５１】
2016194640.tif 000053
【図５２】
2016194640.tif 000054
【図５３】
2016194640.tif 000055
【図５４】
2016194640.tif 000056
【図５５】
2016194640.tif 000057
【図５６】
2016194640.tif 000058
【図５７】
2016194640.tif 000059
【図５８】
2016194640.tif 000060
【図５９】
2016194640.tif 000061
【国際調査報告】
2016194640.tif 000062
2016194640.tif 000063
2016194640.tif 000064
2016194640.tif 000065
2016194640.tif 000066
2016194640.tif 000067
2016194640.tif 000068
2016194640.tif 000069